(57)【要約】      （修正有）【課題】蛍光顕微鏡による超解像の方法では、単一の蛍光色素分子の特性は回復できるが、複数の蛍光色素分子の存在を同時に測定できない、測定装置に簡素性、使い安さなどが欠けている等の問題があった。【解決手段】試料の空間または時空間分布を判断するための光学測定方法および光学測定装置であって、試料は少なくとも１つの再伝送光源を備え、前記少なくとも１つの再伝送光源は、規定の法則に従って照射光に応じて試料に光を再伝送し，本方法は、同じ光路に沿って伝播する、異なるトポロジー群に属する少なくとも２つの小規模な配光分布を試料に照射することと，試料の前記少なくとも１つの再伝送光源によって再伝送される光を検出することと；検出光から少なくとも１つの光学画像を生成することと；前記少なくとも１つの再伝送光源に関する位置特定データを得るために、光学画像をアルゴリズムで解析することとを含む。【選択図】なし【特許請求の範囲】
【請求項１】
試料において少なくとも一つの発光物体の空間的位置を判断するための光学測定方法であって、
ａ．  第１の小規模な配光分布および第２の配光分布のシーケンスを前記試料に照射することを備え、ここで、前記第１の小規模な配光分布および前記第２の小規模な配光分布が異なるトポロジー群であり、
ｂ．  前記少なくとも一つの発光物体の仮定の位置に対して小規模な配光分布のシーケンスを照射することを備え、ここで、各小規模な配光分布はゼロであることを特徴とし、各小規模な配光分布がゼロで光度が極小であり、
ｃ．  前記サンプルにおいて前記少なくとも一つの発光物体により再放出された光を検出することを備え、
ｄ．複数の画像を直接検出することおよび前記複数の画像をアルゴリズムで解析することの少なくとも一つに基づき、前記少なくとも一つの発光物体によって再放出された前記光に関する時空的な情報を得ることを備える、光学測定方法。
【請求項２】
前記少なくとも一つの発光物体に関する空間的情報を得ることを更に備える、請求項１に記載の光学測定方法。
【請求項３】
空間的情報を得ることが、長手方向の空間位置情報を得ることを含む、請求項２に記載の光学測定方法。
【請求項４】
小規模な配光分布のシーケンスを照射することが、蛍光色素分子の動きを追跡することを含む、請求項１に記載の光学測定方法。
【請求項５】
試料において少なくとも一つの発光物体の空間的位置を判断するための光学測定方法であって、
ａ．  ダークスポットを備える小規模な配光分布を前記試料に照射することと、
ｂ．  前記少なくとも一つの発光物体の仮定の位置に対して小規模な配光分布のシーケンスを照射することと、
ｃ．  前記試料において前記少なくとも一つの発光物体によって再放出された光を検出することと、
ｄ．  少なくとも一つ画像を直接検出することおよび前記少なくとも一つの画像をアルゴリズムで解析することの少なくとも一つに基づき、前記少なくとも一つの発光物体によって再放出された前記光に関する時空的な情報を得ることと、
を備える、光学測定方法。
【請求項６】
前記小規模な配光分布が、渦を含む、請求項５に記載の光学測定方法。
【請求項７】
前記小規模な配光分布が、円錐回折によって生成される渦を含む、請求項６に記載の光学測定方法。
【請求項８】
前記少なくとも一つの発光物体に関する空間情報を更に備える、請求項５に記載の光学測定方法。
【請求項９】
空間位置情報を得ることが、長手方向における空間位置情報を得ることを含む、請求項８に記載の光学測定方法。
【請求項１０】
蛍光色素分子の位置を測定する方法であって、
小規模な配光分布の中心または複数の小規模な配光分布の数学的な組合せの中心での強度が実質的にゼロとなるように、前記小規模な配光分布を中心に特徴があるように構成すること、あるいは前記複数の小規模な配光分布の数学的な組合せを中心に特徴があるように構成することと、
前記蛍光色素分子の仮定の位置に対して前記小規模な配光分布または前記複数の小規模な配光分布の数学的な組合せを移動することと、
低下した蛍光発光に基づき、前記蛍光色素分子の位置を測定することと、
を備える方法。
【請求項１１】
前記蛍光色素分子の移動を、放出された蛍光に基づき、前記蛍光色素分子を追跡する方法で、前記小規模な配光分布の対応する移動によって補償することを更に備える、請求項１０に記載の方法。
【請求項１２】
１セットの発光物体のサブセットを点滅させるように、前記サブセットを光活性化することおよび光抑制することのいずれか一つを更に備える、請求項１に記載の方法。
【請求項１３】
前記試料における前記少なくとも一つの発光物体によって再放出された光を検出することは、前記試料における前記１セットの発光物体のサブセットを点滅させることによって再放出される光を検出することを含む、請求項１２に記載の方法。
【請求項１４】
時空的な情報を得ることは、前記１セットの発光物体に関する空間情報を得ることを含む、請求項１３に記載の方法。
【請求項１５】
空間位置情報を得ることは、長手方向における空間位置情報を得ることを含む、請求項１２に記載の方法。
【請求項１６】
試料において、１セットの発光物体に関する時空的な情報を判定するための光学測定方法であって、
ａ．  ダークスポットを備える小規模な配光分布を前記試料に照射することと、
ｂ．  配置の仮定および第１セットの測定の少なくとも一つに基づき、小規模な配光分布のシーケンスを動的に判定することと、
ｃ．  前記小規模な配光分布のシーケンスを生成することと、
ｄ．  前記試料において前記１セットの発光物体の点滅するサブセットによって再放出された光を検出することと、
ｅ．少なくとも一つ画像を直接検出することおよび前記少なくとも一つの画像をアルゴリズムで解析することの少なくとも一つに基づき、前記少なくとも一つの発光物体によって再放出された前記光に関する時空的な情報を得ることと、
を備える、光学測定方法。
【請求項１７】
前記小規模な配光分布が、渦を含む、請求項１６に記載の光学測定方法。
【請求項１８】
前記小規模な配光分布が、円錐回折によって生成される渦を含む、請求項１７に記載の光学測定方法。
【請求項１９】
前記小規模な配光分布が、三次元ダークスポットを含む、請求項１６に記載の光学測定方法。
【請求項２０】
前記小規模な配光分布が、円錐回折によって生成される三次元ダークスポットを含む、請求項１７に記載の光学測定方法。
【請求項２１】
前記小規模な配光分布が、三次元ダークスポットを含む、請求項１８に記載の光学測定方法。
【請求項２２】
前記小規模な配光分布が、円錐回折によって生成される三次元ダークスポットを更に含む、請求項１８に記載の光学測定方法。
【請求項２３】
前記小規模な配光分布が、円錐回折によって生成される、請求項１６に記載の光学測定方法。
【発明の詳細な説明】
【技術分野】
【０００１】
本発明は、光学測定方法および光学測定装置に関する。本発明は、あらゆるイメージング分野、限定しないが特に、顕微鏡法の分野であって、生物学、医学、薬学、半導体、材料研究、計量、制御、測定および観察の分野などだがこれに限定されない分野に適用されるほか、巨視的分野または微視的分野で光学的観察から情報を取得するためのあらゆる工程に適用される。
【背景技術】
【０００２】
光学顕微鏡とは、一般に肉眼で見るには小さすぎる物体を見る、解析するまたは測定するのに使用される光学機器である。
【０００３】
本明細書では、生命科学のあらゆる生物学的実体を記載するのに「生物学の」（ｂｉｏｌｏｇｉｃａｌ）という用語を用いるが、これはその母体が人間、動物または植物であるか、あるいはその観察、研究、診断または治療の目的が何であるかを問わない。この用語には、記載する技術の医学的な使用も含まれる。  顕微鏡法は、例えば、生物学的実体（物体）およびその動作を観察し、研究し、測定するために、生物学分野で使用されるものである。
【０００４】
広義には、人工視覚という用語は、人間または機械によって生産、建設または作製された物体または要素のあらゆる測定用途、計量または観察を説明し、例えば半導体を観察、研究、測定したり、材料を特徴付けたりするために使用される。
【０００５】
光回折限界、レイリー基準、エアリーディスクならびにその半径および直径に対して通常の定義が用いられる。本発明に関し、超解像、超解像した、超解像イメージングおよび超解像顕微鏡法という用語を使用して、光回折限界よりも高い解像度での光学データ取得、光学イメージング、顕微鏡法および人工視覚について記載する。通常の定義は、 蛍光および蛍光色素分子に対して使用される。
【０００６】
ここで、顕微鏡法１００の模範を示す図である図１を参照する。
【０００７】
光学顕微鏡は、顕微鏡１０を使用して行う、光源（図示せず）を介した生体または非生体試料１１への照明、および視覚による観察または検出モジュール１２のいずれかを用いて、試料から放出、再放出、拡散、反射または伝送された光の時間依存測定を含む方法である。生物学において、試料は、異なる位置に置かれた１つまたは複数の異なる生物学的実体１３および１４を含むものである。このような物体の例には、とりわけ細胞、ウイルス、タンパク質およびＤＮＡの断片がある。工業的な人工視覚において、試料は、例えば半導体素子であってよい。
【０００８】
顕微鏡法は、様々な特徴および目的を有する様々な方式に分けられる。この様々な方式、その特徴およびその利点に関する多くの記述が文献には広く存在し、例えばＺｅｉｓｓ社［１］、Ｌｅｉｃａ、Ｎｉｋｏｎ社［２］、またはＯｌｙｍｐｕｓ社のウェブサイト上で見られる。
【０００９】
顕微鏡法の用途は、多くの様々な方法で体系化できる。そのうちの１つは、微小な光源を表示するための顕微鏡法の方式を、連続物体を測定するための方式と区別することである。
【００１０】
光源が微小な場合の方が一見して遙かに単純である。物体は、少数の光源から成り立っており、光源は、物理的問題およびアルゴリズムの難点を大いに簡易化する少数のパラメータ（以下、これをディスクリプタと定義する）を用いて説明できる。連続物体の場合は、空間分布（あるいは、力学を考慮する場合は時空間分布）が異なることを説明し、本明細書でもこれを説明する。
【００１１】
蛍光顕微鏡法は、顕微鏡法の変形例の１つであり、多くの用途において他の顕微鏡法技術に取って代わったものである。蛍光顕微鏡とは、反射および吸収などの他の手段の代わり、またはこの手段に加えて蛍光現象を利用して、物体の特性または有機成分や無機成分の特性を研究するのに使用される光学顕微鏡である。
【００１２】
再度図１を参照し、生物学または人工視覚のいずれかで用いられて、例えば材料を特徴付けるための蛍光顕微鏡について今度は説明する。蛍光顕微鏡法では、１つの蛍光光子の物理的現象に基づいて起こる極小の点光源１５から１８である例えば蛍光色素分子を、所定の生体１３および１４の特定の位置に設定する。生体１３および１４自体が放出する光を観察する代わりに、点光源から放出される光を観察する。
【００１３】
試料は、点光源に吸収される波長または特定の波長の光に照明され、それによってより様々な高い波長の光が放出される。蛍光により放出される光を集束する間、照明光は、分光フィルタを使用することで、より低い放出される蛍光から分離される。
【００１４】
蛍光顕微鏡法は、小さい光源、蛍光色素分子から放出される光を研究するものである。しかしながら、蛍光色素分子の密度が高い場合、蛍光色素分子は個別に解析されなくなり、連続物体として処理される。
【００１５】
この段階から、同じシステムで連続物体の観察が可能になり、光源の観察に限定されないことに注意することが重要である。
【００１６】
蛍光色素分子は、生体を可視化するための重要な道具になっている。２００ｎｍの分解能を越える細部を含む生物活動および生物情報が、蛍光顕微鏡法を用いて体系的に観察、測定される。この分解能限界は、レイリー基準によるものであり、この基準は、最良の場合、特別に設計されたシステム（系）では２００ｎｍに達する。以下に説明する超解像技術が出現するまでの長い間、蛍光顕微鏡法をはじめとする光学技術では、約２００ｎｍであるレイリー基準よりも小さい細部を可視化することは不可能であると認識されていた。
【００１７】
しかし、生体試料内では、２００ｎｍよりも小さい規模でこれ以外の基本的な生物活動も起きている。このレベルの空間分解能では、重要な現象を観察することができる。具体的には、細胞内規模での生物学的過程、細胞情報の転送、タンパク質のフォールティングおよびアンフォールディングならびにＤＮＡおよびＲＮＡの変化である。例えば、この細胞内情報の測定により、生物活動の理解に新たな道が開かれ、研究の経過観察および医学的診断に対する理解が深まることになる。
【００１８】
蛍光顕微鏡法の主な実施態様は、文献に詳細に記載されているように、共焦点顕微鏡であり、この共焦点顕微鏡は、走査機能または回転ディスクを備える顕微鏡、および広視野イメージングの顕微鏡に使用されることが多い。
【００１９】
次に、先行技術の共焦点蛍光顕微鏡２００を簡易化した図である図２を参照する。
【００２０】
図２の共焦点蛍光顕微鏡は、光学機器である。その主要ハードウェア部品を図２に示す。この部品は、
光源２０、
光学機械フレーム（図示せず）、
立体フィルタ２１、
顕微鏡対物レンズ２２、および
検出アセンブリ２３、
処理ユニット（図示せず）
を備える。
【００２１】
アーク灯またはレーザであってよい光源２０は、蛍光に必要な光エネルギーを形成する。
【００２２】
光学機械フレーム（図示せず）は、あらゆる光学部品および補助光学器械の基盤であり、位置調整能力を備えている。光学機械フレームは、光学素子（図示せず）も備えており、この光学素子は、ビーム形状を加工する能力があり、顕微鏡対物レンズを用いてビームの焦点を最小サイズにすることができる。
【００２３】
光学機械フレームは、走査型共焦点蛍光顕微鏡の場合、空間走査機構（図示せず）または角度走査機構も備えて、被測定物体に対する点光源の位置を変更する。
【００２４】
また、走査機構は、
例えば並進プレートを使用して、物体を機械的に並進運動させること、
例えば一連のガルバノミラーもしくは音響光学式並進器を使用して、物体へ照射されるビームを光学的に走査すること、または機械的もしくは光学的なこれらの並進運動手段を組み合わせたものを使用すること
が可能である。
【００２５】
走査型共焦点蛍光顕微鏡では、情報は、走査機構を使用して点ごとに収集される。
【００２６】
回転ディスクタイプの共焦点蛍光顕微鏡では、複数のピンホールを有する回転ディスクも備えることができ、これによって複数の点を同時に照射することが可能になる。共焦点蛍光顕微鏡の回転ディスクでは、ピンホールに対応する一連の点が常時取得され、ディスクが回転することによって、特定の縦方向の位置に対して試料の表面全体を走査することができる。
【００２７】
立体フィルタ２１は、様々に異なる光信号を誘導し、励起光による蛍光信号の混入を回避する。立体フィルタは、励起フィルタ２１０、ダイクロイックミラー２１１、および蛍光フィルタ２１２で構成される。フィルタおよびダイクロイックミラーは、励起の波長および蛍光色素分子の発光スペクトルの特徴に応じて選択される。
【００２８】
顕微鏡対物レンズ２２は、光源が形成した光をレンズ２４の焦点面で集光して、小サイズの配光分布パターンを形成し、最適な配光分布は、エアリーディスクからなる。顕微鏡対物レンズ２２は、蛍光色素分子が放出する蛍光も集光する。
【００２９】
走査型共焦点蛍光の場合、システムをデスキャンできる、すなわち、反射光は、走査機構を通過して、走査によって生じる並進運動を補償することができる。
【００３０】
検出レンズ２５は、検出器２６の像面に、レンズ２４の焦点面を拡大した像を形成する。
【００３１】
共焦点ピンホール２７は、理論的には検出器２６の像面に配置される。
【００３２】
実際のほとんどのシステムでは、共焦点ピンホール２７は、中間結像面（図示せず）に配置され、検出器２６の像面上に再び結像される。
【００３３】
検出器アセンブリ２３は、全体的な照明量の蛍光度を検出し、これをデジタル信号に変換する。走査型共焦点顕微鏡の場合、検出器は、ＰＭＴまたはＳＰＡＤなどの単一素子の検出器を備える。回転ディスクを使用する共焦点顕微鏡の場合、検出器は、ＣＣＤ、ＥＭＣＣＤ、ＣＭＯＳまたはＳＰＡＤのマトリクスなど、検出素子のマトリクスを備える。
【００３４】
光源からダイクロイックフィルタまでに取り付けられる部品はすべて、照明路２０１である。検出チャネル２０２は、ダイクロイックフィルタから検出器のアセンブリまでに取り付けられる全部品を表す。
【００３５】
共焦点顕微鏡の基本光学プロセスを、以下の６ステップ：
・  解析分量に光を照射する
・  蛍光色素分子によって蛍光を放出する
・  蛍光色素分子を焦点面に結像させる
・  解析した光を共焦点ピンホールによって焦点面に限定する
・  解析した光を光電検出器によって一体にする
・  測定した強度を画像の画素値として表示する
に分けることができる。
【００３６】
蛍光顕微鏡は、Ｎｉｋｏｎ、Ｚｅｉｓｓ、ＬｅｉｃａおよびＯｌｙｍｐｕｓなど、数社のメーカーから入手可能である。蛍光顕微鏡は、蛍光に適した標準の顕微鏡でもよいし、蛍光用に特別に最適化した顕微鏡でもよい。現代の顕微鏡は、同じプラットフォームおよびほとんどの光学機械部品を使用する多くの様々な方式で動作することができる多用途機器であり、この方式には蛍光方式などがあるが、これに限定されない。ほとんどの蛍光顕微鏡は、最小限の修正でいくつかの追加機能を実行できる、オープンプラットフォームとして開発されている。その他の蛍光顕微鏡は、医学的診断または調剤など、特殊な作業に適応された専用の機器である。
【００３７】
超解像
新しい光学方法である超解像方法は、レイリー基準を下回る光源を区別することができる。これらの方法は、複数の企業、研究所および研究者によって開発されており、これらの方法、超解像顕微鏡を用いる機器のいくつかは市販されている。超解像法のいくつかの比較解析に関する文献が最近発行され、Ｓｃｈｅｒｍｅｌｌｅｈらによる文献［３］などがある。
【００３８】
Ｚｅｉｓｓ社のウェブサイト［１］、およびＮｉｋｏｎ社のウェブサイト［２］には、超解像に関する最新の文献が掲載されている。
【００３９】
超解像を組み入れていない様々な既存の顕微鏡法および既存の顕微鏡では、最大で光回折限界までの顕微鏡観察が可能である。これでは、その使用分野は、限定された用途に縮小される。
【発明の概要】
【発明が解決しようとする課題】
【００４０】
新規な超解像技術では、分解能限界を超える情報を得ることができる。あらゆる既存の超解像技術の主な問題は、横方向の分解能、縦方向の分解能、速度、生体内の光毒性に必要な光度、様々な物体を測定する能力に関して現れる性能範囲が極めて限られている点である。
【００４１】
さらに、ほとんどの方法および機器が提供できるのは、 良好な横方向の分解能か縦方向の分解能のいずれかの超解像であり、両方を提供できるものは稀である。
【００４２】
さらに、これらの機器はすべて複雑であり、高度なスキルを持つオペレータを必要とする。
【００４３】
さらに、 これらの機器は、機器によっては、フィールドの深さが浅いことや、細胞に危険となるきわめて高い光度が必要であるなど、操作上の厳しい限界があるために、全体的に生物標本のわずかな部分しか観察できない。
【００４４】
超解像の方法および機器に伴うもう１つの問題は、ほとんどの機器が照明分量内で単一の蛍光色素分子の特性を回復することはできるが、複数の蛍光色素分子の存在を同時に認識してその特性を測定することはできないという点である。
【００４５】
超解像の方法および機器に伴うさらに別の問題は、これらの方法および機器が、使用者には標準の顕微鏡または共焦点顕微鏡に取って代わることのできる一般的な道具として見られ、認識されている点である。しかし、超解像の方法および機器には、簡素性、堅剛性、使いやすさ、および標準の顕微鏡の競争価格が欠けており、これが研究道具または一般的な診断道具としての使用を妨げている。
【００４６】
既存の超解像の方法および道具に伴うもう１つの問題は、これらの方法および道具のほとんどが、標準の顕微鏡に取って代わるように設計された独立型機器として設計されている点である。このような手法では、既存の機器を入れ替える必要があり、長年にわたって開発されてきた顕微鏡法のプラットフォームに関するあらゆるシステムや装置、あらゆる知識およびノウハウの刷新が必要である。
【００４７】
蛍光顕微鏡法および超解像のほとんどの方法および機器に伴うもう１つの問題は、これらの方法および道具が、画像取得の模範に基づいて設計されており、基本情報の実体は、２次元または３次元の１つ（または複数）の画像、あるいは１つ（または複数）のＲＯＩ（Ｒｅｇｉｏｎ  Ｏｆ  Ｉｎｔｅｒｅｓｔ、関心領域）である点である。本発明内で後に記載するアルゴリズム法、体系的方法および超解像法は、これらの固有の柔軟性により、新たな取得法の開発を可能にするものである。動的かつ選択的なこれらの取得手順は、最適化した連続取得および相互作用的かつ異なる処理によって定義される。これらの取得手順によって、１つ以上の蛍光物体の形状、立体構造および動作に基づく基準によって定義された有益情報を、別々にまたは互いさらに洗練して最適化することができる。
【００４８】
そのため、蛍光色素分子の特性を高精度で測定できる超解像の方法および道具ならびにアルゴリズム法を提供する差し迫った必要性が依然としてある。同じ被照明分量内に配置された複数の蛍光色素分子の存在を検出し、定量する方法および道具を提供することも必要である。
【００４９】
蛍光顕微鏡法および超解像に関するほとんどの既存の方法および機器にみられるもう１つの問題は、これらの方法および機器が顕微鏡スライド上にある試料を研究するように設計されているという点である。しかしながら、共焦点顕微鏡は今日、診断対象の組織から放出される蛍光を照明して表示するために使用される光ファイバを用いて人体の内外を検査する生体内診断機器として多くの医学分野で使用されている。超解像は、現時点ではこのような生体内診断を実施するものではない。本発明の文脈で後に記載する、アルゴリズムを用いる体系的な超解像方法により、生検を行う必要性を低減し、患者の待ち時間を短縮する新規な生体内診断方法を開発することが可能になる。
【課題を解決するための手段】
【００５０】
本発明の第１の態様では、試料の空間または時空間分布を判断するための光学測定プロセスであって、試料が少なくとも１つの再放出光源を備え、前記少なくとも１つの再放出光源が、照射光に応じて光を試料に再放出するプロセスにおいて、
光学照射器を用いて、同じ光路に沿って広がるトポロジー群の異なる少なくとも２つの配光分布を試料に照射すること、
試料の前記少なくとも１つの再放出光源が再放出する光を検出すること；
検出光から少なくとも１つの光学画像を生成すること、および
光学画像をアルゴリズムで解析して、前記少なくとも１つの再放出光源の位置情報を得ること
を含む、プロセスを明らかにする。
【００５１】
試料への照射は、順に行ってもよいし、同時に行ってもよい。再放出光源は、点光源、構造物体であってよく、例えば線や円のセグメントまたは連続物体であってよい。
【００５２】
一実施形態によれば、光学照射器は、無彩色である。
【００５３】
一実施形態によれば、トポロジー群の異なる少なくとも２つの小規模な配光分布は、順に照射される。
【００５４】
一実施形態によれば、検出光からの少なくとも１つの光学画像の生成は、画像が照明される各瞬間に実行される。
【００５５】
１つの実施形態によれば、トポロジー群の異なる前記少なくとも２つの小規模な配光分布は、規則波と特異波との間または２つの特異波の間の干渉によって形成され、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との間または２つの特異波の間の位相差
のうちの少なくとも１つを変化させることによって形成される。
【００５６】
一実施形態によれば、トポロジー群の異なる配光分布の照射は、円錐回折によって実行される。
【００５７】
一実施形態によれば、上記プロセスは、円錐回折を実施する少なくとも１つの円錐形結晶の入射および出射の偏光状態を変化させることによって照射を修正することも含む。
【００５８】
一実施形態によれば、トポロジー群の異なる配光分布の照射は、薄型結晶中の円錐回折によって実行される。
【００５９】
一実施形態によれば、上記プロセスは、トポロジー群の異なる少なくとも２つの小規模な配光分布を、光ファイバを介して光路部分に沿って伝送することも含む。
【００６０】
一実施形態によれば、光ファイバは、フォトニックファイバを含む。
【００６１】
一実施形態によれば、上記プロセスは、物理的作用を印加することによって、試料中で互いに最短距離を置いて位置している再放出光源を、顕微鏡法による位置特定技術を用いて一時的に分離することを含む。
【００６２】
一実施形態によれば、本方法は、光活性効果または光抑制効果によって、追加の波、規則波または特異波を用いた物理的効果を誘導することも含む。
【００６３】
一実施形態によれば、照射された配光分布の波は、多光子蛍光効果またはラマン効果によって、非線形的に相互作用する。
【００６４】
一実施形態によれば、光ファイバは、以前に形成されたトポロジー群の異なる小規模な配光分布を、様々な配光分布に対して異なる緩和を伴って伝送するように構成される。
【００６５】
一実施形態によれば、光ファイバは、ファイバ内で静的または動的に結合することで、光ファイバに導入された配光分布どうしの相互作用を生み出すように、かつ、ファイバから現れる配光分布がファイバ内に導入された配光分布とは異なるように配置される。
【００６６】
一実施形態によれば、再放出光源からの放出のスペクトル依存は、フェルスターのエネルギー移動効果によっても修正される。
【００６７】
一実施形態によれば、前記トポロジー群の異なる少なくとも２つの小規模な配光分布は、同じ場所に位置する。
【００６８】
一実施形態によれば、無彩色ユニットは、スペクトル帯の波長幅がスペクトル帯の中央の波長の１５％よりも大きい少なくとも１つの光源を備え、無彩色光学ユニットは、スペクトル帯のどの波長に対しても同じ光路に広がって同じ場所に位置しているトポロジー群の異なる小規模な配光分布を形成する。
【００６９】
本発明の第２の態様では、試料の空間または時空間分布を判断するための測定装置であって、試料が少なくとも１つの再放出光源を備え、前記少なくとも１つの再放出光源が、照射光に応じて試料に光を再放出する、装置において、
−  同じ光路に広がるトポロジー群の異なる少なくとも２つの小規模な配光分布を試料に照射する無彩色照射モジュール、
−  試料の前記少なくとも１つの再放出光源から再放出される光を検出できる検出モジュール、
−  検出光から少なくとも１つの光学画像を生成できる生成モジュールおよび
−  前記少なくとも１つの再放出光源の位置情報を得るために光学画像を解析できるアルゴリズム解析モジュール、
を備える装置を明らかにする。
【００７０】
一実施形態によれば、照射モジュールは、トポロジー群の異なる少なくとも２つの小規模な配光分布を順に照射するように構成される。
【００７１】
一実施形態によれば、生成モジュールは、画像が照明される各瞬間に、検出光から前記少なくとも１つの光学画像を生成するように構成される。
【００７２】
一実施形態によれば、
照射モジュールは、規則波と特異波との間または２つの特異波の間の干渉によって、トポロジー群の異なる前記少なくとも２つの小規模な配光分布を形成でき、前記少なくとも２つの分布間の空間的相違は、以下のパラメータ：
ａ）規則波のパラメータのうちの少なくとも１つ、
ｂ）少なくとも１つの特異波の少なくとも１つのパラメータ、および
ｃ）規則波と特異波との間または２つの特異波の間の位相差、
のうちの少なくとも１つを変化させることによって形成される。
【００７３】
一実施形態によれば、照射モジュールは、円錐回折によってトポロジー群の異なる配光分布の照射を実行するための少なくとも１つの円錐形結晶を備える。
【００７４】
一実施形態によれば、本装置は、前記少なくとも１つの円錐形結晶の入射および出射の偏光状態を変化させるように構成された照射修正手段も備える。
【００７５】
一実施形態によれば、前記少なくとも１つの円錐形結晶は、薄型結晶である。
【００７６】
一実施形態によれば、本装置は、トポロジー群の異なる少なくとも２つの小規模な配光分布を光路部分に沿って伝送することを実行するための光ファイバも備える。
【００７７】
一実施形態によれば、光ファイバは、フォトニックファイバを含む。
【００７８】
一実施形態によれば、本装置は、物理的作用を印加することによって、試料中で互いに最短距離を置いて位置している再放出光源を、顕微鏡法による位置特定技術を用いて一時的に分離できる一時的分離モジュールも備える。
【００７９】
一実施形態によれば、本装置は、光活性効果または光抑制効果によって、追加の波、規則波または特異波を用いた物理的効果を誘導する手段も備える。
【００８０】
一実施形態によれば、照射モジュールは、配光分布の波を照射するように構成され、波が多光子蛍光効果またはラマン効果によって非線形的に相互作用するようにする。
【００８１】
一実施形態によれば、光ファイバは、以前に形成されたトポロジー群の異なる小規模な配光分布を、様々な配光分布に対して異なる緩和を伴って伝送するように構成される。
【００８２】
一実施形態によれば、光ファイバは、ファイバ内で静的または動的に結合することで、光ファイバに導入された配光分布どうしの相互作用を生み出すように、かつ、ファイバから現れる配光分布がファイバ内に導入された配光分布とは異なるように配置される。
【００８３】
一実施形態によれば、本装置は、フェルスターのエネルギー移動効果によって再放出光源からの放出のスペクトル依存を修正する手段も備える。
【００８４】
一実施形態によれば、本装置は、追加の光学要素を加えるか本装置の内部要素を修正することで、無彩色にするか無熱にするか、あるいは無彩色かつ無熱にするように修正される顕微鏡法装置を備える。
【００８５】
一実施形態によれば、追加された光学要素は、少なくとも１つのプリズム、ネットワーク、レンズまたは分散が逆である追加の結晶を備える。
【００８６】
一実施形態によれば、無彩色照射モジュールは、同じ場所に位置しているトポロジー群の異なる少なくとも２つの小規模な配光分布を形成できる。
【００８７】
一実施形態によれば、無彩色照射モジュールは、スペクトル帯の波長幅がスペクトル帯の中央の波長の１５％よりも大きい少なくとも１つの光源を備え、スペクトル帯のどの波長に対しても同じ光路に広がって同じ場所に位置しているトポロジー群の異なる小規模な配光分布を形成するように構成される。
【００８８】
本発明の第３の態様は、試料の空間または時空間分布を決定するための光学測定プロセスであって、試料が少なくとも１つの再放出光源を備え、前記少なくとも１つの再放出光源が、規定の法則に従って照射光に応じて光を試料に再放出するプロセスにおいて、
円錐回折または単軸結晶を用いて、トポロジー群の異なる少なくとも２つの小規模な配光分布を、共通光路を有する光学系で試料に照射すること；
試料の前記少なくとも１つの再放出光源から再放出される光を検出すること；
検出光から少なくとも１つの光学画像を生成すること、および
光学画像をアルゴリズムで解析して、前記少なくとも１つの再放出光源の位置情報を得ること
を含む、プロセスに関する。
【００８９】
１つの実施形態によれば、照射手段は、規則波と特異波との間または２つの特異波の間の干渉によって形成される、トポロジー群の異なる前記少なくとも２つの小規模な配光分布を形成でき、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との位相差または２つの特異波の位相差
のうちの少なくとも１つを変化させることによって形成される。
【００９０】
一実施形態によれば、共通光路を有する光学系から出ていて、規則波とは波長が異なる特異波は、前記少なくとも１つの再放出光源を排除するか、前記少なくとも１つの再放出光源とは異なる励起状態の間を移行することで、規則波の作用を抑制する効果を生む。
【００９１】
一実施形態によれば、偏光分散効果は、共通光路を有する光学系が、動的に修正することなく１つの波長で規則波を形成し、別の波長で特異波を形成できるようにするために利用される。
【００９２】
本発明の第４の態様では、試料の空間または時空間分布を判断するための光学測定装置であって、試料が少なくとも１つの再放出光源を備え、前記少なくとも１つの再放出光源が規定の法則に従って照射光に応じて光を試料に再放出する装置において、
共通光路を有するトポロジー群の異なる少なくとも２つの小規模な配光分布を円錐回折によって試料に照射するための少なくとも１つの円錐または単軸結晶；
試料の前記少なくとも１つの再放出光源から再放出される光を検出できる検出手段；
検出光から少なくとも１つの光学画像を生成できる生成手段、および
光学画像をアルゴリズムで解析して、前記少なくとも１つの再放出光源の位置情報を得られるアルゴリズム解析手段
を備える、装置を明らかにする。
【００９３】
一実施形態によれば、本装置は、
規則波と特異波との間または２つの特異波の間の干渉によって形成される、トポロジー群の異なる前記少なくとも２つの小規模な配光分布を形成するための干渉手段であって、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との位相差または２つの特異波の位相差
のうちの少なくとも１つを変化させることによって形成される、干渉手段をさらに備える。
【００９４】
一実施形態によれば、共通光路を有する光学系から出ていて、規則波とは波長が異なる特異波は、前記少なくとも１つの再放出光源を排除するか、前記少なくとも１つの再放出光源とは異なる励起状態の間を移行することで、規則波の作用を抑制する効果を生む。
【００９５】
一実施形態によれば、本装置は、共通光路を有する光学系が、動的に修正することなく１つの波長で規則波を形成し、別の波長で特異波を形成できるようにするための偏光分散効果を生み出すための偏光分散手段を備える。
【００９６】
本発明のもう１つの態様では、人工視覚用の実施形態のうちのいずれか１つによるプロセスの使用を明らかにする。
【００９７】
本発明のもう１つの態様では、医学用途用の実施形態のうちのいずれか１つによるプロセスの使用を明らかにする。
【００９８】
本発明のもう１つの態様では、生物細胞を研究するための実施形態のうちのいずれか１つによるプロセスの使用を明らかにする。
【００９９】
本発明のもう１つの態様では、光学プロセスであって、
円錐回折に基づく無彩色光学ユニットを用いて、主要な入射規則波を少なくとも１つの補足的な入射規則波から物理的に分離すること（前記少なくとも１つの補足的な入射規則波は主要な規則波とは異なる）、
前記無彩色ユニット内の伝播で修正されていない主要な規則波と、前記少なくとも１つの補足的な規則波とが、現れている特異波にエネルギーの測定可能な部分を伝達し、現れている特異波が、前記少なくとも１つの補足的な規則波のエネルギーのみを含むようにすること；および
光学要素を偏光、吸収または分離して、現れている特異波を主要な入射規則波から分離すること
を含む、光学プロセスを明らかにする。
【０１００】
本発明の一実施形態によれば、主要な入射規則波および前記少なくとも１つの補足的な入射規則波は、偏光する。
【０１０１】
本発明の一実施形態によれば、主要な入射規則波および前記少なくとも１つの補足的な入射規則波は、少なくとも部分的にコリメートされる。
【０１０２】
本発明の一実施形態によれば、主要な規則波および前記少なくとも１つの補足的な規則波は、コリメートのそれぞれの度合いが異なる。
【０１０３】
本発明の一実施形態によれば、主要な規則波および前記少なくとも１つの補足的な規則波は、それぞれの曲率半径パラメータが異なる。
【０１０４】
本発明の一実施形態によれば、主要な規則波および前記少なくとも１つの補足的な規則波は、異なる発信源から出ていて、主要な規則波および前記少なくとも１つの補足的な規則波は、それぞれの発信源の横または縦の位置に応じて異なる。
【０１０５】
本発明の一実施形態によれば、主要な規則波は、１つの発信源から出ていて、プロセスはさらに、現れている特異波の強度または位相の測定値から、発信源の横または縦の位置を判断することを含む。
【０１０６】
本発明の一実施形態によれば、無彩色光学ユニットは、円錐回折に基づくものである。
【０１０７】
本発明のもう１つの態様では、光学装置であって、
主要な入射規則波を少なくとも１つの補足的な入射規則波から物理的に分離するために、少なくとも１つの単軸結晶内の円錐回折または光の伝播に基づく少なくとも１つの無彩色光学モジュールであって、前記少なくとも１つの補足的な入射規則波が、主要な規則波とは異なり、
前記無彩色光学モジュールが、主要な規則波が前記結晶内の伝播で修正されないように構成され、前記少なくとも１つの補足的な規則波のエネルギーの測定可能な部分を、現れている特異波に伝達して、現れている特異波が前記少なくとも１つの補足的な規則波のエネルギーのみを含むようにする、無彩色光学モジュール；および
現れている特異波を主要な入射規則波から分離するために、偏光、吸収または分離する光学要素
を備える、光学装置を明らかにする。
【０１０８】
本発明の一実施形態によれば、本装置は、主要な入射規則波および前記少なくとも１つの補足的な入射規則波を偏光するための偏光モジュールも備える。
【０１０９】
本発明の一実施形態によれば、本装置は、主要な入射規則波および前記少なくとも１つの補足的な入射規則波を少なくとも部分的にコリメートするためのコリメートモジュールも備える。
【０１１０】
本発明の一実施形態によれば、主要な規則波および前記少なくとも１つの補足的な規則波は、コリメートのそれぞれの度合いが異なる。
【０１１１】
本発明の一実施形態によれば、主要な規則波および前記少なくとも１つの補足的な規則波は、それぞれの曲率半径パラメータが異なる。
【０１１２】
本発明の一実施形態によれば、主要な規則波および前記少なくとも１つの補足的な規則波は、異なる発信源から出ていて、主要な規則波および前記少なくとも１つの補足的な規則波は、それぞれの発信源の横または縦の位置に応じて異なる。
【０１１３】
本発明の一実施形態によれば、本装置は、現れている特異波の強度または位相の測定値から主要な規則波の発信源の横または縦の位置を判断するように構成された測定モジュールも備える。
【０１１４】
本発明の一実施形態によれば、無彩色光学モジュールは、円錐回折に基づくものである。
【０１１５】
本発明の少なくとも１つの実施形態の１つの目的は、蛍光顕微鏡法による超解像技術を、生物学およびさらに全般的には生命科学、またこれに加えて薬理学、医学および診断に対して提供し、これによって先行技術による装置の欠点を克服することである。
【０１１６】
本発明の少なくとも１つの実施形態の目的の１つは、蛍光顕微鏡法による超解像技術を生物分野に提供して、蛍光色素分子の特性を高精度で測定することができ、同じ被照明分量内にある複数の蛍光色素分子の特性を認識・測定することができる光学系を達成することである。
【０１１７】
本発明の少なくとも１つの実施形態のもう１つの目的は、蛍光顕微鏡法による超解像技術を生物分野に提供して、蛍光色素分子の特性を高精度で測定することである。
【０１１８】
本発明の少なくとも１つの実施形態のもう１つの目的は、同じ被照明分量内にある複数の蛍光色素分子の特性を高精度で取得・測定する蛍光顕微鏡法による超解像技術を生物分野に提供することである。
【０１１９】
本発明のもう１つの態様では、試料の構造物体または連続分布の少なくとも１つの発光ナノエミッタの空間位置を判断するための光学測定方法および無彩色光学ユニットを提供し、本方法は、
試料中のトポロジー群の異なる少なくとも２つの一連の小規模な配光分布を照射すること；
前記少なくとも１つの発光ナノエミッタ、試料の構造物体または連続分布によって再放出される光を検出すること；
検出光を基に、各配光分布に対して少なくとも１つの光学画像を生成すること；および
光学画像をアルゴリズムで解析し、前記少なくとも１つの発光ナノエミッタ、構造物体または連続分布の位置情報を得ること
を含む。
【０１２０】
本発明のもう１つの態様は、複数の点光源の空間位置を判断するための無彩色の光学測定プロセスおよび無彩色の光学ユニットにも関し、本方法は、複数の点光源から放出される光を検出すること；放出された光を複数の検出器に対して分離して、同時または連続的に検出すること；点光源から放出され、前記点光源の空間位置によって異なる特定の検出器に誘導される光を均衡すること；検出光から光学画像を生成すること；および光学画像をアルゴリズムで解析して、複数の点光源の位置情報を得ること、を含む。
【０１２１】
共焦点蛍光顕微鏡法に基づく本発明の実施形態についての説明は、必要な変更を加えて、共焦点のものでもそうでなくともその他の顕微鏡法方式に拡張できるとともに、生体、人工視覚またはその他のものを観察するかどうか、また物体が点光源、構造物体または連続物体で構成されるかどうかに関わらず、人工視覚にも拡張できる。
【図面の簡単な説明】
【０１２２】
次に、本発明をよりよく理解できるように、以下の図面を参照して特定の好適な実施形態と結びつけて本発明を説明していく。
【０１２３】
次に詳細な図面を特に参照するにあたり、表記した符号は、例として、本発明の好適な実施形態の考察を説明するために示したものであり、最も有益な説明と思われるもの、および本発明の原理および概念の局面を理解しやすいと思われるものを提供するためだけに示すものであることを強調しておく。この点に関して、本発明の基本的理解に必要である以上に本発明の構造的詳細を示す試みは一切しておらず、図面を用いた説明は、本発明のいくつかの形態が実際にどのように実施できるのかを当業者に明らかにするものである。
【０１２４】
【図１】先行技術の共焦点蛍光顕微鏡の概略斜視図である。
【図２】本発明の実施形態に係る超解像の蛍光顕微鏡法の概略図である。
【図３】本発明の実施形態に係る円錐型回折モジュールの組み立てを示す簡易概略図である。
【図４】共焦点顕微鏡法および方法論を用いる、本発明の実施形態による２つの測定模範の概略図である。
【図５】顕微鏡法プラットフォームＳＲＣＤＰを用いた測定方法の特定の実施態様の概略図である。
【図６】本発明の実施形態に係る横方向超解像モジュールの簡易概略図である。
【図７】偏光子の入射偏光および出射偏光に係る円錐型回折モジュールの配光分布表であり、円錐回折パラメータρｏのいくつかの値を示す図である。この配光分布は、Ｂｅｒｒｙ［４］が開発した式のシミュレーションで計算したものである。
【図８】本発明の実施形態に係る縦方向超解像モジュールを示す簡易概略図である。
【図９】本発明の実施形態に係る蛍光色素分子データの超解像アルゴリズム方法を示す簡易概略図である。
【図１０】ディスクリプタの計算を示す簡易概略図である。
【図１１】プラットフォームＳＲＣＤＰの制御モジュールを示す簡易概略図である。
【０１２５】
全図面を通して、同じ参照符号は同じ部分を指す。
【発明を実施するための形態】
【０１２６】
定義および技術的補足
位相および偏光、偏光測定、ジョーンズベクトルおよびジョーンズマトリクス、ストークスパラメータならびにストークスパラメータおよびジョーンズパラメータの測定技術を説明するために、通常の定義を使用する。
【０１２７】
ファイバのＴＥＭ００モードおよび英語の用語「フォトニック結晶ファイバ（Ｐｈｏｔｏｎｉｃ  Ｃｒｙｓｔａｌ  Ｆｉｂｅｒ、ＰＣＦ）」および「ダブルコアフォトニック結晶ファイバ（ｄｕａｌ  ｃｏｒｅ  Ｐｈｏｔｏｎｉｃ  Ｃｒｙｓｔａｌ  Ｆｉｂｅｒ）」に対して、本明細書では通常の定義を使用する。
【０１２８】
配光分布の中心またはセントロイドは、強度の重心である。配光分布の直径は、特異波の中心がゼロであることを考慮せずに、規則波と特異波の両方の強度が最初にゼロであるときの直径である。
【０１２９】
２つの配光分布は、その中心が一致しているか、その中心が光分布の寸法に対して小さい空間値の分だけ離れている場合は、同一位置にある。
【０１３０】
本明細書では、基本のメートル法として発光波長を使用する。
【０１３１】
本明細書では、以下の光学要素に対して通常の定義を使用する：光を伝送する、屈折するまたは反射するあらゆる光学手段を含めるように定義を拡張したレンズ、補助光学器械（他の２つの光学サブモジュールまたは光学モジュール間の幾何学パラメータまたは位相および／もしくは偏光のパラメータのいずれかを相互作用させ、調整するための光学サブモジュール）、偏光子、検光子、位相差板、偏光ビームスプリッタおよび非偏光ビームスプリッタ、偏光ビームコンバイナおよび非偏光ビームコンバイナ。
【０１３２】
本明細書では、方位角偏光子およびラジアル偏光子に対して通常の定義を使用する。暗示的または明示的に、方位角偏光子およびラジアル偏光子に関して後に記載するいくつかの展開を、空間的に可変のあらゆる偏光要素に広げる。
【０１３３】
本明細書では、誘導放出抑制顕微鏡法（ＳＴＥＤ）、基底状態抑制（ＧＳＤ）、光活性化ローカライゼーション顕微鏡法（ＰＡＬＭ）、確率的光学再構築顕微鏡法（ＳＴＯＲＭ）、構造化照明顕微鏡法（ＳＩＭ）、空間構造化照明顕微鏡法（ＳＳＩＭ）ならびにフェルスター共鳴エネルギー移動（ＦＲＥＴ）およびローカライゼーション顕微鏡法などの様々な超解像技術に対して、通常の定義［５］を使用する。
【０１３４】
本明細書では、「コンピュータ顕微鏡法」、「相関顕微鏡法」、「クロスプラットフォーム−顕微鏡法、ＦＣＳ（蛍光相関分光法）」、ＦＣＣＳ−「蛍光相互相関分光法」、またはＰＣＨ（フォトンカウンティングヒストグラム）、ＲＩＣＳ「ラスターイメージ相関分光法」またはＦＲＡＰ−「光退色後蛍光回復解析」などの標準改造または超解像、蛍光または非蛍光の顕微鏡法についての様々な技術に対して通常の定義を使用する。
【０１３５】
本明細書では、ハフ変換に対して通常の定義を使用する。
【０１３６】
本明細書において、部分偏光子とは、２つの直線偏光（線二色性）または２つの円偏光（円二色性）に対する吸収が異なる部品またはモジュールを意味する。
【０１３７】
偏光または位相の動的要素に言及して、偏光または位相が時間の経過とともに、制御された方法で離散的または継続的に変化する光学手段について説明する。
【０１３８】
これらの偏光または位相の動的要素は、以下のものを含むがこれに限定されない：軸周りを回転する波長板、液晶技術に基づくライトバルブ、ポッケルスセルやケルセルとしても知られる電気光学装置、共振型電気光学装置、ファラデーセルとしても知られる磁気光学装置、音響光学装置もしくは弾性光学装置またはこれらの手段を任意に組み合わせたもの。
【０１３９】
偏光状態が波長に依存する要素を説明するために、分散する偏光要素または位相要素に言及する。分散する偏光サブモジュールのうち最も簡易なものは、マルチモードまたは厚型の波長板である。
【０１４０】
「セントロイドアルゴリズム」という用語を用い、セントロイドおよび場合によっては配光分布の幅（ＦＷＨＭ、全幅半値）を測定するための標準的な手順を指すために用いる。このアルゴリズムに関しては、１９７８年の文献Ｌｉｎｄｅｇｒｅｎ［６］など、多くの文献が出版されている。
【０１４１】
このアルゴリズムの起源は、天文学および天文測定学であり、このアルゴリズムによって星の位置を高精度で測定することが可能になった。現在このアルゴリズムは、生物分野の超解像を含め、光学機器を扱う分野全体で使用されている。
【０１４２】
本明細書では、以下の光学電子部品に対して通常の定義が使用される：光電検出器、ＣＣＤ、ＥＭＣＣＤ、ＣＭＯＳ、ＳＰＡＤ（単一光子アバランシェダイオード）およびＳＰＡＤマトリクス。
【０１４３】
本明細書では、以下の用語を使用する：
・  光度の空間分布を表す光学画像、
・  光学画像によって特定の瞬間に検出面に作成されたＣＣＤの電荷の空間分布、ＣＭＯＳに対する電流の空間分布またはＳＰＡＤに対するイベントの空間分布を記述するための電子画像、
・  電子画像を変換して作成した数字のマトリクスを記述するためのデジタル画像。
【０１４４】
本文の読解および理解を簡易にするため、ＰＭＴまたはＳＰＡＤなどの単一画素検出器の出力に対する画像用語を使用し、これを単一画素からなる画像と考える。
【０１４５】
曖昧さが存在しない場合、または３種類の画像を区別する必要がない場合、一般の簡易な画像用語を使用する。
【０１４６】
本明細書では、ＣＣＤ、ＥＭＣＣＤおよびＣＭＯＳなどのマトリクス検出器に使用される専門用語を使用して画像を示した。ＳＰＡＤおよびＳＰＡＤアレイの場合、測定結果は、光子が与える影響を時系列に並べたリストであり、各々の光子が影響を与えた時間および位置を詳細に示すものである。本明細書の説明を簡易にするため、 この事例を画像の定義に含める。
【０１４７】
本明細書で説明する画像は、縮小像であり、典型的には直径が５未満である低数のエアリーディスク径、および／または低数の画素で、典型的には４×４から３２×３２の画素と実質的に等しいサイズの画像であるであると特徴付けてよい。
【０１４８】
デジタル画像Ａｊにおいて、添字ｍおよびｎは、画素指数を表し、画素の原点は、これ以降の段落で定義する解析分量の中心を照射する箇所として選択される。
【０１４９】
ストークスベクトルおよび偏光測定
偏光測定とは、入射光の偏光状態を測定することを指す。入射光の偏光状態は、１８５２年にジョージ・ガブリエル・ストークスが導入した一連の値であるストークスパラメータを用いて説明することができ、これは光学分野で使用される。
【０１５０】
２つの光ビームの共伝播
多くの光学系および光学装置では、特性の異なる２つ（以上）のビームを使用する。ビームは、相互に作用できるか、順次または同時に照射できるかのいずれかである。これらのほとんどのシステム（系）および装置では、２つの光路は物理的に互いに離れている。この物理的な分離により、システムの工学レベルで解決可能ではあるが一連の制約ができ、システムの複雑性およびシステムのコストが実質的に際立つ。共通光路を有するシステムとは、わずかな変化を除いて２つの別々のビームが物理的に同じ光路に沿って広がる一連の装置を指す。
【０１５１】
極座標における電場および角度モード
【数１】
2018156090.tif 000002
（式１）
【０１５２】
光学分野では、電場成分、すなわち直交座標モード、デカルト座標モードまたは極座標モードでの振幅、位相および偏光を分解することが通例である。
【０１５３】
ガウスモード、エルミートガウスモードおよびラゲールガウスモードなどの直交極座標モードでの多くの分解が、専門家に知られている。
【０１５４】
本明細書では、電場の振幅を次式の超幾何ガウス（Ｈｙｐｅｒｇｅｏｍｅｔｒｉｃ−Ｇａｕｓｓｉａｎ  ｍｏｄｅｓ、ＨｙＧＧ）で分解する方法を主に使用する：
【数２】
2018156090.tif 000003
（式２）
【０１５５】
2018156090.tif 000004
【０１５６】
特異波
特異波は、中心の強度がゼロであり、方位角位相が２πの倍数分変動する。光学分野におけるこの研究テーマは、１９７４年にＪ．ＦＮｙｅおよびＭ．Ｂｅｒｒｙによる重要文献［７］が最初であり、現在は「特異光学（ｓｉｎｇｕｌａｒ  ｏｐｔｉｃｓ）」として知られている。規則波 および特異波の例を以下に説明する。
【０１５７】
トポロジーおよび小規模な配光分布
以下に定義する小規模（コンパクト）であることの条件のうちの１つを満たせば、点光源の配光分布は小規模と考えられ、以下は、二者択一で非排他的な２つの条件である：
エアリー半径の１．７５倍未満の半径の円にエネルギーの７５％超が含まれる、あるいは
強度ゼロのラインで規定されエネルギーの６５％超を含む光の範囲が、エアリー半径の２倍未満の半径の円内にある。
【０１５８】
トポロジーの異なる点状の配光分布の様々な群を以下のように区別する：
光学分野で通常定義される規則分布。
2018156090.tif 000005
【０１５９】
２つの小規模な配光分布は、以下の条件のうち任意の少なくとも１つを満たせば、異なるトポロジー群とみなされる：
−  一方が規則的、他方が特異的である。
−  一方が点光源、他方がリング光源である。
2018156090.tif 000006
【０１６０】
あるいは、特定の分量に照射された２つの配光分布は、一緒に照射された面積の相当な部分で勾配が逆方向であれば、トポロジーが異なると考える。
【０１６１】
発光ナノエミッタ
発光ナノエミッタとは、物体に付着した小さな二次発光体であり、波長の一部分よりも遙かに小さく、典型的には波長の５分の１よりも小さいサイズだがこれに限定されない。発光ナノエミッタは、入射エネルギーを吸収し、入射光と同じ波長または異なる波長で再度光を放出する。ナノエミッタが放出する光は、コヒーレント、部分的にコヒーレントまたは吸収光とインコヒーレントであってよい。ナノエミッタの主な例は、蛍光色素分子およびナノ粒子だが、その他多くの素子も含まれる。
【０１６２】
本発明の内容におけるナノ発光体の定義は、以下の２つの条件によって決定される：
−  点光源の二次発光体を形成すること、および
−  人工的実体、生物学的実体または有機実体に対して発光体を所定位置に置くこと。
【０１６３】
ナノエミッタを形成できる物理的機構は多数あり、この機構には、吸収、散乱または反射、蛍光、放出抑制［８］、光活性化現象、２つ以上の光子の蛍光、もしくは非弾性散乱、ラマン散乱、または専門家に公知のその他の物理的機構が含まれるがこれに限定されない。発光ナノエミッタによる電磁波の放出を説明するのに、光の放出という用語を使用し、この光は、コヒーレント、インコヒーレントまたは部分的にコヒーレントである。
【０１６４】
生物学的実体または有機実体に付着する吸収性または反射性の散乱粒子を含めて、ナノエミッタの定義を拡張する。散乱粒子、拡散粒子、反射粒子または吸収粒子が電磁場に対して起こす行動を、バビネの原理に従って、粒子から出射する補助的な二次フィールドで、入射電磁場に重なるフィールドの逆位相を用いて形成するように、吸収粒子に対して実際に説明することができる。
【０１６５】
本特許明細書では、単一のナノエミッタの複数のディスクリプタとは、特定の瞬間の点光源としてのナノエミッタを説明する一連の情報を指す。ナノエミッタは点光源であると考えられるため、ナノエミッタを表す情報はすべて、限定数のパラメータを含み、そのパラメータとはすなわち、ナノエミッタの空間内の位置、ナノエミッタの強度、ナノエミッタの強度のスペクトル特性、コヒーレンス、入射光に応じて蛍光色素分子が放出する光の位相および偏光である。
【０１６６】
本明細書では、構造物体のディスクリプタに言及する。例えば、均一な線の場合、その線を表す情報にはすべて、限定数のパラメータ、すなわち空間内での線の向き、線の強度、入射光に応じて物体が放出する光のスペクトル、強度、コヒーレンス、位相および偏光の特徴が含まれる。
【０１６７】
連続分布の場合、物体は、通常通り強度的リスクによって画像処理の際に表される。
【０１６８】
しかしながら、 ほとんどの場合、および本発明の記載では、ディスクリプタという名称を用いる場合は、ナノエミッタの複数のディスクリプタからなるサブセットを指し、このサブセットには、例えば発光スペクトルで区別される発光ナノエミッタのいくつかの個体が同じ試料内にあるときの蛍光色素分子の幾何学的位置、蛍光色素分子の強度、および蛍光色素分子の種類が含まれる。明細書内で用いるこのような簡易化によって、本発明の範囲が変化することはなく、本発明は、 発光ナノエミッタのディスクリプタすべてをその範囲内に含める。
【０１６９】
本発明の内容を理解しやすくするため、 以下の説明では最も簡易な事例のみに言及し、この事例でのナノエミッタは蛍光色素分子であり、物理的な相互作用は、１つの光子を有する蛍光である。しかしながら、本明細書は、根底にある物理的現象がいかなるものであっても、以前に言及したまたは専門家に公知のあらゆる発光ナノエミッタに適用できる方法および概念の一般的記載を簡易化した説明であると解釈されるべきである。
【０１７０】
注目すべきは、ナノエミッタは、入射強度の空間分布全体に影響を及ぼすことなく、正確に３次元の位置で入射光度またはフィールドをサンプリングする点である。本明細書では、この注目すべき特性を発光ナノエミッタのサンプリング能力という。
【０１７１】
しかしながら、記載した本発明の好適な実施形態では、発光ナノエミッタのサンプリング能力がない構造物体および連続分布も測定する。
【０１７２】
再度図１を参照する。この図は、所与の生体上に設置された一連のナノエミッタまたは構造物体を表し、一方が１５および１６、他方が１７および１８である。また、放出される光は、連続分布（図１に示していない）からなるものであってもよいし、ナノエミッタ、構造物体または連続分布を任意に組み合わせてなるものであってもよい。この一連のナノエミッタ、構造物体または連続分布を一連の「明るい生体」と称し、これらは、アルフレッド・コージブスキーが一般意味論で定義した意味での生物体のマップ（地図）を表す。しかしながら、説明を簡易化するために、一切の曖昧さが生じ得ない場合は、この生体を光を発する生体として呼ぶことが通例である。光を発する生体は、その生体に関する情報を含んでおり、その情報とは主に、例えば細胞を２つに分割する場合の時空間情報、時間に対するこの生体の位置および向き、ならびに形態学的情報である。
【０１７３】
本発明の少なくとも１つの実施形態による測定系は、測定した地図を計算し、ナノエミッタ、構造物体を任意に組み合わせたもののディスクリプタの評価、または連続分布の空間分布の評価を実行する。測定したこの地図は、ノイズ、測定条件、系の限界または測定の不確かさが原因で、元の地図とは異なるものである。測定した地図のこの情報地図は、後に様々なレベルの抽象化に発展させることができる。直接的な測定の結果を示すこの第１の抽象化レベルは、一見して生物情報を含んでいないように見えるが、ナノエミッタ、構造物体または連続分布によって描かれる物理的な測定の結果であり、この結果は、標識した任意の実体であってもよい。
【０１７４】
幾何学的抽象化レベルである第２のレベルでは、構造物体または連続分布のナノエミッタを 幾何学的物体の形態に構築する。このレベルでは、発光物体およびその位置や向きなどの動的特性またはその形態についての描写が含まれる。このレベルでは、情報は依然として物理的なものであり、一連の物体を描写する幾何学情報である。幾何学情報は、測定した地図および潜在的にはシステムに無関係の補助的情報を、光スポットと物体との関係に対して使用する。
【０１７５】
生物的抽象化レベルによって、測定した物体とその生物学的実体との構成上の関係を通して、生物学的事実をある程度理解することが可能になる。これには、生体に関する一連の情報、主に位置およびその動作、その形状ならびに形態が含まれる。生物情報は、 測定した地図および幾何学情報ならびに潜在的には光学系に無関係の補助的情報を、光スポットと生物学的実体を含む物体との関係に対して使用する。このレベルでは、試料の生物的機能性に関する数々の結論を得ることができる。
【０１７６】
機能的抽象化レベルによって、生物学的事実を理解することが可能になる。このレベルは、幾何学的情報とは相関のない機能情報からなり、「ウイルスは細胞に侵入したか」など、生物学の用語および専門用語を用いた質問に応答するものである。
【０１７７】
情報についての追加のレベルを、制御および器械使用プロセスを含めて規定してよい。実際、さらに構造化した生物情報に到達するために、データ取得プロセスを自動化することでさらに発展した制御および器械使用プロセスを規定してよい。このようなプロセスの一例が、Ｓｔｅｖｅｎ  Ｆｉｎｋｂｅｉｎｅｒにより「Ｒｏｂｏｔｉｃ  Ｍｉｃｒｏｓｃｏｐｙ  Ｓｙｓｔｅｍｓ（ロボットによる顕微鏡法システム）」［９］という名称で記載されている。
【０１７８】
本明細書に規定している抽象化レベルについてのこの記載は、簡易化のために、生物学用に修正されている。この記載は、必要な変更を加えて、あらゆる視覚分野、生物学および医学分野、人工および産業分野に適用できる。
【０１７９】
円錐回折
円錐回折または円錐屈折とは、１８３２年にハミルトンが予測し［１０］、２ヶ月後にロイドが実験で確認した［１１］光学現象である。円錐回折は、２軸結晶の光軸方向に入射した光ビームの伝搬を描くものである。
【０１８０】
実際、２軸結晶では、光軸は、結晶軸ｘおよびｚによって形成される面に位置している。軸ｚに対する角度はθ０であり、これは以下の法則に従って３つの屈折率によって異なる。
【数３】
2018156090.tif 000007
【０１８１】
ハミルトンは、光が光線からなる中空の円錐形で出射することを予測した。円錐回折は、科学の歴史において重要な段階であり、電磁波の理論を証明する役割を果たした。
【０１８２】
２０世紀末の数年に再び 円錐回折への関心が高まり、ベリー（Ｂｅｒｒｙ）らが学説を完成させ［４、１２、１３］、２００９年に実験で証明された［１４］。ここで、ベリーの理論、専門用語および定義について見ていくが、これには物理的作用の名前の変更も含まれ、この点からさらに厳密な円錐回折という用語を使用する。
【０１８３】
しかしながら、「円錐回折」という用語はここに記載する技術とは関係のない他の２つの技術に対しても使用される点に注意することが重要である。
・  斜めに入射する回折は、円錐回折とも呼ばれる。
・  「円錐回折の取り付け」とは、回折ネットワークを取り付けることであり、この場合ネットワークは湾曲面に取り付けられる。
【０１８４】
円錐回折は、理論的かつ実験的に著しい関心を呼んだが、「現実的な用途は一切発見されなかった」［１５］。
【０１８５】
歴史的に、円錐回折は、２軸結晶で観察されたものである。無機質または有機質の２軸結晶を説明するために円錐形結晶に言及して、円錐回折の現象について記載する。２軸結晶の非限定的な例のなかには、アラレ石、ＫＴＰ、ＫＴＡ、ＫＢｉＷ、ＬＢＯ、ＫＮｂＯ３、ＭＤＴ、ＹＣＯＢ、ＢＩＢＯ、ＤＡＳＴ、ＰＯＭ、ＮＰＰ、ＬＡＰ、ＬｉＩｎＳ２およびＬｉＩｎＳｅ２がある。
【０１８６】
他に、本質的により弱い円錐回折効果を形成する効果または短い光路に沿って円錐回折を形成する効果が存在する。これらの効果には、ポリマー、液晶および外部から誘導された複屈折効果が含まれる。ポリマーには、延伸ポリマーシートおよびカスケード重合［１６］などが含まれるがこれに限定されず、液晶には、サーモトロピック２軸性ネマチック相［１７］などが含まれるがこれに限定されず、誘導された複屈折の外部効果には、電気光学効果を形成する電場を中心対称性ではない立方晶系結晶に印加すること［１８］、および光弾性変調器、［１９］などが含まれるがこれに限定されない。
【０１８７】
円錐回折によって形成された渦の位相は、幾何学的位相であり、したがって、本質的に無彩色である。
【０１８８】
色彩による新たな効果は、光軸が分散すること、および波長に応じて円錐回折の方程式中にある様々なパラメータに依存することである。
【０１８９】
光軸の色分散は、波長に応じて系の光軸に対して結晶の光軸の角度を形成する。これは、ほとんどの場合、屈折率のばらつきによるものである。
【０１９０】
波長率は、波長によって異なり、セルマイヤー方程式に従う。したがって、光軸の角度は、波長に応じて変化し、結晶軸ｘおよびｚによって形成される面に色による光軸の傾斜角を形成する。
【０１９１】
これは、結晶の種類に大きく依存する。可視スペクトルで最も利用できる無彩色の結晶であるＭＤＴ結晶では、光軸の方向変化は０．１度未満で、５４０ｎｍから７００ｎｍの間である。電気通信のＩＲで最も無彩色の結晶であるＫＴＰ結晶では、角度変化は０．０５度で、１，３５０ｎｍから２，１００ｎｍの間であり、電気通信枠では０．０２度未満、１４５０ｎｍから１６５０ｎｍである。一方、θ０は、ＤＡＳＴなどのいくつかの有機結晶では波長に応じて大きく変化することがある。
【０１９２】
光軸の色分散の補償は、幾何学的器械を使用して実行できる。光軸方向の色分散は、ガラスまたはその他の光学材料の自然分散を利用するか、ネットワークまたはプリズムを利用して補償できる。無彩色化する手順は、この場合、幾何学器械に対して何らかの色収差を補正する標準の手順と変わらない。この手順は、市販の光学ソフトウェアパッケージのうちの１つを使用し、標的とする適切な機能を決定して計画し、最適化できる。
【０１９３】
別の無彩色化の概念は、色分散が強い場合と弱い場合とで逆の円錐回折の作用が起こる２つの異なる材料を使用することに基づいている。
【０１９４】
波長に応じて円錐回折の方程式中にある様々なパラメータへの依存は、円錐回折作用の効果のパラメータを変えるものである。
【０１９５】
後に定義する円錐線形結晶の場合、基本的な伝達関数は同じであり、明らかに波長とは無関係である。渦の伝達関数は、τ（λ）に等しい色効果の要因として示すことができる。
【０１９６】
後に定義する正弦曲線の円錐形結晶の場合、円錐線形結晶とは挙動が異なる。基本波は波長によって異なり、渦波は波長とはほとんど無関係である。実際、シミュレーションから、渦波の形状は、パラメータθ０が０．５から０．７５に変化した分わずかに変化しているだけであることがわかる。逆に、基本波の形状は波長によって異なり、この作用は、基本波と渦波との２つの波を利用する系を設計する際には考慮しなければならない。
【０１９７】
次に、本発明の実施形態に係る円錐型回折モジュール３００の構成の簡易概略図である図３を参照する。
【０１９８】
入射光３０は、平行であると仮定するが、単純な光学手段を用いて他の状態に適応させてもよい。構成自体は、第１のレンズ３１、円錐形結晶３２および光学レンズ３３を備える。２つの第１のレンズ ３１および３３は、倍率１倍のケプラー望遠鏡の形態で構成されることが好ましい。以下にＵ０で表記する像空間内の第１のレンズ３１の開口数は、以下に定義する円錐半径を介して円錐（回折）効果のパラメータを決定するものである。第１のレンズ３１の焦点面には円錐の結像面３５が配置され、前述の部分偏光子部２９も加えられてよい。焦点レンズ３６は、最終光スポットの規模を決定する。焦点レンズは、外部の顕微鏡対物レンズであってもよいし、または本発明のもう１つの実施形態で実施されるように、第２のレンズ３３と一体化したものであってもよい。試料に照射される光の分布は、ベクトル効果を無視した状態の一次近似では、像面内の配光分布が縮小した像である。ベクトル効果の影響については以下で考察する。縮尺比率は、顕微鏡対物レンズに対してその倍率によって決定される。
【０１９９】
円錐の結像面での空間変数をＲとし、波のベクトルをＵとし、これらを円筒座標ではＲ，θＲおよびＵ，θＵと表し、光の波長をλとする。
【０２００】
円錐形結晶３２から出射する電場の挙動は、単一のパラメータである円錐半径Ｒ０によって全体的に特徴付けられる。この円錐半径は、結晶の材料および厚みによって異なる。
【０２０１】
配光分布について以下で説明するために、標準のパラメータをスカラー回折理論の限界に取り入れて、顕微鏡対物レンズの円錐の結像面と焦点との両方で有効になるようにする。
【０２０２】
円筒座標でρ，θＲおよびｕ，θＵと表される、正規化した半径位置ρ０、正規化した波数ベクトルｕ、正規化した円錐半径ρ０は、次式から得られる。
【数４】
2018156090.tif 000008
（式３）
【数５】
2018156090.tif 000009
（式４）
【０２０３】
Ｕ０は、システムの開口数である。ρ０＜２の場合、ここでは薄型の円錐形結晶を指し、ρ０＜１の場合、ここでは線形で薄型の円錐形結晶の形状を指し、ρ０＜０．５の場合、薄型で正弦曲線の円錐形結晶を指す。
【０２０４】
薄型円錐の結晶から出射する波は、正規化座標ではＥ（ρ，θＲ）と表され、２つの波を積層して構成され、この２波は、本明細書では規則波である基本波ＥＦ（ρ）、および特異波である渦波ＥＶ（ρ，θＲ）を指す。この２波は、互いにコヒーレントであり、同一位置にあり、円偏光であり、キラリティが逆方向である。
【数６】
2018156090.tif 000010
（式５）
【数７】
2018156090.tif 000011
（式６）
【０２０５】
この式において、ＥＦ（ρ）は、基本的なスカラー振幅であり、ＦＶ（ρ）は、渦が縮小したスカラーの大きさであり、両者は次式から得られる。
【数８】
2018156090.tif 000012
（式７）
【０２０６】
薄型で線形の円錐形結晶の場合、基本波は、エアリーディスクによって近似されることができ、渦波は、次式で表される線形の渦に近似されることができる。
【数９】
2018156090.tif 000013
（式８）
【０２０７】
部分偏光子２９の動作が、パラメータαを用いた渦波のスケーリングであると仮定すると、ストークスパラメータを上記の式から推定することができ、βは直線偏光の角度である。
【数１０】
2018156090.tif 000014
（式９）
【０２０８】
発光体の送信の波長または反射の波長で、各々の次元でのサイズが３波長よりも小さい分量に位置する１２個未満の発光体のような一連の発光点を説明するために、「スパースオブジェクト（スパースオブジェクト）」という用語を使用する。スパースオブジェクトを含むサイズが３波長未満の分量は、サイズの小さい解析分量を指す。
【０２０９】
点状であるか連続している一連の発光体を説明するために連続物体という用語を使用し、これは、スパースオブジェクトの定義において前述した条件を満たしていないものである。
【０２１０】
次に、共焦点顕微鏡における量的閉じ込めの概念を示す簡易図である図４ａから図４ｃを参照する。
【０２１１】
量的閉じ込めの機能は、３つのいずれの空間次元においても、試料の観察領域を可能な限り小さい分量の解析分量に限定することである。量的閉じ込めの機能は、２つの効果を組み合わせることによって解析分量を限定するものである。その効果とは、小さい面積、理想的にはエアリースポット５０のサイズの面積に照射光を閉じ込めること、および図２の共焦点ピンホール２８によって焦点のずれた光を取り除くことである。この２つの効果を重ね合わせると、小さい分量の解析分量６０ができる。この分量は、システムが検出する基本細胞のサイズを決定するものである。
【０２１２】
５３から５９の 複数のナノエミッタからなるスパースオブジェクトまたは連続物体５１について考える。試験的分量６０内に位置決めした５３から５５までのナノエミッタは、これらのみが光源によって励起されると同時に、このナノエミッタによって放出される光子は検出器モジュールに到達する。照明する円錐部５６および５７内にはないナノエミッタは、入射光に照明されない。図２の共焦点ピンホール２８の共役面にあるナノエミッタ５８および５９によって放出される光は、ほぼ全体的に図２の共焦点ピンホール２８によって遮断される。
【０２１３】
図４ｃのシステムに、２つの異なるデカルト座標を定義する。
符号「ｉ」：符号「ｉ」を付した軸は、解析分量６１の中心を中心とする基準デカルト座標系を表す。
【０２１４】
符号「ａ」：符号「ａ」を付した軸は、離散点６２と考えるナノエミッタ上の各々の発光ナノエミッタに対する基準デカルト座標系を表す。
【０２１５】
後述する本発明のもう１つの実施形態を用いる場合、解析している試料に渦が照射されれば、渦の中心を一般に解析分量の中心と定義する。
【０２１６】
共焦点顕微鏡は、前述の量的閉じ込めを用いて解析分量を制限する。量的閉じ込めは、２つの効果を組み合わせることによって得られる。その効果とは、小さい面積、理想的にはエアリースポット５０のサイズの面積に照射光を閉じ込めること、および共焦点ピンホール４１によって焦点のずれた光を取り除くことである。この２つの効果を重ね合わせると、小さい分量の解析分量６０ができる。この分量は、光学系が検出する基本細胞のサイズを決定するものである。
【０２１７】
本発明の少なくとも１つの実施形態では、技術の基本的光学モジュールを作製するのに円錐回折を使用する。しかしながら、円錐回折に基づくモジュールを他の光学的概念に基づくモジュールで代用する代替実施態様で、同じ機能性を提供することが可能である。これらは、本発明の範囲内である。代替の光学的概念には、単軸結晶、波長格子、構造化されたレーザーモード、ホログラフィック部品およびその他の当業者に公知の技術などがあるが、これに限定されない。
【０２１８】
これらの概念、技術ならびに光学機器および光電子機器 は、例えばＤ．Ｇｏｌｄｓｔｅｉｎが執筆した書籍「Ｐｏｌａｒｉｚｅｄ  Ｌｉｇｈｔ」［２０］、「Ｈａｎｄｂｏｏｋ  ｏｆ  Ｃｏｎｆｏｃａｌ  Ｍｉｃｒｏｓｃｏｐｙ」［２１］、「Ｈａｎｄｂｏｏｋ  ｏｆ  Ｏｐｔｉｃｓ」［２２］に記載されている。
【０２１９】
光学セマフォ
本発明のこの実施形態では、光の特性に応じて入射光を様々なチャネルまたは検出器に通すことのできる光学受動素子または能動素子を説明するために、光学セマフォという用語を使用する。最も簡易な事例は、光を波長に応じて２つのチャネルに分割する二色性のブレードである。
【０２２０】
本発明のこの実施形態では、光を発光点の位置に応じて通す光学セマフォを説明するために、「位置依存光学セマフォ（Ｐｏｓｉｔｉｏｎ  Ｄｅｐｅｎｄｅｎｔ  Ｏｐｔｉｃａｌ  Ｓｅｍａｐｈｏｒｅ、ＰＤＯＳ」という用語を使用する。ＰＤＯＳは、各チャネルまたは検出器ｉに対して、基準分量の発光体の位置（ｘ，ｙ，ｚ）に依存する一連の伝達関数Ｔｉ（ｘ，ｙ，ｚ）によって決まる。ＰＤＯＳの次数は、チャネルまたは検出器の数になる。ＰＤＯＳは、伝達関数Ｔｉ（ｘ，ｙ，ｚ）の和が解析分量の単位と等しい場合、解析分量の「損失がなくなる（英語でロスレス）」。
【０２２１】
Ｍｉｎｓｋｙ［２３］が記載している共焦点ピンホールは、本発明のこの実施形態では、退化した次数１のＰＤＯＳであるとみなす。
【０２２２】
ほとんどの場合では、ＰＤＯＳの依存は、横の位置と縦の位置との複合関数である。しかしながら、本発明の実施形態では、光を発光点の縦位置に応じて通す光学セマフォを説明するために、「縦位置依存光学セマフォ（Ｌｏｎｇｉｔｕｄｉｎａｌ  Ｐｏｓｉｔｉｏｎ  ｄｅｐｅｎｄｅｎｔ  Ｏｐｔｉｃａｌ  Ｓｅｍａｐｈｏｒｅ、ＬＰＤＯＳ」という用語を使用する。ＬＰＤＯＳは、各チャネルまたは検出器ｉに対して、基準分量の発光体の縦位置（ｚ）に依存する一連の伝達関数Ｔｉ（ｚ）によって決まる。ＰＤＯＳの次数は、チャネルまたは検出器の数になる。ＬＰＤＯＳは、伝達関数Ｔｉ（ｚ）の和が解析分量の単位と等しい場合、解析分量の「損失がなくなる（英語でロスレス）」。ＬＰＤＯＳは、系の横の範囲を限定する絞りに連結されていることが多い。
【０２２３】
光ファイバによる伝送
光ファイバの主要な使用法は、ＴＥＭ００モードのみを伝送することである。しかしながら、光ファイバのいくつかの構成は、フォトニック結晶ファイバ（Ｐｈｏｔｏｎｉｃ  Ｃｒｙｓｔａｌ  Ｆｉｂｅｒ、ＰＣＦ）」と呼ばれるファイバに基づくものが主だがこれに限らず、これによって、渦度が２以下である渦モードを含むさらに複雑なモードを、同時または同時ではなく伝送できる［２４］。したがって、光ファイバを用いた円錐回折によって形成された光学分布を排除して、光学系を動的に簡易化することが可能になる。
【０２２４】
光ファイバを用いた円錐屈折によって形成された光学分布を排除する可能性により、本発明の実施形態を多くの新たな用途に適用でき、例えば、限定はしないが胃や消化器の観察のほか、結腸および尿路の観察である。
【０２２５】
また、いくつかのファイバ、「ダブルコアフォトニック結晶ファイバ」［２５］によって、２つのモード間の相互作用が可能になり、そのうちの１つは渦モードであり、別の物理的機構を提供して多様な伝達関数を形成する。
【０２２６】
複数の波長の測定
本発明の実施形態では、物体を単色の光で照明でき、例えば普通のレーザまたは単色ランプを用いる。この構成は、系の主なパラメータの１つが固定されていて明確に決定されるため、単純である。しかしながら、本発明の他の実施形態では、例えば複数のレーザを用いて離散的に、あるいは例えばスペクトルがより広いランプまたはレーザを用いて連続的に、物体を複数の波長で照明することもできる。
【０２２７】
多くの既存の超解像システムでは、複数の波長で同時にまたは順に測定する。実際、同様の要素または異なる要素を、識別して分離できるようにスペクトル反応の異なる蛍光色素分子で標識することが可能である。以下の２つの異なる事例を示すことが重要である。
−  ２つの異なる波長で発光し、同じ波長で励起する蛍光マーカーを使用する。
−  ２つの異なる波長で発光し、２つの異なる波長で励起する蛍光マーカーを使用する。
【０２２８】
２つの異なる波長で発光し、同じ波長で励起する蛍光マーカーを使用する事例では、１つの波長の測定値を２つ目の波長の測定値に対して再較正する問題が本質的に存在しないことに注意されたい。なぜなら、超解像の位置情報は、全く同じ光の照射から導かれるからである。
【０２２９】
これによって、２つの異なる波長で蛍光色素分子の位置を正確に相対的に較正でき、実験的な較正システムのみによって制限され、波長の異なる２つの像間で再較正するという主な問題がなくなる。
【０２３０】
円錐回折に基づく光学系を無彩色化する可能性により、共通光路を有する光学系を多くの用途に実装する、特に記載した本発明の実施形態に実装するための選択手段ができる。
【０２３１】
無彩色化は、単軸結晶に基づく光学系に対しても可能であるほか、本発明のほとんどすべての代替実施形態に対しても可能であり、そのいずれにも実質的な複雑さは多少なりとも大きい。
【０２３２】
その他の既存の蛍光系では、スペクトル内容がより広い光を使用して人工物を減らし、主にスペックルの作用を減らす。
【０２３３】
同じく、蛍光タンパク質のスペクトル特性により、フェルスターのエネルギー移動技術−フェルスター（蛍光）共鳴エネルギー移動（ＦＲＥＴ）を利用して、分子細胞間が相互作用するポテンシャルを測定する。
【０２３４】
非線形相互作用
材料中で起こる２つの光ビーム間の非線形相互作用が、例えばＨｅｌｌ［８］やＳｃｈｅｒｍｅｌｌｅｈら［３］が記載している超解像法である。これらの非線形相互作用には、２つの光子が相互作用する現象、ＳＴＥＤまたはＧＳＤ技術が基となる放出抑制効果、および確率的で自然な技術が基となる光活性効果、あるいは補足的な光学ビームによって起こる「確率的な点滅」、ＰＡＬＭおよびＳＴＯＲＭなどの作用があるが、これに限定されない。
【０２３５】
情報
先験的情報および補足情報
記載した本発明の実施形態により、記載した光学プラットフォームまたは文脈上のプラットフォームの外部にある追加情報を組み入れて統合し、引用した抽象化レベル（地図、幾何学的な抽象化レベル、抽象化の生物学的レベルおよび抽象化の機能レベル）のうちの１つに対して試料から得た情報の精度を向上させることができる。
【０２３６】
さらに全体的には、スペクトルの多様性、複数の波長で得られた情報、偏光の多様性、および様々な状態の偏光を照射して得られた情報で、利用可能な情報の範囲が拡大する。
【０２３７】
例えば渦がゼロの場合にエネルギーがないという事実は、適切な情報であり、光子数に関する情報を「コスト」なしに取得する新たな可能性に道を開くものである。この状況は、例えば自家蛍光のような低蛍光現象を検出するために非常に重要である。
【０２３８】
ここで、光学的な積分情報の概念を取り入れるが、この情報は、光学測定から回収するか、観察者が所与の視点からターゲット上の電磁波によって回収できるものである。この情報は、位置に関連する物体についての多くのパラメータ、物体を構成している材料、物体の温度、または物体の向きを含む。
【０２３９】
一方、光学的な積分情報には、観察射へ向かう光路がない物体、例えば不透明なケース内に設置された要素の領域に関する情報、または光学転写を含まない物理的情報は含まれない。
【０２４０】
超解像測定および回折限界
光学器械は、回折限界を通してどのような光学系の解像度も本質的に限定していると長年考えられていた。超解像技術の登場により（様々な分野で、様々な名称で）、様々な手段によってこの回折限界を超えられることがわかってきた。
【０２４１】
基本波が形成した配光分布の重心で渦を照射して、強度が同じである２点の存在を検出するような本発明に記載した実施形態は、先験的な解像に限定されず、理想としては（無限数の光子を用いて）そのような解像度も得られ、これについては後に特殊な事例で説明していく。
【０２４２】
頭字語 頭字語
本明細書では、本発明の好適な実施態様に対して特異的なプラットフォーム、モジュールおよび光学系の名称として、「Ｓｕｐｅｒ  Ｒｅｓｏｌｕｔｉｏｎ  ｕｓｉｎｇ  Ｃｏｎｉｃａｌ  ｄｉｆｆｒａｃｔｉｏｎ（円錐回折を用いた超解像）」の頭字語ＳＲＣＤを使用する。
【０２４３】
本明細書では、「Ｐｒｏｊｅｃｔｅｄ  Ｓｅｑｕｅｎｃｅ  ｏｆ  Ｉｎｔｅｎｓｉｔｉｅｓ  ｗｉｔｈ  ｖａｒｉｏｕｓ  Ｔｏｐｏｌｏｇｉｅｓ（様々なトポロジーの一連の照射強度）」の頭字語ＰＳＩＴを使用する。
【０２４４】
本明細書では、「Ｐｏｓｉｔｉｏｎ  Ｄｅｐｅｎｄｅｎｔ  Ｏｐｔｉｃａｌ  Ｓｅｍａｐｈｏｒｅ（位置依存光学セマフォ）」の頭字語ＰＤＯＳを使用する。
【０２４５】
ＳＲＣＤＰプラットフォーム、つまり「円錐回折を用いた超解像プラットフォーム」は、測定方法論を実施し、円錐回折に基づく光学モジュールを使用する顕微鏡法用のプラットフォームである。ＳＲＣＤＰプラットフォームは、測定方法論の好適な実施態様である。
【０２４６】
本明細書では、本発明の好適な実施態様に対するＰＳＩＴ方法を実施する光学モジュールの名称として、頭字語ＬａｔＳＲＣＳを使用する。
【０２４７】
本明細書では、本発明のＰＤＯＳ方法の好適な実施態様を実施する光学モジュールの名称として、頭字語ＬｏｎｇＳＲＣＳを使用する。
【０２４８】
本発明のいくつかの実施形態には、新規な測定方法論、つまり本測定方法論、ならびに体系的アルゴリズム方法、ハードウェアツール、ソフトウェアツールならびにこれを実施するためのアルゴリズムからなる一連の整合性を持つものが含まれる。
【０２４９】
実施形態に係る測定方法論によって、ナノサイズの光学データおよび超解像の像を取得することができる。本測定方法論は、原則的に、ナノエミッタで標識した超解像生体試料データの測定に使用されるものだが、これに限らない。
【０２５０】
本発明のこの実施形態による測定方法論は、以下に記載する様々な測定方法およびアルゴリズム処理方法を用いて実施できる。とりわけ、本測定方法論は、ＰＳＩＴおよびＰＤＯＳと称する２つの新規な補足的測定方法を同時にまたは別々に用いて実施できる。
【０２５１】
本発明のいくつかの実施形態は、ＰＳＩＴ測定方法およびＰＤＯＳ測定方法を用いる測定方法論を実施する系（顕微鏡法に対するプラットフォーム、ＳＲＣＤＰプラットフォーム）にも関する。ＳＲＣＤＰプラットフォームは、本測定方法論の好適な実施態様である。
【０２５２】
以下に詳細に記載するＳＲＣＤＰプラットフォームは、主に、顕微鏡に搭載された２つのハードウェアモジュールである新規かつ補足的な２つの光学モジュール、つまり光学モジュールＬａｔＳＲＣＳとＬｏｎｇＳＲＣＳ、および超解像した試料の情報を再構築するアルゴリズムモジュールＳＲＣＤＡを備える。さらに、 ＳＲＣＤＰプラットフォームは、改良型検出モジュール、システムの制御モジュール、およびソフトウェア基盤を有する。
【０２５３】
本測定方法論では、ＰＳＩＴ方法とＰＤＯＳ方法の両測定方法を使用する。しかしながら、用途によっては両方法を使用する必要のないものがあり、その場合は、本発明の範囲内である簡易化した本測定方法論に言及する。
【０２５４】
本発明のいくつかの実施形態は、ナノエミッタ分布およびナノエミッタを測定し、ナノエミッタを２次元または３次元でモニタリングするための本測定方法論を使用する方法にも関する。
【０２５５】
さらに、本発明の特定の実施形態は、本方法論ならびにＰＳＩＴ方法およびＰＤＯＳ方法、ＳＲＣＤプラットフォーム、光学モジュールＬａｔＳＲＣＳおよびＬｏｎｇＳＲＣＳならびにＳＲＣＤＡアルゴリズムの多数の実施変形例に関する。
【０２５６】
測定方法論の模範
Ｍｉｎｓｋｙ［１９］が記載し、上記で説明した共焦点顕微鏡の機能性は、３つの空間的次元において、試料の観察領域を可能な限り小さいサイズの解析分量となる分量に限定することである。
【０２５７】
当然その結果、共焦点蛍光顕微鏡では、読み出された情報は、単一の実体と考える解析分量全体に対する単一強度の値である。
【０２５８】
さらに明確に言うならば、解析分量内のナノエミッタの位置に関する詳細情報は、先験的に共焦点顕微鏡では入手不可能なものである。被照明分量内での一層の区別を可能にするような新たな光学情報を生み出すことはできないというのが、一般的な見解であった。
【０２５９】
次に、本発明の少なくとも１つの実施形態に係る測定方法論の模範を示す簡易な概念の図である図４ｄを参照する。本方法論の模範は、図４ａで概略的に示した蛍光共焦点顕微鏡の模範よりも遙かに目標の高いものである。
【０２６０】
図４ｄでは、顕微鏡対物レンズ２２の焦点面に試験的分量６０が設けられている。この試験的分量には、５３から５９のいくつかのナノエミッタからなるスパースオブジェクト５１が含まれる。本方法を実施するシステムの結果は、再構築されたスパースオブジェクト６３、ナノエミッタのリストおよびその特性リスト６４である。しかしながら、図４ｄでわずかな物体を使用することは例示的なものであり、必要な変更を加えてこの図で連続物体を表すことも完全に可能である。
【０２６１】
本発明の少なくとも１つの実施形態に係る方法を実施するシステムでは、共焦点顕微鏡法の寸法とほぼ同じ寸法である発光性の分量内で、いくつかのナノエミッタの特性を個別にかつ正確に回収することができる。この目的を達成するため、本発明のいくつかの実施形態に係る方法論は、時間と空間の両分野で、各々の被照明分量に対して大量の情報を光学的に形成するように設計される。
【０２６２】
本発明の一実施形態に係る本測定方法論の最新のプロセスは、５つの光学ステップ、１つの光電子検出ステップおよびアルゴリズムステップからなる７ステップに分割することができる。
【０２６３】
光学ステップ：
・  トポロジーの異なる一連の小規模な配光分布を解析分量に照射する。
・  ナノエミッタによって蛍光を放出する。
・  蛍光色素分子を焦点面上にイメージングする。
・  検出された反射光をいくつかの独立したチャネルに同時かつ／または連続的に分離する。
・  任意に、解析光の焦点面内に限定する。
【０２６４】
・  検出ステップ
点状またはマトリクス状の１つ以上の光検出器によって光度を検出する。
【０２６５】
アルゴリズムステップ：
・  検出された一連の像から、スパースオブジェクトを構成するナノエミッタのリストを再構築する。
または
・  検出された一連の像から、連続物体を構成する空間分布（または力学を考慮する場合は時空間）を再構築する。
【０２６６】
本発明のもう１つの実施形態によれば、本測定方法論は、第１の光学ステップまたは第４の光学ステップのいずれかを省略して、前述の光学ステップを実施することからなる。
【０２６７】
本方法論を実施する合成光学プロセスは、一連の照明および／またはチャネルの機能性および／または一連の照明の位置を測定データまたは外部情報に応じて変更することによって、システムの制御モジュールが制御する一連の光学測定プロセスを実行することを含む。本発明の一実施形態による方法論を実施する合成光学プロセスの一例を以下に詳述する。
【０２６８】
ＰＳＩＴ測定方法
本発明の１つの実施形態によるＰＳＩＴ測定方法では、トポロジーの異なる一連の配光分布を解析分量に照射する。
【０２６９】
ＰＳＩＴ測定方法では、以下の機能を実施する。
○  一連の放出、トポロジー群の異なる一連の小規模な配光分布を試料に照射する。
○  各々の小規模な配光分布に対して、
・  試料のナノエミッタによって発光する。
・  光学顕微鏡を用いて、光学画像を作成する。
・  光検出器で光学画像を取得し、デジタル画像を作成する。
【０２７０】
さらに詳細には、次の点に注意されたい：
一連の伝送は、トポロジー群の異なる少なくとも２つの点状配光分布からなる。
【０２７１】
一連の伝送は、ナノエミッタで標識した生体試料に照射される。各々のナノエミッタから出射する放出光は、各々のナノエミッタに対して、インコヒーレントの場合に光の強度に依存するか、コヒーレントの場合に電磁場に依存し、上記で考察したナノエミッタの前記光のサンプリング特性を有する発光ナノエミッタの３次元空間位置に入射する。
【０２７２】
試料に照射される一連の伝送の各々の配光分布パターンに対して、光学画像が形成される。一連の伝送のすべての配光分布に対応する一連の画像を、画像シーケンスと称する。
【０２７３】
この実施形態による ＰＳＩＴ方法により、主に横方向の情報、すなわち各々のナノエミッタの横方向の位置を取得することができる。
【０２７４】
好適な実施形態では、ＰＳＩＴ方法は、円錐回折によって形成され入射および出射の偏光状態が変化することによって修正される、トポロジーの異なる配光分布を照射することによって実施される。
【０２７５】
ＰＤＯＳ方法
本発明の一実施形態によるＰＤＯＳ方法には、ナノエミッタによって少なくとも２つの検出器の間に再放出された光を「光学セマフォ」で分布させることが含まれる。
【０２７６】
理想的には、光学セマフォの機能は、異なる領域にある異なる検出器に試験的分量を分離することである。実際には、光学セマフォは、発光ナノエミッタの空間位置および様々な検出器の様々な位置に応じて、各々の検出器に対して、発光ナノエミッタが放出した光の送出機能を生み出す。
【０２７７】
好適な実施形態では、ＰＤＯＳ方法は、焦点面内または焦点面を超えて存在するナノエミッタから出射する非コリメート光から、レンズの焦点面に位置するナノエミッタから出射するコリメート光を様々な検出器に分離するために実施される。
【０２７８】
その好適な実施形態におけるＰＤＯＳ方法により、実質的に縦方向の情報、すなわち各々のナノエミッタの縦方向の位置を取得できる。
【０２７９】
数学的には、本発明のいくつかの実施形態による方法は、空間内のナノエミッタの空間分布を、一連の画像からなる未処理情報に変換する送出機能を提供するものである。アルゴリズムは、逆の動作を実行する。すなわちアルゴリズムは、未処理情報内の一連の画像から空間内のナノエミッタの空間分布を再構築する。
【０２８０】
本発明の実施形態における情報
中間結果、生の情報は、検出ステップ終了時に得られる。生の情報は、一連の像Ａｏｐ（ｍ，ｎ）を含み、ｏは配光分布を表し、ｐは検出チャネルから得た像を表す。
【０２８１】
共焦点顕微鏡と同じように、測定プロセスでは、遙かに大きい物体内の小さい分量を解析する。したがって、共焦点顕微鏡のモジュールに似た追加のモジュールであって、走査プロセス、表面および／または３次元の物体の点データを統合し、解析し、可視化するソフトウェアモジュールを含むモジュールを追加する必要がある。
【０２８２】
数学的な面では、このアルゴリズムは、逆問題またはパラメータ推定を解決する。モデル式が知られており、ナノエミッタの構成には、助変数を表示したモデルまたはそうではないモデルが先験的に使用されている。最も自然なモデルは、少数のナノエミッタ（スパースオブジェクト）を仮定するものだが、１次元構造の存在（線、曲線）または特殊なパターンを仮定する連続モデルも使用してよい。よって、逆問題およびパラメータ推定を解決するための専門家に公知の数学的手法をすべて使用することができる。本発明の一実施形態による測定方法論に対して特別に適応させたアルゴリズムの一例を後述する。
【０２８３】
さらに、象徴的価値のために、 互いにわずかな距離を置いて位置する２点を区別する問題に対する新たな解決法を取り上げる。Ｌｏｒｄ  Ｒａｙｌｅｉｇｈが研究したこの問題は、多くの光学分野における解決基準の基本である。
【０２８４】
そのため、本発明の実施形態の詳細な記載がよりよく理解されるように、また技術への貢献がよりよく評価されるように、発明の特徴を広範囲にわたって記載してきた。本発明のさらに他の多くの特徴を以下に説明する。
【０２８５】
本発明の一実施形態による方法の好適な実施態様は、ハードウェアのプラットフォームおよびアルゴリズムであり、これは、図５に示すＳＲＣＤＰプラットフォーム５００のことである。
【０２８６】
ＳＲＣＤＰプラットフォーム５００は、前述のＰＳＩＴ方法とＰＤＯＳ方法の２つを組み合わせることによって本発明の一実施形態による方法を実施する。
【０２８７】
１つの実施形態では、図５のプラットフォームＳＲＣＤＰは、複数のナノエミッタを含む生体試料１１を観察する。ＳＲＣＤＰプラットフォームによる生体試料の観察結果は、観察した試料を表す超解像情報を取得したものである。
【０２８８】
図５のプラットフォームＳＲＣＤＰ５００は、主に、そのハードウェア部分に、以下のものを備える：
・  前述の共焦点顕微鏡と同様の適応したまたは最適化した共焦点顕微鏡であって、前述したような適切な部品をすべて有する共焦点顕微鏡２００。
・  標準の顕微鏡に搭載した、２つの新規かつ補足的な光学モジュール。この２つの新規な光学モジュールは、光学モジュールＬａｔＳＲＣＳ７００およびＬｏｎｇＳＲＣＳ８００であり、これについては、図６および図８をそれぞれ参照してのちに詳述する。光学モジュールＬａｔＳＲＣＳ７００は、本発明の一実施形態によるＰＳＩＴ方法を実施するのに必要な照明ステップを実施する。光学モジュールＬｏｎｇＳＲＣＳ８００は、本発明の一実施形態によるＰＤＯＳ方法の複数の出射画像の状態で光度を分布するステップを実施する。
・  図８を参照して説明していくアルゴリズムモジュールＳＲＣＤＡ６００は、プラットフォームＳＲＣＤＰが作成した画像から生体試料の超解像情報を再構築することができる。
・  その他の補助的素子であって、プラットフォームの作製に必要な、コンピュータ６６およびソフトウェア６７などの素子。
【０２８９】
ＰＳＩＴ方法を実施する光学モジュールＬａｔＳＲＣＳ
図６を参照して、本発明の一実施形態による光学モジュール、光学モジュールＬａｔＳＲＣＳ７００、およびその顕微鏡法における特定の機能を説明する。
【０２９０】
この実施形態に係る光学モジュールＬａｔＳＲＣＳ７００は、試料内の複数のナノエミッタにトポロジーの異なる一連の小規模な配光分布を照射する光学モジュールである。各々のナノエミッタは、ナノエミッタへの入射強度に応じた一連の蛍光灯強度で蛍光を発し、ナノエミッタの横方向の位置を特徴づける。ほとんどの実施形態では、トポロジーの異なる小規模な配光分布は、定常波と特異波との間で振幅および位相が変化する干渉によって形成される。好適な実施形態では、規則波および特異波は、薄型の円錐形結晶によって形成される。
【０２９１】
光学モジュールＬａｔＳＲＣＳ７００は、共焦点顕微鏡２００の照明路に位置し、共焦点顕微鏡対物レンズ２００を用いてトポロジーの異なる一連の小規模な配光分布を試料１１に照射する。円錐回折を用いる好適な実施形態では、試料１１上の特定位置での入射強度は、各々の配光分布パターンに対して、ストークスパラメータの特定の組み合わせに比例する。
【０２９２】
光学モジュールＬａｔＳＲＣＳ７００、は、蛍光色素分子に対して特有の前述した固有の特徴を使用し、ナノエミッタは、（ナノエミッタの）正確な位置に入射する光度をサンプリングし、入射光に応じて蛍光灯を再放出する。注目すべきは、 測定した情報は、小規模な配光分布内のナノエミッタの位置に直接関係しているという点である。この 情報は、蛍光色素分子の機能性、つまり光を吸収して再放出する能力によって硬直化され、光学連鎖が破壊される。この情報は、出射光分布として蛍光に保有され、検出アセンブリ６５によって回収されることができる。
【０２９３】
入射光が、トポロジーの異なる一連の小規模な配光分布に応じて時間とともに変化する場合、再放出された蛍光の強度は、同じ割合で変化する。再放出された一連の蛍光は、トポロジーの異なる一連の小規模な配光分布に比例する。この情報から、以下で説明するように、ナノエミッタの位置を読み出すことが可能になる。
【０２９４】
本発明の実施形態によるＰＳＩＴ方法は、トポロジーの異なる一連の小規模な配光分布を顕微鏡で照射し、わずかな物体および連続物体と相互作用し、顕微鏡の対物レンズ２２で反射光を集光し、改良型検出アセンブリ６５で蛍光を検出するか検出せず、適切なアルゴリズムで情報を解析するものである。いくつかの実施形態では、改良型検出アセンブリ６５は、単一の検出器を備え、時間に応じた全体的な強度のみを回収するのに対し、他の実施形態では、改良型検出アセンブリは、小さい画素エリアを含み、蛍光灯の空間分布も回収する。複数の画像からなる読み出された情報をすべて、横方向の超解像画像と称する。
【０２９５】
１つの実施形態では、被照明分量内に位置するナノエミッタが特定の横方向の超解像画像に及ぼす作用は、ナノエミッタの位置での入射光のストークスパラメータの特定の組み合わせに比例する。
【０２９６】
横方向の超解像画像、つまりトポロジーの異なる小規模な配光分布によって作成された情報は、新規なものでありかつ先行技術にはみられなかったものである。この新規な情報により、ナノエミッタの位置の精度を向上させ、被照明分量内にあるナノエミッタの数を定量し、同じ分量内にある複数のナノエミッタを区別しやすくなる。
【０２９７】
次に、本発明の実施形態に係る光学モジュールＬａｔＳＲＣＳ７００の簡易概略図である図６を参照する。
【０２９８】
図６は、光学モジュールＬａｔＳＲＣＳ７００を示し、この光学モジュールは、図３の円錐回折モジュールの部品をすべて有し、この部品は、円錐回折モジュール３００と同じように実装される。他の条件は補助光学器械を使用することで適応させることができるが、走査型共焦点顕微鏡の光源の光学器械は、無彩色で、無限の組み合わせがあると仮定される。光源から入る入射光３０は平行である。光学モジュール７００は、それ自体が、第１のレンズ３１、色消しレンズ３２、または前述した円錐形結晶の機能を無彩色で実施するサブセット、および第２のレンズ３３を備え、前述の部分偏光子２９を加えてもよい。２つの第１のレンズ ３１および３３は、倍率１のケプラー望遠鏡の形態で構成されることが好ましく、円錐の結像面、３５は、レンズ３１および３３の共通焦点面に置かれる。第１のレンズ３１の開口数は、以下に定義する正規化した円錐半径を介して、円錐回折効果のパラメータを決定する。第２の対物レンズ３３は、光の平行性を復元して、これを顕微鏡内に投入する。第２の対物レンズは、さらに、偏光制御サブモジュール７１を備え、例えば、回転１／４波長板、１対の液晶ライトバルブもしくはポッケルスセル７２ならびに検光子７３などを有する。ストークスパラメータの情報は、空間的に異なる一連の配光分布を介して連続情報に変換され、前述したような連続情報を保有することができる。
【０２９９】
図７ａを参照すると、この図は、正規化した円錐パラメータρ０が０．３８８である円錐形結晶を介して形成された配光分布を示し、この配光分布は、入射および出射で異なる偏光状態に対して、スカラー近似により計算されていて、入射または出射箇所に円形偏光子または直線偏光子またはラジアル偏光子もしくは方位偏光子のいずれかを含んでいる。これらの配光分布は、ベクトル効果から円錐屈折を分離するために、対物レンズの焦点ではなくイメージングの中間面で計算されたものである。（入射および出射の）偏光状態は、直線偏光の場合の偏光角度および円偏光の場合の偏光のキラリティが特徴である。
【０３００】
図７ｂを参照すると、この図は、正規化した円錐パラメータρ０が０．８１８である円錐形結晶を介して形成された配光分布を示し、この配光分布は、入射および出射で異なる偏光状態に対して、スカラー近似により計算されていて、入射または出射箇所に円形偏光子または直線偏光子またはラジアル偏光子もしくは方位偏光子のいずれかを含んでいる。これらの配光分布は、ＭＭｒｅｓｅａｒｃｈ社のソフトウェアＤｉｆｆｒａｃｔを使用して計算されたものである。これらの配光分布は、ベクトル効果から円錐屈折（回折）を分離するために、対物レンズの焦点ではなくイメージングの中間面で計算されたものである。（入射および出射の）偏光状態は、直線偏光の場合の偏光角度および円偏光の場合の偏光のキラリティが特徴である。
【０３０１】
これらの表は、多数の異なる伝達関数を示し、入射または出射箇所に含まれる円形偏光子、直線偏光子、方位偏光子またはラジアル偏光子の事例を含んでいる。この説明は、図面に記載した円形偏光子、直線偏光子、方位偏光子またはラジアル偏光子のほか、楕円形偏光子、二色性偏光子または部分的に二色性の偏光子、および空間的に変化する偏光子の事例を含めることで完全にならなければならない。また、図７ａおよび図７ｂに示したように、これらの伝達関数は、標準の円錐パラメータρ０に応じて大きく変化する。また、２つの円錐形結晶、または１つの円錐形結晶と１つの単軸結晶もしくは２軸結晶と（この場合、光は、円錐回折の方向とは異なる１つの伝播方向へ電波する）を次々に導入することで、２つの円錐形結晶について図７ｃに示したようにさらに多くの伝達関数が可能になる。
【０３０２】
要約すると、本明細書では、円錐回折の伝達関数という用語を用いて、少数（＜６）の結晶を次々に用いて得られる一連の伝達関数、および静的または動的で、空間的に均一であるか変化する偏光要素に言及する。
【０３０３】
主に、以下の配光分布に注意する：
・  基本配光分布：平行な円偏光子同士の間で得られる図７ａ００および図７ａ１１であり、エアリー分布に近い分布。
・  渦配光分布：交差円偏光子同士の間で得られる図７ａ０１および図７ａ１０。
・  「三日月」分布と呼ぶ分布；副図７ａ０，２−５、７ａ１，２−５、７ａ２−５，０および７ａ２−５，１は、円偏光子と角度が変化する直線偏光子との間で得られる。この分布は非対称であり、軸は直線偏光子の軸に沿って回転する。
・  「半月」分布と呼ぶ分布；副図７ａ４２、７ａ３５、７ａ２４および７ａ５３は、２つの交差偏光子の間で得られ、この分布は対称である。
・  より複雑な配光分布、図７ｂであり、０．５よりも大きい正規化した円錐パラメータρ０の結晶に対する分布。
・  結晶間に静的または動的な偏光素子がある２つ（または２つ以上）の結晶が急峻な円錐形結晶（図示せず）を使用して、さらに別の配光分布を作成する。
【０３０４】
様々な配光分布の実現は、入射または出射する偏光を修正して実行される。様々な配光分布は、同じ光路に続き、これらの分布を形成している光学系は、上記に定義したような共通光路を有する光学系である。異なる波長で異なる偏光を有する多数の偏光要素がある。これらの要素のうちの１つを使用すると、２つの波長で規則波か特異波のいずれかである２つの小さい波動を形成するか、１つの波長で規則波を形成し、かつもう１つの波長で特異波を形成する。このような装置により、いくつかの事例では光学系の耐性または振動によって制限される放出抑制の概念を、遙かに簡易に実装できる。
【０３０５】
冗長性およびランダム位相の変化
図７に描いた基礎配光分布は、いくつかの方法で得られる。さらに、 その方法のうちのいくつかを、他の基礎配光分布の線形的組み合わせとして得ることができ、例えば渦分布は、任意の２つの直交する「半月」配光分布を合わせたものから得ることができる。
【０３０６】
この冗長性により、生体の多くの測定プロセスに必然的に存在するランダム位相の誤りをある程度平均化することができる。これによって、本発明の実施形態の測定方法論およびその適用性の確実性が強化される。
【０３０７】
新規な配光分布は、基礎配光分布の数学的な組み合わせとして得ることもできる。４つの「三日月状の」分布を算術演算で組み合わせて計算した 「偽渦」の配光分布は、原点の湾曲が激しいという特徴を有する。
【０３０８】
ＰＳＩＴ方法は、元々は横方向の超解像ができるように設計されたものであったが、ＰＳＩＴ方法は、ナノエミッタの縦方向（長手方向）の位置を得るのに使用することもできる。実際、いくつかの基礎配光分布は、ナノエミッタの縦方向の位置の変化から（合理的な限度内で）比較的影響を受けないが、他の分布はかなり影響を受けやすい。一連の小規模な配光分布は、縦方向の位置に依存しないものと依存するものがあり、ナノエミッタの縦方向の位置を明らかにする。
【０３０９】
さらに、ナノエミッタの縦方向の位置に強く依存する配光分布に対して、縦方向に互いにわずかにずれている一連の基礎配光分布を試料に照射することができ、これによって縦方向の情報を含む一連の画像ができる。
【０３１０】
さらに、 いくつかのさらに複雑な基礎配光分布は、さらに複雑な波の重なりで構成され、縦方向に強く依存して存在し、例えば、Ｚｈａｎｇが記載した「３次元ダークスポット」［２６］は、光を発する球体で３次元に囲まれたブラックスポットを形成する。これらの「３次元ダークスポット 」は、ラゲールガウス関数の重畳で構成され、この関数は、Ｚｈａｎｇが提案したように、ホログラムまたは位相板を使用するか、または本発明者が提案するように、１軸結晶または円錐形結晶を使用して、レーザ空洞の中で達成されることができる。
【０３１１】
本測定方法論のこれらの変形例はすべて、本発明の一部と考えられる。しかし本発明者は、好適な実施態様で、横方向の測定および縦方向の測定を、離れているが補足関係にある２つの光学モジュールに分けて、各々のモジュールの複雑性を軽減することを選択した。
【０３１２】
ベクトル効果
これまで展開した理論は、顕微鏡３５の結像面内の配光分布を説明するものである。試料に照射光の分布は、幾何学的イメージングの理論によれば、像面内の配光分布を縮小した画像である。
【０３１３】
しかしながら、文献で動的に記載されているように、開口数の高い対物レンズの場合、幾何学的イメージングの理論は適確ではなく、ベクトル効果を考慮しなければならない。これらの効果は、本質的に、縦方向に偏光成分が存在することで起こる。
【０３１４】
再度図６を参照すると、ベクトル効果を緩和するためには、不変の最終的な検光子を維持し、不変または可変の追加素子、つまり出射の偏光を適応させるサブモジュール７４を加えて出射の偏光を制御することが有利である可能性がある。円が対称である出力偏光であれば、ベクトル効果が大幅に低減されることを発見した。このような偏光は、円形、放出状または方位角のものとすることができる。円偏光の場合、出力偏光を適応させるサブモジュール７４は、単純に１／４波長位相差板である。この場合、縦方向の偏光素子は、渦が対称であり、ストークスパラメータの形状にわずかな変更を加えるだけで、開口数の高い顕微鏡対物レンズに対してでも、システムに問題なく組み入れられる。
【０３１５】
このようにする代わりに、出射偏光を適応させるサブモジュール７４は、可変的なものでもよく、小規模な配光分布の各々のトポロジーおよび対称性に適応させてもよい。
【０３１６】
ＰＤＯＳ方法を実施する光学モジュール ＬｏｎｇＳＲＣＳ
以下に、光学モジュールＬｏｎｇＳＲＣＳについてさらに詳細に説明する。
本発明の一実施形態による縦方向の超解像系は、わずかな被照明分量内にある複数の点光源の入射光度を、各々の点光源の空間位置に応じて、別々の検出器または同じ検出器の異なる立体位置またはこの両方を合わせたものに誘導する。
【０３１７】
さらに単純な言葉で言うならば、縦方向の 点Ａに位置する蛍光色素分子が放出する強度は、縦方向の 点Ｂに位置するナノエミッタが放出する強度からは物理的に離れる。
【０３１８】
本発明の一実施形態による光学モジュールＬｏｎｇＳＲＣＳにより、分量をスライス状に分離することができ、被照明分量の様々なスライス片は、様々な一連の検出器上で物理的に別々に離れる。
【０３１９】
以下で説明する好適な実施形態では、光学モジュールＬｏｎｇＳＲＣＳは、被照明分量を少なくとも３つの隣接するスライス片に分離し、一連の独立した改良型検出器上で真ん中のスライス片を他の２つのスライス片から離し、同じ一連の改良型検出器上で残りの２つのスライス片の間に空間差異を形成する。
【０３２０】
次に、 本発明の実施形態に係る光学モジュールＬｏｎｇＳＲＣＳ８００の簡易概略図である図８を参照する。
【０３２１】
光学モジュールＬｏｎｇＳＲＣＳは、わずかな光量にある複数の点光源の入射光度を、各々の点光源の縦方向の位置に応じて、別々の検出器または同じ検出器の異なる立体位置またはこの両方を合わせたものに誘導する。
【０３２２】
好適な実施形態では、この光学モジュールは、縦方向の位置に応じて、８０、８０’または８０”で示すナノエミッタに対して動作する。この光学モジュールは、第１のコリメーションレンズ８１を備え、このレンズは、いくつかの実施形態では、顕微鏡対物レンズ４で構成されてよい。
【０３２３】
ナノエミッタ８０は、コリメーションレンズ８２の焦点面に位置し、コリメーションレンズ８１から出射するナノエミッタ８０から出る光は、コリメートされる（平行にされる）。
【０３２４】
ナノエミッタ８０’および８０”は、コリメーションレンズ８２の焦点面の前と後ろに距離±Δｚを隔てて置かれ、コリメーションレンズ８１から出射するナノエミッタ８０’または８０”から出る光は、収束または発散する。
【０３２５】
光学モジュールＬｏｎｇＳＲＣＳは、横変位の偏光ビームスプリッタ８３の形態である、図８に示す偏光ビームセパレータを有する。偏光ビームスプリッタは、偏光していないと思われる入射光を、直交する直線偏光を含む２つの偏光チャネル８４および８５に分割する。このシステムは、入ってくる光がすでに偏光であるか、または偏光されていない光のために入射光度の半分を失うことを犠牲にすれば、２つではなく単一の偏光チャネルを使用することで簡易化できる。
【０３２６】
２つの１／４波長板８６および８７は、各々のチャネルに対して、直線偏光を円偏光に変換する。
【０３２７】
チャネル８８および８９のそれぞれには、無彩色の円錐形結晶、または前述したような円錐形結晶の機能を無彩色で実施するサブセットが置かれる。各々のチャネルでは、 図３に記載したように、円錐回折の構成の主要対物レンズ３１として機能する円錐回折構成がコリメーターレンズ８１、ならびに円錐形結晶８８および８９で構成される。円錐回折パターンは、続いて第２のレンズ３３をもって完全となる。
【０３２８】
コリメーションレンズ８２の焦点面に位置するナノエミッタ８０の場合、コリメーターレンズ８１から出射する光は、前述したようにコリメートされる。円錐回折の構成を参照すると、像空間におけるコリメーションレンズ８１の開口数および正規化した円錐半径はゼロであるため、ナノエミッタ８０からビームに及ぶ円錐回折の効果はゼロである。したがって、円錐形結晶は、ナノエミッタが放出した蛍光灯の幾何学形状もその偏光も変更することはなく、キラリティが同じである円形のままである。
【０３２９】
コリメーションレンズ８２の焦点面に位置していないナノエミッタ８０’または８０”の場合、光は発散または収束する。再度前述の円錐回折の構成を参照すると、コリメーションレンズ８１の像面の開口数は、円錐回折の構成の第１のレンズ３１と等しく、ゼロではない。プラスまたはマイナスの所与のデフォーカス値が±Δｚの場合、円錐結晶から出射されるほとんどの光は渦波であり、この渦波の形状は渦で、キラリティが逆である。
【０３３０】
各々のチャネルに位置する円錐回折の構成の機能性は、収束光または発散光に対する光の円偏光のキラリティを逆にすることによって、収束光または発散光とコリメート光とを区別することである。
【０３３１】
他の２つの１／４波長板９０および９１は、各々のチャネルから出射する円偏光を直線偏光に変換する。各々のチャネルに対して、結晶が除去された場合に位相差板から出射されたであろう直線偏光をコリメーションの偏光と呼ぶ。
【０３３２】
光学モジュールＬｏｎｇＳＲＣＳは、横方向に分離する４口のコンバイナ／セパレータ９２として、図８に示すような４口のコンバイナ／セパレータを備える。この光学モジュールは、各々のチャネルに対して２つの偏光を分離し、２つのコリメートされた偏光を同じ光路、つまりコリメーション光路９３で融合し、コリメートされた偏光に直交する偏光を別の光路、つまり非コリメート光路９４で融合する。１／４波長板８６、８７、９０および９１の軸方向は、適正に決定しなければならない。合わさったビームは、元は偏向していないビームから来ているため、干渉しない。
【０３３３】
コリメーション光路に入る入射光は、円錐回折の構成の第２のレンズ３２として機能するコリメーション光路９５の焦点レンズを使用して、コリメーション検出器９６で集光される。
【０３３４】
非コリメーション光路では、別のレンズ ９７が挿入され、この別のレンズ９７は、コリメーションレンズ８１とともに新たなレンズ系９８を作り出し、この新たなレンズの焦点面９９は、コリメーションレンズ８２の焦点面とは異なる位置、つまりナノエミッタ８０’の位置に位置する。別の １／４波長板１００が、１／４波長板９０または９１が起こす作用を取り消し、各々の偏光チャネルから入ってくるビームを反射時に円偏光に変換し、この円偏光は、円錐結晶８８または８９を出た後に偏光される。
【０３３５】
コリメートされない経路には、別の円錐形結晶１０１が第３の円錐回折構成（補助的な円錐回折構成）としてレンズ光学系９８とともに追加され、円錐回折構成３１の第１のレンズとして作用する。
【０３３６】
ナノエミッタ８０’は、コリメーションレンズ８２の焦点面の前に、距離Δｚを隔てて位置しているが、レンズ光学系９８に対しては焦点面９９に位置している。ナノエミッタ８０’から来る光は、光が通過した偏光チャネル応じて、コリメーションレンズ８１で構成される円錐回折構成のうちの１つ、および円錐形結晶８８または８９のうちの１つによって、すでに渦に変換されていたものである。ナノエミッタ８０’から来る光は、レンズ系、９８から出る際に、追加のレンズ９７の後ろでコリメートさる。
【０３３７】
新規な円錐回折構成を参照すると、像空間にあるレンズ系の開口数、および正規化した円錐半径は、ナノエミッタ８０’に対してゼロであり、補助的回折構成が、ナノエミッタ８０’から出射されるビームに及ぼす円錐回折効果はゼロである。したがって、円錐形結晶は、ナノエミッタが放出する蛍光の幾何学形状を変化させることはない。ナノエミッタ８０’から来る光は、円錐形結晶９８の前後で渦である。
【０３３８】
ナノエミッタ８０”は、コリメーションレンズ８２の焦点面の後ろに、レンズ系９８に対して距離Δｚを隔てて置かれ、集光位置９９からは距離−２Δｚを隔てて置かれ、ナノエミッタ８０”から来る光は、レンズ系、９８から出る際にフロントレンズ、９７の後ろで合流する。ナノエミッタ８０”から来る光は、光が通過した偏光チャネル応じて、コリメーションレンズ８１で構成される円錐回折構成のうちの１つ、および円錐形結晶８８または８９のいずれか１つによって、すでに渦に変換されていたものである。円錐形結晶１０１は、ナノエミッタ８０”から来る光を変化させ、および、材料に関連するパラメータ、すなわち円錐形結晶のサイズおよび向きについて、エアリーディスクとはわずかに異なる規則波に戻す。
【０３３９】
非コリメート光路の対物レンズ１０２は、規則波１０４であってナノエミッタ８０’ではなく特異波であるナノエミッタ８０”を含む面を、画素化した検出アセンブリ１０３で焦点を合わせるように適応される。蛍光色素分子８０”のような面１０４に位置する蛍光色素分子から出射する入射光は、完全に焦点が合わされ、画素化された検出器１０３の中心に位置する。面９９に位置するナノエミッタから出射する入射光は、渦であるため、中心がゼロである外側の円に集光される。中心の強度と検出器の外部の強度とを別々に記録することによって、面１０４および９９からくる入射光をわずかに重なった状態で分離することができる。さらに、対物レンズが検出器の面１０４で焦点を合わせるように計算されているため、ナノエミッタ８０’のように面１０４に位置するナノエミッタは、わずかに位置がずれている。これによって、中心の渦の強度をさらに上げて重複を低減することで、光学モジュールＬｏｎｇＳＲＣＳの効果が改善される。
【０３４０】
光学モジュールＬｏｎｇＳＲＣＳ８００の好適な実施形態をこのように簡易に説明することで、専門家に公知の変更を通して設計を変更して、多くの変形例および適応例が可能になる。この変更には、結晶の材料および方向、偏光部品の選択、偏光軸、カスケード素子、センサ数の選択またはナノエミッタ８０’および８０”の役割の入れ替えなどがあるが、これに限定されない。さらに、モジュールは、理想的には、一連の一体化したサブセットあるいはまた単一の一体化したユニットとして構成されるように調整される。
【０３４１】
ＰＤＯＳ方法および横方向の測定
ＰＤＯＳ方法は、元は縦方向の超解像ができるように設計されたものだが、ＰＤＯＳ方法は、ナノエミッタの横方向の位置の測定にも使用できる。実際、基礎配光分布は、ナノエミッタの横方向の位置の変化にも影響を受けやすい。試料の面に対する光の照射が不可能な場合、 ＰＤＯＳ方法の代わりにＰＳＩＴ方法を用いて超解像測定を実施してもよい。
【０３４２】
本測定方法論のこれらの変形例はすべて、本発明の範囲内である。しかし、本発明者は、好適な実施態様で、横方向の測定を縦方向の測定から分離して、離れて別々だが補足関係にある２つの光学モジュールに分けて、各々のアドオン（追加装置）の複雑性を軽減することを選択した。
【０３４３】
検出モジュール
本測定方法論の可能性を考えると、作成された情報を検出して復元できるさらに複雑な検出モジュールが必要であるという結論に至る。走査型共焦点顕微鏡法では、検出器は、ＰＭＴまたはＳＰＡＤとしての単一の素子で構成される検出器である。検出器の取得時間は、走査機構によって決まる。
【０３４４】
本測定方法論は、いくつかの実施形態では、１つではなく２つ（またはそれ以上）の検出モジュールを必要とし、モジュールが２つの場合は、基本検出モジュールおよび渦検出モジュールを必要とする。さらに、本測定方法論は、いくつかの実施形態では、各々の被照明分量に対して、連続信号の識別・定量に必要であるために、画素時間よりも早いレートで、典型的には１６×１６の小さい空間格子に光学情報を取得する必要がある。
【０３４５】
改良型検出モジュール６５は、少画素数の小型検出器を用いて使用できる。このようなモジュールは、適切な技術がないために１０年や２０年前には不可能であっただろう。今日、少画素数、高速、少ノイズを特徴とする小型検出器が、いくつかの技術を基盤として利用でき、３２×３２など少画素数のＳＰＡＤアレイが、近年最大１ＭＨｚの取得レートで登場している。改良型検出モジュール６５は、ＣＣＤ、ＥＭＣＣＤまたはＣＭＯＳセンサを用いても実装できる。少画素数のＣＣＤセンサ、ＣＭＯＳセンサおよびＥＭＣＣＤセンサが存在し、あるいはこれを特別に設計できる。
【０３４６】
さらに、 ＣＣＤセンサ、ＣＭＯＳセンサ、ＥＭＣＣＤセンサは、関心領域の特性、いくつかの検出器で利用可能なサブウインドウまたは「ビニング」、「クロップ」もしくは「ファーストキネティックス」モードの特性を利用して使用できる。
【０３４７】
本明細書で用いる空間・時間情報は、各々の蛍光光子の位置およびこの蛍光光子が及ぼす効果の時間である。実際のシステムでは、空間・時間情報は、検出器のノイズによって損なわれ、これによって不正確な光子が形成され、不十分な検出によって、検出されていない光子が形成され、これによって性能が低下する。ＳＰＡＤアレイでは、各々の光子に対して、この光子を検出した画素および効果時間が受け取られ、すなわち完全な空間／時間情報が入手可能になる。ＣＣＤセンサ、ＣＭＯＳセンサまたはＥＭＣＣＤセンサの場合、複数のフレームを取得して、空間・時間情報を近似する必要がある。
【０３４８】
いくつかの実施態様では、 別々の検出器について言及する。多くの場合、センサは、物理的に離れているか、または単一の検出器の異なるエリアで構成されるか、またはこの２つの場合を組み合わせたものといずれかとすることができる。
【０３４９】
ＳＲＣＤＡアルゴリズム
上記に詳述した再構築アルゴリズムは、ＰＳＩＴ方法およびＰＤＯＳ方法を用いて解析した所与の分野の場合だけでなく、走査によって解析したさらに大規模な分野の場合にも適用される。走査の場合、直接のモデルは、照射された信号の様々な位置どうしの間を範囲に含めて、所与の点でさらに多く測定することを考慮することで、質が向上する。ただし、ずれて照射された信号を考慮しても、解像方法の面に新たな複雑さが加わることはない。なぜなら、このようなずれた信号は、照射された信号のリストに加わるだけだからである。
【０３５０】
測定方法論を実施する合成光学プロセスの アルゴリズム
本発明の少なくとも１つの実施形態による合成光学プロセスは、ＳＲＣＤＡアルゴリズムの論理的補数である。実際に、ＳＲＣＤＡアルゴリズムで実現した再構築によって、画像の追加で測定性能が改善される結果を導くことができる。顕微鏡法プラットフォームＳＲＣＤＰにより、ＰＳＩＴ方法またはＰＤＯＳ方法の一連の配光分布から、１つ以上の追加画像を取得することができる。
【０３５１】
以下に一例を説明する。
【０３５２】
ＰＳＩＴ方法を用いた点の位置測定
ＰＳＩＴ方法は、ナノエミッタの位置を高精度で測定する技術として使用できる。
【０３５３】
デカルト座標のｘ，ｙおよび極座標のρ，θの位置にナノエミッタが位置していると考える。基本波で構成される一連の照明、および直交軸に沿って並んだ２つのいわゆる「半月」分布をナノエミッタに照射する。
【０３５４】
前処理手順で以下の２つの画像を作成する：
シーケンスの３画像の和で構成される「トップハット（ｔｏｐ  ｈａｔ）」画像、および２つの半月画像の和で構成される渦画像。
【０３５５】
第１のディスクリプタが、画像「トップハット」の重心のアルゴリズムを用いて計算されるデカルト位置である。
【０３５６】
図１０を参照すると、半径位置ρは、パラメータρａを測定することによって一義的に測定することができ、このパラメータは、渦波Ｉｖに照明されたナノエミッタが放出した正規化強度と、基本波ＩＦに照明されたナノエミッタが放出した正規化強度との間の強度比のアークタンジェントを、因子πで正規化したものに等しい。実際、
・  基本波に照明されたナノエミッタが放出した正規化強度は、基本波の中心での１からエアリー半径での０まで変化する。
・  渦波に照明されたナノエミッタが放出した正規化強度は、渦の中心での０から渦の最大の１まで変化し、エアリー半径よりもわずかに大きい値に向かう０に達する。比のアークタンジェントは、単調関数である。
【０３５７】
方位角位置は、第１の半月分布ＩＨに照射されたナノエミッタが放出する全体強度と、第２の半月分布Ｉｖｅに照射されたナノエミッタが放出する全体強度との強度比を測定することによって測定できる。この２つの強度の比は、タンジェント二乗の法則である。
【数１１】
2018156090.tif 000015
（式１０）
【０３５８】
両方とも測定するのは冗長である。この冗長性は、観察した物体を単一の点として定量し、試料内に潜在的に存在する他の物体から分離するための手段である。
【０３５９】
ナノエミッタの位置を高精度で測定するための本発明の一実施形態によるＰＳＩＴ方法を直接適用する方法が、局所で確率的に光学による再構築を行う新規な技術にこの測定技術を組み入れることである。確率的技術を適用できる可能性を制限するものの１つが、多数の画像を必要するために測定時間が長く光毒性が強い測定プロセスである。エアリーディスクよりも遙かに高い解像度で、マイクロ秒またはナノ秒の速さで発光体の位置を測定する、本発明の少なくとも１つの実施形態によるＰＳＩＴ技術を使用すると、確率的技術を多くの新規な用途に拡大できる。
【０３６０】
ＰＳＩＴ方法を用いてできた画像は、画像中の構造物体、線、円またはその他のものを認識するための一般的なハフ変換法を用いて処理してもよい。
【０３６１】
高次元空間での表現：デカルト極座標表現
この結果は一般化することができる。本明細書では、デカルト座標表現と極座標表現を合わせた新たな平面表現をすべて紹介する。この表示を、デカルト極座標表現と名付けた。平面上の１点を、ｘ、ｙ、ρ、θの４つで表現する。この表現は、非ユークリッドであり、冗長である。同様の空間表現は、必要な変更を施して定義できる。
【０３６２】
一見してこの表現は、必要ないように見える。つまり、これよりも 遙かに単純な現実に対して著しく複雑である。平面上の１点の位置は、このようにする代わりに、デカルト座標のｘとｙを用いるか、または極座標のρとθを用いるかのいずれかで表現できることはよく知られている。
【０３６３】
高次元空間での表現：ピタゴラスの空間
本明細書では、デカルト極座標表現の簡易バージョンのみを詳述し、このバージョンでは、１点を座標ｘ、ｙおよびρで表現する。この空間をピタゴラスの空間と称する。
【０３６４】
立体面積を幾何学の構成方程式ρ２＝ｘ２＋ｙ２を満たす３次元空間にある２次元の面と定義し、ｘ、ｙおよびρを同時に測定する測定系を、前段落で記載したような測定系に、同じデータに対するセントロイドアルゴリズムを合わせたものとして仮定する。ピタゴラスの空間内の立体表面上に、１点を物理的に配置する。２つ以上の物理的な点の事例を考えてみる。測定する２点の重心は、全体的に立体表面の外側にあり、このエリアの外側に１点を作成する。この表現は、決定論アルゴリズムの数学的に形式化し、一般化して、隔離した点の事例を前述した点の集合の事例から分離するためのものである。
【０３６５】
２点の識別および測定：新たな解像基準
次に、極座標でρ，θおよびρ，−θの位置の中心を境に対称に位置する強度が同じ２つのナノエミッタを考える。前段落に記載したシステムを使用する。 
３つのディスクリプタにより、以下の結果になる：
・  セントロイドは、配光分布のセントロイドを測定し、これが原点になる。
・  識別子ρは、２つのナノエミッタの共通の半径値を測定する。
・  半月の場合にθと−θとの間に縮退を含むディスクリプタθは、値θを測定する。
【０３６６】
前述したように、ディスクリプタρの値がゼロでなければ、検証した事例は１点ではなく２点以上であることがわかる。さらに、ディスクリプタρおよびθによって、レイリー基準で定義される分解能よりも遙かに高に分解能で２点の特徴を測定することができる。さらに、 組み合わせたプロセスを用いると、この事例を３点以上の大半の事例から分離することが可能になる。さらに別の配光分布、つまりθ度傾斜した半月分布を試料に照射することができ、２点が存在するという仮定は、この画像結果に基づいて確認されるか無効にされる。実際、測定したエネルギーは、２点、１ラインまたはθ度の方向に並んだ一連の点に対してゼロになる。
【０３６７】
測定は、先験的に限定されるものではない。もちろん、何よりも実際の解像度には限界があり、これは、信号の質、様々な変動および不完全に関係している。実際の限界を無視すれば、解像度の限界は、検出された光子の数に関連している。
【０３６８】
制御モジュール
図１１および図５を参照し、本発明の１つの好適な実施形態では、プラットフォームＳＲＣＤＰ５００に組み込まれた様々な制御素子について記載する。
【０３６９】
制御モジュール１１００は、体系的な制御手順１１０１を用いて、プラットフォームＳＲＣＤＰ５００の光学パラメータ、改良型検出モジュール６５の電子パラメータ、およびアルゴリズム手順ＳＲＣＤＡ、９００の数学パラメータをモニタリングし修正して、システムまたはユーザが定義する基準に従って出射情報を最適化する。制御は、プラットフォーム、６００、８００および９００の様々な素子の制御系１１０２、１１０３および１１０４を変更することによって達成される。制御系１１００は、コンピュータ基盤によって中継される外部情報１１０５も、利用可能であれば使用する。注：１１０５は図１１にはない。
【０３７０】
本発明は、本明細書に含まれる記載または図面に示した記載に明記した詳細にその用途が限定されるものではないことは理解されることである。本発明は、他の実施形態が可能であり、様々な方法で実施でき、実行できるものである。当業者は、本発明の範囲を逸脱しないかぎり、本発明の実施形態に前述したような様々な修正および変更を加えてよいことを容易に理解するであろう。
【０３７１】
本測定方法論の代替実施態様
記載した本発明の実施形態は、蛍光共焦点顕微鏡に組み込まれることができる。本発明の実施形態による超解像系は、既存の顕微鏡法に加わる、またはこれに取って代わる新規な測定方法である。しかしながら、本発明の実施形態による超解像系は、他の顕微鏡法プラットフォームに同じように搭載されてもよい。例として記載したこれらの顕微鏡法プラットフォームには、広視野顕微鏡、暗視野顕微鏡、偏光顕微鏡、位相差顕微鏡、微分干渉顕微鏡、ステレオ顕微鏡、ラマン顕微鏡、ライブセルイメージング、細胞選別、細胞運動などの特定のタスク専用の顕微鏡、または例えば参考文献｛Ｎｉｋｏｎ．，２０１１＃１２９０｝に記載されているようなその他の任意の光学顕微鏡法用の器械などがあるが、これに限定されない。
【０３７２】
多方式モードという本発明のもう１つの実施形態では、顕微鏡プラットフォームは、以下の追加モジュールの少なくとも１つをさらに備えている。
−  顕微鏡法方式が以下のものとは異なる少なくとも１つの追加モジュール：
−  別の方式で超解像するモジュール、
−  分子方式および蛍光で標識された分子の相互作用を測定するモジュール、
−  細胞内の分子の相互作用を解析するモジュール。
【０３７３】
多方式モードから派生した本発明のもう１つの実施形態では、顕微鏡法プラットフォームは、共焦点モードおよび／または「フルフィールド」モードを組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７４】
多方式モードから派生した本発明のもう１つの実施形態では、顕微鏡法プラットフォームは、偏光の異方性か、ジョーンズパラメータまたはストークスパラメータの測定のいずれかである偏光測定を組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７５】
多方式モードから派生した本発明のもう１つの実施形態では、顕微鏡法プラットフォームは、光励起インパルス応答の外部領域で蛍光を排除するために刺激される放出を用いて、ローカライゼーション顕微鏡法システムまたは放出抑制システムのいずれかを組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７６】
本発明の少なくとも１つの実施形態による顕微鏡法プラットフォームは、例えば眼科での観察だがこれに限定されない医学用途に使用できる。このような使用法には、解像度がミクロン単位になる生体または医学的物体を測定することを含むことができ、この解像度は、例えば１から１０μｍである。
【０３７７】
本発明の少なくとも１つの実施形態による顕微鏡法プラットフォームは、例えば胃や消化器の観察のほか、結腸および尿路の観察などだがこれに限定されない医学用途に使用できる。これらの実施形態では、例えば光ファイバを介して情報を取得できる。
【０３７８】
本発明のもう１つの実施形態では、プラットフォームは、自家蛍光などだがこれに限定されない低蛍光現象を測定することに特化している。
【０３７９】
本発明の少なくとも１つの実施形態によるＰＳＩＴ方法の特定の実施形態では、規則波および特異波は、光軸３２の方向に並んだ２軸結晶を通って入射する規則波の円錐回折と伝播によって形成される。
【０３８０】
本発明の少なくとも１つの実施形態によるＰＳＩＴ方法のもう１つの実施形態では、規則波および特異波は、２軸結晶の代わりに、好適な実施形態の光軸３２の方向に並んだ単軸結晶を通って入射する規則波の伝播によって形成される。
【０３８１】
本発明の少なくとも１つの実施形態によるＰＳＩＴ方法のもう１つの実施形態では、規則波および特異波は、位相板（スパイラル位相板など）またはサブ波長格子を光学系のフーリエ面に設置するか、適切なホログラフィー光学要素を設置することによって形成される。
【０３８２】
上記から派生したＰＳＩＴ方法の一実施形態では、位相要素または偏光要素は、例えば液晶要素のマトリクス、またはポッケルス効果、ファラデー効果もしくはケル効果のある母材など、動的で制御可能なものである。マトリクスは、別々の領域またはモノリシックの区画の形態のいずれかでピクセル化されてよい。
【０３８３】
本発明の少なくとも１つの実施形態によるＰＳＩＴ方法の一実施形態では、モード間の相互作用は、静的または動的に形成され、フォトニックファイバ内で相互作用する。
【０３８４】
本発明の少なくとも１つの実施形態によるＰＳＩＴ方法の一実施形態では、「トポロジー群の異なる少なくとも２つの小規模な配光分布」の伝送は、フォトニックファイバなどだがこれに限定されない光ファイバによって達成される。
【０３８５】
本発明の少なくとも１つの実施形態によるＰＳＩＴ方法のもう１つの実施形態では、（図示せず）厚い点に、試料の照明は、少なくとも２つの合成した一連の小規模な配光分布を含み、合成した小規模な配光分布はそれぞれ、それ自体が同時に照射される少なくとも２つの単純で小規模な配光分布で構成される。前記少なくとも２つの単純で小規模な配光分布は、互いに光学的にコヒーレント、部分的にコヒーレントまたはインコヒーレントであり、前記少なくとも２つの単純で小規模な配光分布は、異なる空間位置に位置し、前記少なくとも２つの単純で小規模な配光分布は、その配光分布の横方向の中心の位置、縦方向の中心の位置、偏光、振幅または位相などの特徴のうちの少なくとも１つが異なる。単純で小規模な一連の配光分布は、トポロジー群の異なる小規模な配光分布を含む。
【０３８６】
（図示せず）ＰＳＩＴ方法のもう１つの実施形態では、小規模な配光分布は、マルチモードレーザーの異なるモードで形成され、一連の小規模な配光分布は、モードを連続的に作成するか、またはその代わりに、モード間のエネルギーのバランスを制御することによって形成される。
【０３８７】
（図示せず）ＰＳＩＴ方法のもう１つの実施形態では、規則波と特異波との関係は、動的に変化する。
【０３８８】
（図示せず）ＰＳＩＴ方法のもう１つの実施形態では、規則波および特異波は、入射ビームを（少なくとも）２つの光路に物理的に分離することによって形成され、１つの光路での規則ビームから特異ビームへの変換は、位相板もしくは螺旋位相板、ホログラフィック光学素子、サブ波長格子、１軸結晶もしくは２軸結晶などの公知の手段またはこれらを組み合わせたものによって実現され、２つのビームはビームコンバイナを用いて再び合成され、単一のビームになる。この実施形態では、小規模な配光分布の区別は、合成したビームまたは各々のビームのいずれかに対して、分離後および再合成前に別々に行うことができる。
【０３８９】
ＰＳＩＴ方法のもう１つの実施形態では、（図示せず）動的モニタリング系は、小規模な配光分布もしくは小規模な配光分布のシーケンスを高精度で空間に移動させることができる制御可能なミラー、電気光学装置もしくは音響光学装置または圧電アクチュエーターなどの手段を備えるが、これに限定されない。動的モニタリング系では、小規模な配光分布の位置および順序は、少なくとも１つの特定のターゲットを追跡するように動的に制御される。
【０３９０】
ＰＳＩＴ方法のもう１つの実施形態では、（図示せず）黒の蛍光色素分子、小規模な配光分布または小規模な配光分布を数学的に組み合わせたものは、小規模な配光分布の中心で強度がゼロになるように構成される。
【０３９１】
このシステムは、小規模な配光分布を空間内に移動させるように適応した手段を備え、これらの手段は、時間に応じて蛍光色素分子を追跡し、蛍光色素分子をその配光分布の中心に配置するために使用される。蛍光色素分子が動くことなく小規模な配光分布の中心に配置されると、その位置は、蛍光色素分子から出射する蛍光がなくとも高精度で測定され、これによって退色作用が実質的に低減される。蛍光色素分子の動きは、小規模な配光分布の位置が適切に動くことによって補償され、放出される少量の蛍光灯を用いて蛍光色素分子が追跡される。
【０３９２】
ＰＳＩＴ方法のもう１つの実施形態では、ナノエミッタの位置は、発光体の位置での光度は小さいものの重要な情報が生じるように選択された配光分布を用いることで、良好な精度で得られる。この別の実施形態は、自家蛍光効果などだがこれに限定されない全体的に少ない光子のみを届けられる低発光の発光体に特に適応している。
【０３９３】
ＰＳＩＴ方法のもう１つの実施形態では、（図示せず）動的シーケンスの選択に関して、システムは、配置の仮説または第１の一連の測定値に基づいて、小規模な配光分布の最適なシーケンスを決定する。
【０３９４】
ＰＳＩＴ方法のもう１つの実施形態では、（図示せず）シーケンスの選択および小規模な配光分布の動的配置に関して、システムは、小規模な配光分布もしくは小規模な配光分布を組み合わせたものを高精度で空間に移動させることができる制御可能なミラー、電気光学装置もしくは音響光学装置または圧電アクチュエーターなどの手段を備えるが、これに限定されない。システムは、配置の仮説または第１の一連の測定値に基づいて、小規模な配光分布の最適なシーケンスおよび位置を決定する。
【０３９５】
ＰＳＩＴ方法のもう１つの実施形態では、三角形分割のＰＳＩＴ方法、前述したＰＳＩＴ方法の２つ以上の測定プロセスは、照射軸の異なる同じ試料で実行される。２つの測定間で横方向の位置が変化することにより、発光ナノエミッタの縦方向の位置を測定することができる。
【０３９６】
ＰＳＩＴ方法のもう１つの実施形態では、平行にするＰＳＩＴ方法で、光は、マイクロレンズアレイ、またはその他の専門家に公知の光学手段に入射し、これによって一連の配光分布を平行にすることができ、これらの配光分布は、光学モジュールによって修正されて、多数の離散点に対してＰＳＩＴ方法が同時に実行される。
【０３９７】
ＰＳＩＴ方法のもう１つの実施形態では、マルチスペクトルのＰＳＩＴ方法（図示せず）で、試料は、連続的または同時に、少なくとも２つの一連の照明によって照明され、各々のシーケンスが異なる波長で光を試料に照射する。
【０３９８】
ＰＳＩＴ方法のもう１つの実施形態では、不変または可変の追加の偏光要素を検光子の後ろに設置して、試料に照射光の分布の偏光を制御し、ベクトル効果を制限するか、偏光の多様性を形成するか、試料成分の偏光パラメータを測定する。
【０３９９】
ＰＳＩＴ方法のもう１つの実施形態では、出来上がった画像は、画像内の特徴を認識するために、一般的なハフ変換法を用いて処理される。
【０４００】
ＰＳＩＴ方法のもう１つの実施形態では、点滅効果を利用して、互いに短い距離を置いて位置している光源を一時的に分離する。この点滅効果は、自然なものであってもよいし、例えば追加の波、規則波または特異波が光活性効果または光抑制効果によって起こすものであってもよい。極めて高速で情報を取得するこの実施形態では、順に発光する点の位置特定プロセスで、前述した照射分布に応じて再発光された強度に対して点を位置特定するプロセスを使用する。
【０４０１】
ＰＳＩＴ方法のもう１つの実施形態では、波は同時に照射され、多光子蛍光効果（二光子蛍光を含む）またはラマン効果によって、非線形的に相互作用する。
【０４０２】
ＰＳＩＴ方法のもう１つの実施形態では、配光分布は、共通光路を有する光学系によって形成され、ファイバの中に導入されて、前述したトポロジー群の異なる小規模な配光分布がファイバの出口で生じるようにし、この構成により、光学系で顕微鏡の配光分布を形成でき、顕微鏡の設計および使用が簡易になる。ＰＳＩＴ方法のこの実施形態では、ファイバを伝送に使用して、以前に形成された様々な光学モードを、モードに応じて変化できる緩和を潜在的に伴って伝送できる。ＰＳＩＴ方法のこの実施形態では、ファイバは、モード間に相互作用を起こすこともでき、ファイバから現れるモードは、システムがファイバの静的または動的な結合を考慮して使用するように設計されていれば、ファイバに入射するモードとは異なっていてよい。
【０４０３】
ＰＳＩＴ方法のもう１つの実施形態では、蛍光色素分子の放出へのスペクトル依存も、フェルスターのエネルギー移動効果または同等の効果によって変化する。
【０４０４】
ＰＳＩＴ方法のもう１つの実施形態では、トポロジーの異なる配光分布の照射は、円錐回折によって実行され、系は、当業者に公知の分散要素などであって、プリズムおよびネットワークなどの別の要素を追加することで、あるいはレンズなどの内部要素を修正するか、逆の分散を有する２つ以上の結晶を使用して、無彩色にするために修正されている。
【０４０５】
ＰＳＩＴ方法のもう１つの実施形態では、トポロジーの異なる配光分布の照射は、円錐回折によって実行され、系は、当業者に公知の分散要素などであって、プリズムおよびネットワークなどの別の要素を追加することで、あるいはレンズなどの内部要素を修正するか、逆の分散を有する２つ以上の結晶を使用して、無彩色にするために修正されている。
【０４０６】
ＰＳＩＴ方法のもう１つの実施形態では、トポロジーの異なる配光分布の照射は円錐回折によって実行され、系は、当業者に公知の温度に依存する光学要素などの別の要素を追加することで、あるいはレンズなどの内部要素を修正するか、温度依存が逆の２つ以上の結晶を使用して、無熱にするために修正されている。
【０４０７】
本発明のもう１つの実施形態では、共通光路を有する光学系から出ていて、規則波とは波長が異なる可能性がある特異波は、蛍光色素分子を排除するか、蛍光色素分子とは異なる励起状態の間を移行することで、規則波の作用を抑制する効果を生む。この実施形態は、ＨｅｌｌおよびＷｉｃｈｍａｎｎによる元の記載｛Ｈｅｌｌ，１９９４＃１２８８｝とは異なり、共通光路を有する光学系を使用して、系の複雑さおよび配列を大幅に簡易化し、系の堅剛性を改善してコストを下げている。
【０４０８】
前回の実施形態から派生した本発明の実施形態では、円錐回折または単軸結晶を用いる共通光路を有する光学系から出ていて、規則波とは波長が異なる可能性がある特異波は、蛍光色素分子を排除するか、蛍光色素分子とは異なる励起状態の間を移行することで、規則波の作用を低減する効果を生む。
【０４０９】
前回の実施形態から派生した本発明の実施形態では、共通光路を有する光学系では、円錐回折または単軸結晶を使用し、規則波および特異波は、動的な偏光要素の作用または追加の分散偏光要素のいずれかによって得られる。この実施形態は、ＨｅｌｌおよびＷｉｃｈｍａｎｎによる元の記載｛Ｈｅｌｌ，１９９４＃１２８８｝とは異なり、共通光路を有する光学系を使用して、系の複雑さおよび配列を大幅に簡易化し、系の堅剛性を改善してコストを下げている。
【０４１０】
（図示せず） ＰＤＯＳ方法のもう１つの実施形態では、縦方向の位置に応じて異なる点光源から来る光の誘導は、焦点面で行われる。これは、横方向の位置によって異なる偏光特性を有する素子を用いて実行される。設定面に対して縦方向に配置された点から入ってくる光は、所定位置に入射し、 特別な偏光特性を持ち、縦方向の（および横方向の）異なる位置にある点からの入射光は、異なる偏光特徴を有する焦点面上の他の位置に入射する。
【０４１１】
本発明の使用方法および利用方法についてのさらに踏み込んだ考察に関しては、上記の説明文から明らかでなるはずである。したがって、使用形態および動作形態に関する考察は一切記載しない。
【０４１２】
この点に関して、本発明の少なくとも１つの実施形態を詳細に説明する前提として、本発明は、以下の説明文に記載の要素または図面に示した要素の詳細な構成および編成に対する適用例に限定されるものではないことは自明である。本発明は、他の実施形態も可能であり、様々な方法で実施し、実行することができる。さらに、本明細書で使用した用語および専門用語は、説明を目的とするものであって、限定するものではないことは自明である。
【０４１３】
本明細書に引用した参照文献は、本発明に適用できる多くの原理を教示するものである。したがって、 これらの出版物の全内容を参照によって本明細書に組み入れ、必要に応じて追加または代替の特徴および／または技術情報を教示するものとして組み入れる。
【０４１４】
ファイバ：伝送
光ファイバを使用する利点は、基本モードであるＴＥＭ００モードで伝送し、それのみで伝送する点である。しかしながら、光ファイバのいくつかの構成は、主に、だが排他的ではなく、「フォトニック結晶ファイバ」と呼ばれるファイバに基づいていて、渦モードを含むさらに複雑なモードで、同時であっても同時でなくても伝送できる。したがって、光ファイバを用いた円錐屈折によって形成された光学分布を排除して、光学系を動的に簡易化することが可能になる。
【０４１５】
また、いくつかのファイバ、「ダブルコアフォトニック結晶ファイバ」、｛Ｌｉ，２０１２＃１２８６｝によって、２つのモード間の相互作用が可能になり、そのうちの１つは渦モードであり、別の物理的機構を提供して多様な伝達関数を形成する。
【０４１６】
本発明は、本発明の適用が、本明細書に記載した説明文または図面に示した内容に記載の詳細に限定されるものではないと理解されるべきである。本発明は、他の実施形態も可能であり、様々な方法で実施し、実行することができる。当業者は、添付の特許請求の範囲に定義した本発明の範囲を逸脱しないかぎり、上記に記載したような本発明の実施形態に様々な修正および変更を適用してよいことを容易に理解するであろう。
【０４１７】
ＳＲＣＤＡアルゴリズムのもう１つの実施形態である組み合わせＳＲＣＤＡアルゴリズムでは、蛍光色素分子の位置は、（特定の解像ピッチで）格子上に離散していて、最大でｋ個の蛍光色素分子の可能な位置すべてを格子上で体系的に走査して、再構築が行われる（ｋは、本方法のパラメータとみなすか、あるいは測定した強度を用いて推定するか、あるいは異なる測定値を用いて推定する）。ｋ組の各位置に対して、逆問題の解決は、極めて簡易になる（例えば強度の推定は、ニュートン法を数回反復して行える）。
【０４１８】
ＳＲＣＤＡアルゴリズムのもう１つの実施形態であるエントロピーＳＲＣＤＡアルゴリズムでは、照射された信号を選択して、再構築エントロピーを最大にする点に順に位置決めして追加の測定を行う。したがって、この動的なモードは、系の精度を測定数に対して最適にする。
【０４１９】
ＳＲＣＤＡアルゴリズムのもう１つの実施形態である曖昧なＳＲＣＤＡアルゴリズムでは、蛍光色素分子が吸収した光子量を最小にするように照射された信号を選択して順に位置決めして、追加の測定を行う。この実施形態は、収集した情報と吸収された光子量との間で最適な妥協点を見い出して、エントロピーモードと組み合わせることができる。
【０４２０】
多くの超解像技術は、波長の一区分よりも小さいサイズの点光源を測定することに基づいている。記載した実施形態による超解像技術により、点光源を測定できるだけでなく、例えば、主に線、円さらには連続物体のセグメントなどの構造物体も測定できる。生物学では、この拡大解釈により、フィラメント、ニューロンおよびいくつかの微小管などの主要な生物学的実体の測定が可能になる。
【０４２１】
本発明を理解しやすくするための実施形態の説明では、顕微鏡法、さらに詳細には生物学、またさらに詳細には蛍光生物学における用途を紹介しているが、用途は、顕微鏡法の一般的な用途、および人工視覚を含む視覚分野全体に拡大できる。
【０４２２】
本発明の実施形態は、例えば眼科観察などがだこれに限定されない多くの医学用途に対して異なる光学系を選択することで適用できる。この適用分野は、解像度がミクロン単位になる生体または医学的物体を測定することに相当し、この解像度は、１から１０μｍである。
【０４２３】
また、本発明の実施形態は、後に説明するように、光ファイバを介して適用されてもよい。これによって、例えば、限定はしないが胃や消化器の観察のほか、結腸および尿路の観察など、さらに多くの用途が可能になる。
【０４２４】
本発明は、本発明の適用が、本明細書に述べた説明文または図面に示した内容に記載の詳細に限定されるものではないと理解されるべきである。本発明は、他の実施形態も可能であり、様々な方法で実施し、実行することができる。当業者は、添付の特許請求に定義した本発明の用途の分野を逸脱しないかぎり、上記に記載したような本発明の実施形態に様々な修正および変更を適用してよいことを容易に理解するであろう。 
【０４２５】
参照文献
付加的な参照文献
1.       Zeiss, "Zeiss Microscopy and image analysis, 
http://www.zeiss.com/4125681C00466C26/?Open" (2012). 
2.       Nikon, "MicroscopyU The source for Microscopy education" (2012), retrieved 6 March 2012. 
3.       L. Schermelleh, R. Heintzmann, and H. Leonhardt, "A guide to super-resolution fluorescence microscopy" The Journal of cell biology 190, 165-175 (2010).
4        M. V. Berry, "Conical diffraction asymptotics: fine structure of Poggendorff rings and axial spike" Journal Of Optics A-Pure And Applied Optics 6, 289-300 (2004). 
5.       W. contributors, (\i Wikipedia, The free Encyclopedia\i0 \par, 2 February 2012 19:47 \par), retrieved {\field{\*\fldinst{HYPERLYNK 
"http://en.wikipedia.org/w/index.php?title=Super_resolution microscopy&oldid= 474630789"}}{\fldrslt{\ul\cf1
http://en.wikipedia.org/w/index.php?title=Super resolution microscopy&oldid=4 74630789}}}\f0\fs24\par. 
6.       Lindegren, "Photoelectric astrometry - A comparison of methods for precise image location," in Modem astrometry; Proceedings of the Colloquium, Vienna, Austria, September 11-14, 1978., 1978), 197-217. 
7.       J. F. Nye and M. V. Berry, "Dislocations in Wave Trains," Proceedings of the Royal Society of London. Series A, Mathematical and Physical Sciences (1934-1990) 336, 165-190 (1974). 
8.       S. W. Hell and J. Wichmann, "Breaking the diffraction resolution limit by stimulated emission: stimulated-emission-depletion fluorescence microscopy"
Optics letters 19, 780-782 (1994). 
9.       S. M. Finkbeiner, "Robotic microscopy Systems" (2006). 
10.     W. R. Hamilton, "Third Supplement to an Essay on the Theory of Systems of
Rays" Trans. Royal Irish. Acad., pp 1-144 (1833). 
11.     H. Llyold, "On the Phenomena presented by Light in its Passage along the Axes of Biaxial Crystals," The London and Edinburgh Philosophical Magazine and Journal of Science ii, 112-120 (1833). 
12.     M. V. Berry and M. R. Jeffrey, "Conical diffraction: Hamilton's diabolical point at the heart of crystal optics," in Progress in Optics (2007 - In Press). 
13.     M. V. Berry, M. R. Jeffrey, and J. G. Lunney, "Conical diffraction: observations and theory.," Proc. R. Soc. A. 462 1629-1642 (2006). 
14.     C. Phelan, D. O'Dwyer, Y. Rakovich, J. Donegan, and J. Lunney, "Conical diffraction and Bessel beam formation with a high optical quality biaxial crystal", J. Opt. A, Pure Appl. Opt 7, 685-690 (2009). 
15.     M. Berry and M. Jeffrey, "Conical diffraction: Hamilton's diabolical point at the heart of crystal optics," Progress in Optics 50, 13 (2007). 
16.     A. Geivandov, I. Kasianova, E. Kharatiyan, A. Lazarev, P. Lazarev, and S. Palto, "Printable Thin Birefringent Film Retarders for LCD." 
17.     B. Acharya, A. Primak, T. Dingemans, E. Samulski, and S. Kumar, "The elusive thermotropic biaxial nematic phase in rigid bent-core molecules," Pramana 61, 231-237 (2003). 
18.     T. Maldonado, "Electro-optic modulators," in Handbook of Optics, M. Bass, ed. (McGraw Hill, Orlando, 1995). 
19.     J. Kemp, "Piezo-optical birefringence modulators: new use for a long-known effect," Journal of the Optical Society of America 59, 950-953 (1969). 
20.     D. H. Goldstein and E. Collett, Polarized light (CRC, 2003), Vol. 83. 
21.     J. B. Pawley, Handbook of biological confocal microscopy (Springer Verlag, 2006). 
22.     M. Bass, Handbook of optics (McGraw-Hill, 2001). 
23.     M. Minsky, "Microscopy Apparatus", 3,013,467 (1961). 
24.     A. Ferrando, M. Zacares, and M.-A. Garcia-March, "Vorticity Cutoff in Nonlinear Photonic Crystals," Physical Review Letters 95, 043901 (2005). 
25.     P. Li, J. Zhao, S. Liu, X. Gan, T. Peng, and X. Jiao, "Dynamic behaviors of optical vortices in dual-core photonic crystal fibers," Optics Communications (2012). 
26.     Y. Zhang, "Generation of three-dimensional dark spots with a perfect light shell with a radially polarized Laguerre-Galsoan beam", Applied optics 49, 6217-6223 (2010).
【図１】
2018156090.tif 000016
【図２】
2018156090.tif 000017
【図３】
2018156090.tif 000018
【図４ａ】
2018156090.tif 000019
【図４ｂ】
2018156090.tif 000020
【図４ｃ】
2018156090.tif 000021
【図４ｄ】
2018156090.tif 000022
【図５】
2018156090.tif 000023
【図６】
2018156090.tif 000024
【図７ａ】
2018156090.tif 000025
【図７ｂ】
2018156090.tif 000026
【図８】
2018156090.tif 000027
【図９】
2018156090.tif 000028
【図１０】
2018156090.tif 000029
【図１１】
2018156090.tif 000030
【手続補正書】
【提出日】平成30年8月21日(2018.8.21)
【手続補正１】
【補正対象書類名】明細書
【補正対象項目名】全文
【補正方法】変更
【補正の内容】
【発明の詳細な説明】
【技術分野】
【０００１】
本発明は、光学測定方法および光学測定装置に関する。本発明は、あらゆるイメージング分野、限定しないが特に、顕微鏡法の分野であって、生物学、医学、薬学、半導体、材料研究、計量、制御、測定および観察の分野などだがこれに限定されない分野に適用されるほか、巨視的分野または微視的分野で光学的観察から情報を取得するためのあらゆる工程に適用される。
【背景技術】
【０００２】
光学顕微鏡とは、一般に肉眼で見るには小さすぎる物体を見る、解析するまたは測定するのに使用される光学機器である。
【０００３】
本明細書では、生命科学のあらゆる生物学的実体を記載するのに「生物学の」（ｂｉｏｌｏｇｉｃａｌ）という用語を用いるが、これはその母体が人間、動物または植物であるか、あるいはその観察、研究、診断または治療の目的が何であるかを問わない。この用語には、記載する技術の医学的な使用も含まれる。  顕微鏡法は、例えば、生物学的実体（物体）およびその動作を観察し、研究し、測定するために、生物学分野で使用されるものである。
【０００４】
広義には、人工視覚という用語は、人間または機械によって生産、建設または作製された物体または要素のあらゆる測定用途、計量または観察を説明し、例えば半導体を観察、研究、測定したり、材料を特徴付けたりするために使用される。
【０００５】
光回折限界、レイリー基準、エアリーディスクならびにその半径および直径に対して通常の定義が用いられる。本発明に関し、超解像、超解像した、超解像イメージングおよび超解像顕微鏡法という用語を使用して、光回折限界よりも高い解像度での光学データ取得、光学イメージング、顕微鏡法および人工視覚について記載する。通常の定義は、蛍光および蛍光色素分子に対して使用される。
【０００６】
ここで、顕微鏡法１００の模範を示す図である図１を参照する。
【０００７】
光学顕微鏡は、顕微鏡１０を使用して行う、光源（図示せず）を介した生体または非生体試料１１への照明、および視覚による観察または検出モジュール１２のいずれかを用いて、試料から放出、再放出、拡散、反射または伝送された光の時間依存測定を含む方法である。生物学において、試料は、異なる位置に置かれた１つまたは複数の異なる生物学的実体１３および１４を含むものである。このような物体の例には、とりわけ細胞、ウイルス、タンパク質およびＤＮＡの断片がある。工業的な人工視覚において、試料は、例えば半導体素子であってよい。
【０００８】
顕微鏡法は、様々な特徴および目的を有する様々な方式に分けられる。この様々な方式、その特徴およびその利点に関する多くの記述が文献には広く存在し、例えばＺｅｉｓｓ社［１］、Ｌｅｉｃａ、Ｎｉｋｏｎ社［２］、またはＯｌｙｍｐｕｓ社のウェブサイト上で見られる。
【０００９】
顕微鏡法の用途は、多くの様々な方法で体系化できる。そのうちの１つは、微小な光源を表示するための顕微鏡法の方式を、連続物体を測定するための方式と区別することである。
【００１０】
光源が微小な場合の方が一見して遙かに単純である。物体は、少数の光源から成り立っており、光源は、物理的問題およびアルゴリズムの難点を大いに簡易化する少数のパラメータ（以下、これをディスクリプタと定義する）を用いて説明できる。連続物体の場合は、空間分布（あるいは、力学を考慮する場合は時空間分布）が異なることを説明し、本明細書でもこれを説明する。
【００１１】
蛍光顕微鏡法は、顕微鏡法の変形例の１つであり、多くの用途において他の顕微鏡法技術に取って代わったものである。蛍光顕微鏡とは、反射および吸収などの他の手段の代わり、またはこの手段に加えて蛍光現象を利用して、物体の特性または有機成分や無機成分の特性を研究するのに使用される光学顕微鏡である。
【００１２】
再度図１を参照し、生物学または人工視覚のいずれかで用いられて、例えば材料を特徴付けるための蛍光顕微鏡について今度は説明する。蛍光顕微鏡法では、１つの蛍光光子の物理的現象に基づいて起こる極小の点光源１５から１８である例えば蛍光色素分子を、所定の生体１３および１４の特定の位置に設定する。生体１３および１４自体が放出する光を観察する代わりに、点光源から放出される光を観察する。
【００１３】
試料は、点光源に吸収される波長または特定の波長の光に照明され、それによって様々なより長波長の光が放出される。蛍光により放出される光を集束する間、照明光は、分光フィルタを使用することで、より低い放出される蛍光から分離される。
【００１４】
蛍光顕微鏡法は、小さい光源、蛍光色素分子から放出される光を研究するものである。しかしながら、蛍光色素分子の密度が高い場合、蛍光色素分子は個別に解析されなくなり、連続物体として処理される。
【００１５】
この段階から、同じシステムで連続物体の観察が可能になり、光源の観察に限定されないことに注意することが重要である。
【００１６】
蛍光色素分子は、生体を可視化するための重要な道具になっている。２００ｎｍの分解能を越える細部を含む生物活動および生物情報が、蛍光顕微鏡法を用いて体系的に観察、測定される。この分解能限界は、レイリー基準によるものであり、この基準は、最良の場合、特別に設計されたシステム（系）では２００ｎｍに達する。以下に説明する超解像技術が出現するまでの長い間、蛍光顕微鏡法をはじめとする光学技術では、約２００ｎｍであるレイリー基準よりも小さい細部を可視化することは不可能であると認識されていた。
【００１７】
しかし、生体試料内では、２００ｎｍよりも小さい規模でこれ以外の基本的な生物活動も起きている。このレベルの空間分解能では、重要な現象を観察することができる。具体的には、細胞内規模での生物学的過程、細胞情報の転送、タンパク質のフォールティングおよびアンフォールディングならびにＤＮＡおよびＲＮＡの変化である。例えば、この細胞内情報の測定により、生物活動の理解に新たな道が開かれ、研究の経過観察および医学的診断に対する理解が深まることになる。
【００１８】
蛍光顕微鏡法の主な実施態様は、文献に詳細に記載されているように、共焦点顕微鏡であり、この共焦点顕微鏡は、走査機能または回転ディスクを備える顕微鏡、および広視野イメージングの顕微鏡に使用されることが多い。
【００１９】
次に、本発明および先行技術で共に使用される共焦点蛍光顕微鏡２００を簡易化した図である図２を参照する。
【００２０】
図２の共焦点蛍光顕微鏡は、光学機器である。その主要ハードウェア部品を図２に示す。この部品は、
光源２０、
光学機械フレーム（図示せず）、
立体フィルタ２１、
顕微鏡対物レンズ２２、および
検出アセンブリ２３、
処理ユニット（図示せず）
を備える。
【００２１】
アーク灯またはレーザであってよい光源２０は、蛍光に必要な光エネルギーを形成する。
【００２２】
光学機械フレーム（図示せず）は、あらゆる光学部品および補助光学器械の基盤であり、位置調整能力を備えている。光学機械フレームは、光学素子（図示せず）も備えており、この光学素子は、ビーム形状を加工する能力があり、顕微鏡対物レンズを用いてビームの焦点を最小サイズにすることができる。
【００２３】
光学機械フレームは、走査型共焦点蛍光顕微鏡の場合、空間走査機構（図示せず）または角度走査機構も備えて、被測定物体に対する点光源の位置を変更する。
【００２４】
また、走査機構は、
例えば並進プレートを使用して、物体を機械的に並進運動させること、
例えば一連のガルバノミラーもしくは音響光学式並進器を使用して、物体へ照射されるビームを光学的に走査すること、または機械的もしくは光学的なこれらの並進運動手段を組み合わせたものを使用すること
が可能である。
【００２５】
走査型共焦点蛍光顕微鏡では、情報は、走査機構を使用して点ごとに収集される。
【００２６】
回転ディスクタイプの共焦点蛍光顕微鏡では、複数のピンホールを有する回転ディスクも備えることができ、これによって複数の点を同時に照射することが可能になる。共焦点蛍光顕微鏡の回転ディスクでは、ピンホールに対応する一連の点が常時取得され、ディスクが回転することによって、特定の縦方向の位置に対して試料の表面全体を走査することができる。
【００２７】
立体フィルタ２１は、様々に異なる光信号を誘導し、励起光による蛍光信号の混入を回避する。立体フィルタは、励起フィルタ２１０、ダイクロイックミラー２１１、および蛍光フィルタ２１２で構成される。フィルタおよびダイクロイックミラーは、励起の波長および蛍光色素分子の発光スペクトルの特徴に応じて選択される。
【００２８】
顕微鏡対物レンズ２２は、光源が形成した光をレンズ２４の焦点面で集光して、小サイズの配光分布パターンを形成し、最適な配光分布は、エアリーディスクからなる。顕微鏡対物レンズ２２は、蛍光色素分子が放出する蛍光も集光する。
【００２９】
走査型共焦点蛍光の場合、システムをデスキャンできる、すなわち、反射光は、走査機構を通過して、走査によって生じる並進運動を補償することができる。
【００３０】
検出レンズ２５は、検出器２６の像面に、レンズ２４の焦点面を拡大した像を形成する。
【００３１】
共焦点ピンホール２７は、理論的には検出器２６の像面に配置される。
【００３２】
実際のほとんどのシステムでは、共焦点ピンホール２７は、中間結像面（図示せず）に配置され、検出器２６の像面上に再び結像される。
【００３３】
検出器アセンブリ２３は、全体的な照明量の蛍光度を検出し、これをデジタル信号に変換する。走査型共焦点顕微鏡の場合、検出器は、ＰＭＴまたはＳＰＡＤなどの単一素子の検出器を備える。回転ディスクを使用する共焦点顕微鏡の場合、検出器は、ＣＣＤ、ＥＭＣＣＤ、ＣＭＯＳまたはＳＰＡＤのマトリクスなど、検出素子のマトリクスを備える。
【００３４】
光源からダイクロイックフィルタまでに取り付けられる部品はすべて、照明路２０１である。検出チャネル２０２は、ダイクロイックフィルタから検出器のアセンブリまでに取り付けられる全部品を表す。
【００３５】
共焦点顕微鏡の基本光学プロセスを、以下の６ステップ：
・  解析分量に光を照射する
・  蛍光色素分子によって蛍光を放出する
・  蛍光色素分子を焦点面に結像させる
・  解析した光を共焦点ピンホールによって焦点面に限定する
・  解析した光を光電検出器によって一体にする
・  測定した強度を画像の画素値として表示する
に分けることができる。
【００３６】
蛍光顕微鏡は、Ｎｉｋｏｎ、Ｚｅｉｓｓ、ＬｅｉｃａおよびＯｌｙｍｐｕｓなど、数社のメーカーから入手可能である。蛍光顕微鏡は、蛍光に適した標準の顕微鏡でもよいし、蛍光用に特別に最適化した顕微鏡でもよい。現代の顕微鏡は、同じプラットフォームおよびほとんどの光学機械部品を使用する多くの様々な方式で動作することができる多用途機器であり、この方式には蛍光方式などがあるが、これに限定されない。ほとんどの蛍光顕微鏡は、最小限の修正でいくつかの追加機能を実行できる、オープンプラットフォームとして開発されている。その他の蛍光顕微鏡は、医学的診断または調剤など、特殊な作業に適応された専用の機器である。
【００３７】
超解像
新しい光学方法である超解像方法は、レイリー基準を下回る光源を区別することができる。これらの方法は、複数の企業、研究所および研究者によって開発されており、これらの方法、超解像顕微鏡を用いる機器のいくつかは市販されている。超解像法のいくつかの比較解析に関する文献が最近発行され、Ｓｃｈｅｒｍｅｌｌｅｈらによる文献［３］などがある。
【００３８】
Ｚｅｉｓｓ社のウェブサイト［１］、およびＮｉｋｏｎ社のウェブサイト［２］には、超解像に関する最新の文献が掲載されている。
【００３９】
超解像を組み入れていない様々な既存の顕微鏡法および既存の顕微鏡では、最大で光回折限界までの顕微鏡観察が可能である。これでは、その使用分野は、限定された用途に縮小される。
【発明の概要】
【発明が解決しようとする課題】
【００４０】
新規な超解像技術では、分解能限界を超える情報を得ることができる。あらゆる既存の超解像技術の主な問題は、横方向の分解能、縦方向の分解能、速度、生体内の光毒性に必要な光度、様々な物体を測定する能力に関して現れる性能範囲が極めて限られている点である。
【００４１】
さらに、ほとんどの方法および機器が提供できるのは、良好な横方向の分解能か縦方向の分解能のいずれかの超解像であり、両方を提供できるものは稀である。
【００４２】
さらに、これらの機器はすべて複雑であり、高度なスキルを持つオペレータを必要とする。
【００４３】
さらに、これらの機器は、機器によっては、フィールドの深さが浅いことや、細胞に危険となるきわめて高い光度が必要であるなど、操作上の厳しい限界があるために、全体的に生物標本のわずかな部分しか観察できない。
【００４４】
超解像の方法および機器に伴うもう１つの問題は、ほとんどの機器が照明分量内で単一の蛍光色素分子の特性を回復することはできるが、複数の蛍光色素分子の存在を同時に認識してその特性を測定することはできないという点である。
【００４５】
超解像の方法および機器に伴うさらに別の問題は、これらの方法および機器が、使用者には標準の顕微鏡または共焦点顕微鏡に取って代わることのできる一般的な道具として見られ、認識されている点である。しかし、超解像の方法および機器には、簡素性、堅剛性、使いやすさ、および標準の顕微鏡の競争価格が欠けており、これが研究道具または一般的な診断道具としての使用を妨げている。
【００４６】
既存の超解像の方法および道具に伴うもう１つの問題は、これらの方法および道具のほとんどが、標準の顕微鏡に取って代わるように設計された独立型機器として設計されている点である。このような手法では、既存の機器を入れ替える必要があり、長年にわたって開発されてきた顕微鏡法のプラットフォームに関するあらゆるシステムや装置、あらゆる知識およびノウハウの刷新が必要である。
【００４７】
蛍光顕微鏡法および超解像のほとんどの方法および機器に伴うもう１つの問題は、これらの方法および道具が、画像取得の模範に基づいて設計されており、基本情報の実体は、２次元または３次元の１つ（または複数）の画像、あるいは１つ（または複数）のＲＯＩ（Ｒｅｇｉｏｎ  Ｏｆ  Ｉｎｔｅｒｅｓｔ、関心領域）である点である。本発明内で後に記載するアルゴリズム法、体系的方法および超解像法は、これらの固有の柔軟性により、新たな取得法の開発を可能にするものである。動的かつ選択的なこれらの取得手順は、最適化した連続取得および相互作用的かつ異なる処理によって定義される。これらの取得手順によって、１つ以上の蛍光物体の形状、立体構造および動作に基づく基準によって定義された有益情報を、別々にまたは互いさらに洗練して最適化することができる。
【００４８】
そのため、蛍光色素分子の特性を高精度で測定できる超解像の方法および道具ならびにアルゴリズム法を提供する差し迫った必要性が依然としてある。同じ被照明分量内に配置された複数の蛍光色素分子の存在を検出し、定量する方法および道具を提供することも必要である。
【００４９】
蛍光顕微鏡法および超解像に関するほとんどの既存の方法および機器にみられるもう１つの問題は、これらの方法および機器が顕微鏡スライド上にある試料を研究するように設計されているという点である。しかしながら、共焦点顕微鏡は今日、診断対象の組織から放出される蛍光を照明して表示するために使用される光ファイバを用いて人体の内外を検査する生体内診断機器として多くの医学分野で使用されている。超解像は、現時点ではこのような生体内診断を実施するものではない。本発明の文脈で後に記載する、アルゴリズムを用いる体系的な超解像方法により、生検を行う必要性を低減し、患者の待ち時間を短縮する新規な生体内診断方法を開発することが可能になる。
【課題を解決するための手段】
【００５０】
本発明の第１の態様では、試料の空間または時空間分布を判断するための光学測定プロセスであって、試料が少なくとも１つの再放出光源を備え、前記少なくとも１つの再放出光源が、照射光に応じて光を試料に再放出するプロセスにおいて、
光学照射器を用いて、同じ光路に沿って広がるトポロジー群の異なる少なくとも２つの配光分布を試料に照射すること、
試料の前記少なくとも１つの再放出光源が再放出する光を検出すること；
検出光から少なくとも１つの光学画像を生成すること、および
光学画像をアルゴリズムで解析して、前記少なくとも１つの再放出光源の位置情報を得ること
を含む、プロセスを明らかにする。
【００５１】
試料への照射は、順に行ってもよいし、同時に行ってもよい。再放出光源は、点光源、構造物体であってよく、例えば線や円のセグメントまたは連続物体であってよい。
【００５２】
一実施形態によれば、光学照射器は、色収差が除去されている。
【００５３】
一実施形態によれば、トポロジー群の異なる少なくとも２つの小規模な配光分布は、順に照射される。
【００５４】
一実施形態によれば、検出光からの少なくとも１つの光学画像の生成は、画像が照明される各瞬間に実行される。
【００５５】
１つの実施形態によれば、トポロジー群の異なる前記少なくとも２つの小規模な配光分布は、規則波と特異波との間または２つの特異波の間の干渉によって形成され、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との間または２つの特異波の間の位相差
のうちの少なくとも１つを変化させることによって形成される。
【００５６】
一実施形態によれば、トポロジー群の異なる配光分布の照射は、円錐回折によって実行される。
【００５７】
一実施形態によれば、上記プロセスは、円錐回折を実施する少なくとも１つの円錐形結晶の入射および出射の偏光状態を変化させることによって照射を修正することも含む。
【００５８】
一実施形態によれば、トポロジー群の異なる配光分布の照射は、薄型結晶中の円錐回折によって実行される。
【００５９】
一実施形態によれば、上記プロセスは、トポロジー群の異なる少なくとも２つの小規模な配光分布を、光ファイバを介して光路部分に沿って伝送することも含む。
【００６０】
一実施形態によれば、光ファイバは、フォトニックファイバを含む。
【００６１】
一実施形態によれば、上記プロセスは、物理的作用を印加することによって、試料中で互いに最短距離を置いて位置している再放出光源を、顕微鏡法による位置特定技術を用いて一時的に分離することを含む。
【００６２】
一実施形態によれば、本方法は、光活性効果または光抑制効果によって、追加の波、規則波または特異波を用いた物理的効果を誘導することも含む。
【００６３】
一実施形態によれば、照射された配光分布の波は、多光子蛍光効果またはラマン効果によって、非線形的に相互作用する。
【００６４】
一実施形態によれば、光ファイバは、以前に形成されたトポロジー群の異なる小規模な配光分布を、様々な配光分布に対して異なる緩和を伴って伝送するように構成される。
【００６５】
一実施形態によれば、光ファイバは、ファイバ内で静的または動的に結合することで、光ファイバに導入された配光分布どうしの相互作用を生み出すように、かつ、ファイバから現れる配光分布がファイバ内に導入された配光分布とは異なるように配置される。
【００６６】
一実施形態によれば、再放出光源からの放出のスペクトル依存は、フェルスターのエネルギー移動効果によっても修正される。
【００６７】
一実施形態によれば、前記トポロジー群の異なる少なくとも２つの小規模な配光分布は、同じ場所に位置する。
【００６８】
一実施形態によれば、色収差が除去されたユニットは、スペクトル帯の波長幅がスペクトル帯の中央の波長の１５％よりも大きい少なくとも１つの光源を備え、色収差が除去された光学ユニットは、スペクトル帯のどの波長に対しても、同じ光路に広がって同じ場所に位置している、トポロジー群の異なる小規模な配光分布を形成する。
【００６９】
本発明の第２の態様では、試料の空間または時空間分布を判断するための測定装置であって、試料が少なくとも１つの再放出光源を備え、前記少なくとも１つの再放出光源が、照射光に応じて試料に光を再放出する、装置において、
−  同じ光路に広がるトポロジー群の異なる少なくとも２つの小規模な配光分布を試料に照射する、色収差が除去された照射モジュール、
−  試料の前記少なくとも１つの再放出光源から放出される光を検出できる検出モジュール、
−  検出光から少なくとも１つの光学画像を生成できる生成モジュールおよび
−  前記少なくとも１つの再放出光源の位置情報を得るために光学画像を解析できるアルゴリズム解析モジュール、
を備える装置を明らかにする。
【００７０】
一実施形態によれば、照射モジュールは、トポロジー群の異なる少なくとも２つの小規模な配光分布を順に照射するように構成される。
【００７１】
一実施形態によれば、生成モジュールは、画像が照明される各瞬間に、検出光から前記少なくとも１つの光学画像を生成するように構成される。
【００７２】
一実施形態によれば、
照射モジュールは、規則波と特異波との間または２つの特異波の間の干渉によって、トポロジー群の異なる前記少なくとも２つの小規模な配光分布を形成でき、前記少なくとも２つの分布間の空間的相違は、以下のパラメータ：
ａ）規則波のパラメータのうちの少なくとも１つ、
ｂ）少なくとも１つの特異波の少なくとも１つのパラメータ、および
ｃ）規則波と特異波との間または２つの特異波の間の位相差、
のうちの少なくとも１つを変化させることによって形成される。
【００７３】
一実施形態によれば、照射モジュールは、円錐回折によってトポロジー群の異なる配光分布の照射を実行するための少なくとも１つの円錐形結晶を備える。
【００７４】
一実施形態によれば、本装置は、前記少なくとも１つの円錐形結晶の入射および出射の偏光状態を変化させるように構成された照射修正手段も備える。
【００７５】
一実施形態によれば、前記少なくとも１つの円錐形結晶は、薄型結晶である。
【００７６】
一実施形態によれば、本装置は、トポロジー群の異なる少なくとも２つの小規模な配光分布を光路部分に沿って伝送することを実行するための光ファイバも備える。
【００７７】
一実施形態によれば、光ファイバは、フォトニックファイバを含む。
【００７８】
一実施形態によれば、本装置は、物理的作用を印加することによって、試料中で互いに最短距離を置いて位置している再放出光源を、顕微鏡法による位置特定技術を用いて一時的に分離できる一時的分離モジュールも備える。
【００７９】
一実施形態によれば、本装置は、光活性効果または光抑制効果によって、追加の波、規則波または特異波を用いた物理的効果を誘導する手段も備える。
【００８０】
一実施形態によれば、照射モジュールは、配光分布の波を照射するように構成され、波が多光子蛍光効果またはラマン効果によって非線形的に相互作用するようにする。
【００８１】
一実施形態によれば、光ファイバは、以前に形成されたトポロジー群の異なる小規模な配光分布を、様々な配光分布に対して異なる緩和を伴って伝送するように構成される。
【００８２】
一実施形態によれば、光ファイバは、ファイバ内で静的または動的に結合することで、光ファイバに導入された配光分布どうしの相互作用を生み出すように、かつ、ファイバから現れる配光分布がファイバ内に導入された配光分布とは異なるように配置される。
【００８３】
一実施形態によれば、本装置は、フェルスターのエネルギー移動効果によって再放出光源からの放出のスペクトル依存を修正する手段も備える。
【００８４】
一実施形態によれば、本装置は、追加の光学要素を加えるか本装置の内部要素を修正することで、色収差を除去するかアサーマルにするか、あるいは色収差を除去しかつアサーマルにするように修正される顕微鏡法装置を備える。
【００８５】
一実施形態によれば、追加された光学要素は、少なくとも１つのプリズム、ネットワーク、レンズまたは分散が逆である追加の結晶を備える。
【００８６】
一実施形態によれば、色収差が除去された照射モジュールは、同じ場所に位置しているトポロジー群の異なる少なくとも２つの小規模な配光分布を形成できる。
【００８７】
一実施形態によれば、色収差が除去された照射モジュールは、スペクトル帯の波長幅がスペクトル帯の中央の波長の１５％よりも大きい少なくとも１つの光源を備え、スペクトル帯のどの波長に対しても、同じ光路に広がって同じ場所に位置している、トポロジー群の異なる小規模な配光分布を形成するように構成される。
【００８８】
本発明の第３の態様は、試料の空間または時空間分布を決定するための光学測定プロセスであって、試料が少なくとも１つの再放出光源を備え、前記少なくとも１つの再放出光源が、規定の法則に従って照射光に応じて光を試料に再放出するプロセスにおいて、
円錐回折または単軸結晶を用いて、トポロジー群の異なる少なくとも２つの小規模な配光分布を、共通光路を有する光学系で試料に照射すること；
試料の前記少なくとも１つの再放出光源から放出される光を検出すること；
検出光から少なくとも１つの光学画像を生成すること、および
光学画像をアルゴリズムで解析して、前記少なくとも１つの再放出光源の位置情報を得ること
を含む、プロセスに関する。
【００８９】
１つの実施形態によれば、照射手段は、規則波と特異波との間または２つの特異波の間の干渉によって形成される、トポロジー群の異なる前記少なくとも２つの小規模な配光分布を形成でき、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との位相差または２つの特異波の位相差
のうちの少なくとも１つを変化させることによって形成される。
【００９０】
一実施形態によれば、共通光路を有する光学系から出ていて、規則波とは波長が異なる特異波は、前記少なくとも１つの再放出光源を排除するか、前記少なくとも１つの再放出光源とは異なる励起状態の間を移行することで、規則波の作用を抑制する効果を生む。
【００９１】
一実施形態によれば、偏光分散効果は、共通光路を有する光学系が、動的に修正することなく１つの波長で規則波を形成し、別の波長で特異波を形成できるようにするために利用される。
【００９２】
本発明の第４の態様では、試料の空間または時空間分布を判断するための光学測定装置であって、試料が少なくとも１つの再放出光源を備え、前記少なくとも１つの再放出光源が規定の法則に従って照射光に応じて光を試料に再放出する装置において、
共通光路を有するトポロジー群の異なる少なくとも２つの小規模な配光分布を円錐回折によって試料に照射するための少なくとも１つの円錐または単軸結晶；
試料の前記少なくとも１つの再放出光源から放出される光を検出できる検出手段；
検出光から少なくとも１つの光学画像を生成できる生成手段、および
光学画像をアルゴリズムで解析して、前記少なくとも１つの再放出光源の位置情報を得られるアルゴリズム解析手段
を備える、装置を明らかにする。
【００９３】
一実施形態によれば、本装置は、
規則波と特異波との間または２つの特異波の間の干渉によって形成される、トポロジー群の異なる前記少なくとも２つの小規模な配光分布を形成するための干渉手段であって、前記少なくとも２つの分布間の空間的相違は、以下のパラメータ：
ａ）規則波のパラメータのうちの少なくとも１つ；
ｂ）少なくとも１つの特異波の少なくとも１つのパラメータ、および
ｃ）規則波と特異波との位相差または２つの特異波の位相差
のうちの少なくとも１つを変化させることによって形成される、干渉手段をさらに備える。
【００９４】
一実施形態によれば、共通光路を有する光学系から出ていて、規則波とは波長が異なる特異波は、前記少なくとも１つの再放出光源を排除するか、前記少なくとも１つの再放出光源とは異なる励起状態の間を移行することで、規則波の作用を抑制する効果を生む。
【００９５】
一実施形態によれば、本装置は、共通光路を有する光学系が、動的に修正することなく１つの波長で規則波を形成し、別の波長で特異波を形成できるようにするための偏光分散効果を生み出すための偏光分散手段を備える。
【００９６】
本発明のもう１つの態様では、人工視覚用の実施形態のうちのいずれか１つによるプロセスの使用を明らかにする。
【００９７】
本発明のもう１つの態様では、医学用途用の実施形態のうちのいずれか１つによるプロセスの使用を明らかにする。
【００９８】
本発明のもう１つの態様では、生物細胞を研究するための実施形態のうちのいずれか１つによるプロセスの使用を明らかにする。
【００９９】
本発明のもう１つの態様では、光学プロセスであって、
円錐回折に基づく無彩色光学ユニットを用いて、主要な入射規則波を少なくとも１つの補足的な入射規則波から物理的に分離すること（前記少なくとも１つの補足的な入射規則波は主要な規則波とは異なる）、
前記無彩色ユニット内の伝播で修正されていない主要な規則波と、前記少なくとも１つの補足的な規則波とが、現れている特異波にエネルギーの測定可能な部分を伝達し、現れている特異波が、前記少なくとも１つの補足的な規則波のエネルギーのみを含むようにすること；および
光学要素を偏光、吸収または分離して、現れている特異波を主要な入射規則波から分離すること
を含む、光学プロセスを明らかにする。
【０１００】
本発明の一実施形態によれば、主要な入射規則波および前記少なくとも１つの補足的な入射規則波は、偏光する。
【０１０１】
本発明の一実施形態によれば、主要な入射規則波および前記少なくとも１つの補足的な入射規則波は、少なくとも部分的にコリメートされる。
【０１０２】
本発明の一実施形態によれば、主要な規則波および前記少なくとも１つの補足的な規則波は、コリメートのそれぞれの度合いが異なる。
【０１０３】
本発明の一実施形態によれば、主要な規則波および前記少なくとも１つの補足的な規則波は、それぞれの曲率半径パラメータが異なる。
【０１０４】
本発明の一実施形態によれば、主要な規則波および前記少なくとも１つの補足的な規則波は、異なる発信源から出ていて、主要な規則波および前記少なくとも１つの補足的な規則波は、それぞれの発信源の横または縦の位置に応じて異なる。
【０１０５】
本発明の一実施形態によれば、主要な規則波は、１つの発信源から出ていて、プロセスはさらに、現れている特異波の強度または位相の測定値から、発信源の横または縦の位置を判断することを含む。
【０１０６】
本発明の一実施形態によれば、無彩色光学ユニットは、円錐回折に基づくものである。
【０１０７】
本発明のもう１つの態様では、光学装置であって、
主要な入射規則波を少なくとも１つの補足的な入射規則波から物理的に分離するために、少なくとも１つの単軸結晶内の円錐回折または光の伝播に基づく少なくとも１つの無彩色光学モジュールであって、前記少なくとも１つの補足的な入射規則波が、主要な規則波とは異なり、
前記無彩色光学モジュールが、主要な規則波が前記結晶内の伝播で修正されないように構成され、前記少なくとも１つの補足的な規則波のエネルギーの測定可能な部分を、現れている特異波に伝達して、現れている特異波が前記少なくとも１つの補足的な規則波のエネルギーのみを含むようにする、無彩色光学モジュール；および
現れている特異波を主要な入射規則波から分離するために、偏光、吸収または分離する光学要素
を備える、光学装置を明らかにする。
【０１０８】
本発明の一実施形態によれば、本装置は、主要な入射規則波および前記少なくとも１つの補足的な入射規則波を偏光するための偏光モジュールも備える。
【０１０９】
本発明の一実施形態によれば、本装置は、主要な入射規則波および前記少なくとも１つの補足的な入射規則波を少なくとも部分的にコリメートするためのコリメートモジュールも備える。
【０１１０】
本発明の一実施形態によれば、主要な規則波および前記少なくとも１つの補足的な規則波は、コリメートのそれぞれの度合いが異なる。
【０１１１】
本発明の一実施形態によれば、主要な規則波および前記少なくとも１つの補足的な規則波は、それぞれの曲率半径パラメータが異なる。
【０１１２】
本発明の一実施形態によれば、主要な規則波および前記少なくとも１つの補足的な規則波は、異なる発信源から出ていて、主要な規則波および前記少なくとも１つの補足的な規則波は、それぞれの発信源の横または縦の位置に応じて異なる。
【０１１３】
本発明の一実施形態によれば、本装置は、現れている特異波の強度または位相の測定値から主要な規則波の発信源の横または縦の位置を判断するように構成された測定モジュールも備える。
【０１１４】
本発明の一実施形態によれば、無彩色光学モジュールは、円錐回折に基づくものである。
【０１１５】
本発明の少なくとも１つの実施形態の１つの目的は、蛍光顕微鏡法による超解像技術を、生物学およびさらに全般的には生命科学、またこれに加えて薬理学、医学および診断に対して提供し、これによって先行技術による装置の欠点を克服することである。
【０１１６】
本発明の少なくとも１つの実施形態の目的の１つは、蛍光顕微鏡法による超解像技術を生物分野に提供して、蛍光色素分子の特性を高精度で測定することができ、同じ被照明分量内にある複数の蛍光色素分子の特性を認識・測定することができる光学系を達成することである。
【０１１７】
本発明の少なくとも１つの実施形態のもう１つの目的は、蛍光顕微鏡法による超解像技術を生物分野に提供して、蛍光色素分子の特性を高精度で測定することである。
【０１１８】
本発明の少なくとも１つの実施形態のもう１つの目的は、同じ被照明分量内にある複数の蛍光色素分子の特性を高精度で取得・測定する蛍光顕微鏡法による超解像技術を生物分野に提供することである。
【０１１９】
本発明のもう１つの態様では、試料の構造物体または連続分布の少なくとも１つの発光ナノエミッタの空間位置を判断するための光学測定方法および色収差が除去された光学ユニットを提供し、本方法は、
試料中のトポロジー群の異なる少なくとも２つの一連の小規模な配光分布を照射すること；
前記少なくとも１つの発光ナノエミッタ、試料の構造物体または連続分布によって放出される光を検出すること；
検出光を基に、各配光分布に対して少なくとも１つの光学画像を生成すること；および
光学画像をアルゴリズムで解析し、前記少なくとも１つの発光ナノエミッタ、構造物体または連続分布の位置情報を得ること
を含む。
【０１２０】
本発明のもう１つの態様は、複数の点光源の空間位置を判断するための色収差を除去する光学測定プロセスおよび色収差が除去された光学ユニットにも関し、本方法は、複数の点光源から放出される光を検出すること；放出された光を複数の検出器に対して分離して、同時または連続的に検出すること；点光源から放出され、前記点光源の空間位置によって異なる特定の検出器に誘導される光を均衡すること；検出光から光学画像を生成すること；および光学画像をアルゴリズムで解析して、複数の点光源の位置情報を得ること、を含む。
【０１２１】
共焦点蛍光顕微鏡法に基づく本発明の実施形態についての説明は、必要な変更を加えて、共焦点のものでもそうでなくともその他の顕微鏡法方式に拡張できるとともに、生体、人工視覚またはその他のものを観察するかどうか、また物体が点光源、構造物体または連続物体で構成されるかどうかに関わらず、人工視覚にも拡張できる。
【図面の簡単な説明】
【０１２２】
次に、本発明をよりよく理解できるように、以下の図面を参照して特定の好適な実施形態と結びつけて本発明を説明していく。
【０１２３】
次に詳細な図面を特に参照するにあたり、表記した符号は、例として、本発明の好適な実施形態の考察を説明するために示したものであり、最も有益な説明と思われるもの、および本発明の原理および概念の局面を理解しやすいと思われるものを提供するためだけに示すものであることを強調しておく。この点に関して、本発明の基本的理解に必要である以上に本発明の構造的詳細を示す試みは一切しておらず、図面を用いた説明は、本発明のいくつかの形態が実際にどのように実施できるのかを当業者に明らかにするものである。
【０１２４】
【図１】先行技術の共焦点蛍光顕微鏡の概略斜視図である。
【図２】本発明の実施形態および先行技術に係る超解像の蛍光顕微鏡法の概略図である。
【図３】本発明の実施形態に係る円錐回折モジュールの組み立てを示す簡易概略図である。
【図４】共焦点顕微鏡法および方法論を用いる、本発明の実施形態による２つの測定模範の概略図である。
【図５】顕微鏡法プラットフォームＳＲＣＤＰを用いた測定方法の特定の実施態様の概略図である。
【図６】本発明の実施形態に係る横方向超解像モジュールの簡易概略図である。
【図７】偏光子の入射偏光および出射偏光に係る円錐回折モジュールの配光分布表であり、円錐回折パラメータρｏのいくつかの値を示す図である。この配光分布は、Ｂｅｒｒｙ［４］が開発した式のシミュレーションで計算したものである。
【図８】本発明の実施形態に係る縦方向超解像モジュールを示す簡易概略図である。
【図９】本発明の実施形態に係る蛍光色素分子データの超解像アルゴリズム方法を示す簡易概略図である。
【図１０】ディスクリプタの計算を示す簡易概略図である。
【図１１】プラットフォームＳＲＣＤＰの制御モジュールを示す簡易概略図である。
【０１２５】
全図面を通して、同じ参照符号は同じ部分を指す。
【発明を実施するための形態】
【０１２６】
定義および技術的補足
位相および偏光、偏光測定、ジョーンズベクトルおよびジョーンズマトリクス、ストークスパラメータならびにストークスパラメータおよびジョーンズパラメータの測定技術を説明するために、通常の定義を使用する。
【０１２７】
ファイバのＴＥＭ００モードおよび英語の用語「フォトニック結晶ファイバ（Ｐｈｏｔｏｎｉｃ  Ｃｒｙｓｔａｌ  Ｆｉｂｅｒ、ＰＣＦ）」および「ダブルコアフォトニック結晶ファイバ（ｄｕａｌ  ｃｏｒｅ  Ｐｈｏｔｏｎｉｃ  Ｃｒｙｓｔａｌ  Ｆｉｂｅｒ）」に対して、本明細書では通常の定義を使用する。
【０１２８】
配光分布の中心またはセントロイドは、強度の重心である。配光分布の直径は、特異波の中心がゼロであることは考慮せずに、規則波と特異波の両方の強度が最初にゼロであるときの直径である。
【０１２９】
２つの配光分布は、その中心が一致しているか、その中心が光分布の寸法に対して小さい空間値の分だけ離れている場合は、同一位置にある。
【０１３０】
本明細書では、基本のメートル法として発光波長を使用する。
【０１３１】
本明細書では、以下の光学要素に対して通常の定義を使用する：光を伝送する、屈折するまたは反射するあらゆる光学手段を含めるように定義を拡張したレンズ、補助光学器械（他の２つの光学サブモジュールまたは光学モジュール間の幾何学パラメータまたは位相および／もしくは偏光のパラメータのいずれかを相互作用させ、調整するための光学サブモジュール）、偏光子、検光子、位相差板、偏光ビームスプリッタおよび非偏光ビームスプリッタ、偏光ビームコンバイナおよび非偏光ビームコンバイナ。
【０１３２】
本明細書では、アジマス偏光子およびラジアル偏光子に対して通常の定義を使用する。暗示的または明示的に、アジマス偏光子およびラジアル偏光子に関して後に記載するいくつかの展開を、空間的に可変のあらゆる偏光要素に広げる。
【０１３３】
本明細書では、誘導放出抑制顕微鏡法（ＳＴＥＤ）、基底状態抑制（ＧＳＤ）、光活性化ローカライゼーション顕微鏡法（ＰＡＬＭ）、確率的光学再構築顕微鏡法（ＳＴＯＲＭ）、構造化照明顕微鏡法（ＳＩＭ）、空間構造化照明顕微鏡法（ＳＳＩＭ）ならびにフェルスター共鳴エネルギー移動（ＦＲＥＴ）およびローカライゼーション顕微鏡法などの様々な超解像技術に対して、通常の定義［５］を使用する。
【０１３４】
本明細書では、「コンピュータ顕微鏡法」、「相関顕微鏡法」、「クロスプラットフォーム−顕微鏡法、ＦＣＳ（蛍光相関分光法）」、ＦＣＣＳ−「蛍光相互相関分光法」、またはＰＣＨ（フォトンカウンティングヒストグラム）、ＲＩＣＳ「ラスターイメージ相関分光法」またはＦＲＡＰ−「光退色後蛍光回復解析」などの標準改造または超解像、蛍光または非蛍光の顕微鏡法についての様々な技術に対して通常の定義を使用する。
【０１３５】
本明細書では、ハフ変換に対して通常の定義を使用する。
【０１３６】
本明細書において、部分偏光子とは、２つの直線偏光（線二色性）または２つの円偏光（円二色性）に対する吸収が異なる部品またはモジュールを意味する。
【０１３７】
偏光または位相の動的要素に言及して、偏光または位相が時間の経過とともに、制御された方法で離散的または継続的に変化する光学手段について説明する。
【０１３８】
これらの偏光または位相の動的要素は、以下のものを含むがこれに限定されない：軸周りを回転する波長板、液晶技術に基づくライトバルブ、ポッケルスセルやケルセルとしても知られる電気光学装置、共振型電気光学装置、ファラデーセルとしても知られる磁気光学装置、音響光学装置もしくは弾性光学装置またはこれらの手段を任意に組み合わせたもの。
【０１３９】
偏光状態が波長に依存する要素を説明するために、分散する偏光要素または位相要素に言及する。分散する偏光サブモジュールのうち最も簡易なものは、マルチモードまたは厚型の波長板である。
【０１４０】
「セントロイドアルゴリズム」という用語を用い、セントロイドおよび場合によっては配光分布の幅（ＦＷＨＭ、全幅半値）を測定するための標準的な手順を指すために用いる。このアルゴリズムに関しては、１９７８年の文献Ｌｉｎｄｅｇｒｅｎ［６］など、多くの文献が出版されている。
【０１４１】
このアルゴリズムの起源は、天文学および天文測定学であり、このアルゴリズムによって星の位置を高精度で測定することが可能になった。現在このアルゴリズムは、生物分野の超解像を含め、光学機器を扱う分野全体で使用されている。
【０１４２】
本明細書では、以下の光学電子部品に対して通常の定義が使用される：光電検出器、ＣＣＤ、ＥＭＣＣＤ、ＣＭＯＳ、ＳＰＡＤ（単一光子アバランシェダイオード）およびＳＰＡＤマトリクス。
【０１４３】
本明細書では、以下の用語を使用する：
・  光度の空間分布を表す光学画像、
・  光学画像によって特定の瞬間に検出面に作成されたＣＣＤの電荷の空間分布、ＣＭＯＳに対する電流の空間分布またはＳＰＡＤに対するイベントの空間分布を記述するための電子画像、
・  電子画像を変換して作成した数字のマトリクスを記述するためのデジタル画像。
【０１４４】
本文の読解および理解を簡易にするため、ＰＭＴまたはＳＰＡＤなどの単一画素検出器の出力に対する画像用語を使用し、これを単一画素からなる画像と考える。
【０１４５】
曖昧さが存在しない場合、または３種類の画像を区別する必要がない場合、一般の簡易な画像用語を使用する。
【０１４６】
本明細書では、ＣＣＤ、ＥＭＣＣＤおよびＣＭＯＳなどのマトリクス検出器に使用される専門用語を使用して画像を示した。ＳＰＡＤおよびＳＰＡＤアレイの場合、測定結果は、光子が与える影響を時系列に並べたリストであり、各々の光子が影響を与えた時間および位置を詳細に示すものである。本明細書の説明を簡易にするため、この事例を画像の定義に含める。
【０１４７】
本明細書で説明する画像は、縮小像であり、典型的には直径が５未満である低数のエアリーディスク径、および／または低数の画素で、典型的には４×４から３２×３２の画素と実質的に等しいサイズの画像であるであると特徴付けてよい。
【０１４８】
デジタル画像Ａｊにおいて、添字ｍおよびｎは、画素指数を表し、画素の原点は、これ以降の段落で定義する解析分量の中心を照射する箇所として選択される。
【０１４９】
ストークスベクトルおよび偏光測定
偏光測定とは、入射光の偏光状態を測定することを指す。入射光の偏光状態は、１８５２年にジョージ・ガブリエル・ストークスが導入した一連の値であるストークスパラメータを用いて説明することができ、これは光学分野で使用される。
【０１５０】
２つの光ビームの共伝播  多くの光学系および光学装置では、特性の異なる２つ（以上）のビームを使用する。ビームは、相互に作用できるか、順次または同時に照射できるかのいずれかである。これらのほとんどのシステム（系）および装置では、２つの光路は物理的に互いに離れている。この物理的な分離により、システムの工学レベルで解決可能ではあるが一連の制約ができ、システムの複雑性およびシステムのコストが実質的に際立つ。共通光路を有するシステムとは、わずかな変化を除いて２つの別々のビームが物理的に同じ光路に沿って広がる一連の装置を指す。
【０１５１】
極座標における電場および角度モード
【数１】
2018156090.tif 000031
（式１）
【０１５２】
光学分野では、電場成分、すなわち直交座標モード、デカルト座標モードまたは極座標モードでの振幅、位相および偏光を分解することが通例である。
【０１５３】
ガウスモード、エルミートガウスモードおよびラゲールガウスモードなどの直交極座標モードでの多くの分解が、専門家に知られている。
【０１５４】
本明細書では、電場の振幅を次式の超幾何ガウス（Ｈｙｐｅｒｇｅｏｍｅｔｒｉｃ−Ｇａｕｓｓｉａｎ  ｍｏｄｅｓ、ＨｙＧＧ）で分解する方法を主に使用する：
【数２】
2018156090.tif 000032
（式２）
【０１５５】
2018156090.tif 000033
【０１５６】
特異波
特異波は、中心の強度がゼロであり、方位角位相が２πの倍数分変動する。光学分野におけるこの研究テーマは、１９７４年にＪ．ＦＮｙｅおよびＭ．Ｂｅｒｒｙによる重要文献［７］が最初であり、現在は「特異光学（ｓｉｎｇｕｌａｒ  ｏｐｔｉｃｓ）」として知られている。規則波および特異波の例を以下に説明する。
【０１５７】
トポロジーおよび小規模な配光分布
以下に定義する小規模（コンパクト）であることの条件のうちの１つを満たせば、点光源の配光分布は小規模と考えられ、以下は、二者択一で非排他的な２つの条件である：
エアリー半径の１．７５倍未満の半径の円にエネルギーの７５％超が含まれる、あるいは
強度ゼロのラインで規定されエネルギーの６５％超を含む光の範囲が、エアリー半径の２倍未満の半径の円内にある。
【０１５８】
トポロジーの異なる点状の配光分布の様々な群を以下のように区別する：
光学分野で通常定義される規則分布。
2018156090.tif 000034
【０１５９】
２つの小規模な配光分布は、以下の条件のうち任意の少なくとも１つを満たせば、異なるトポロジー群とみなされる：
−  一方が規則的、他方が特異的である。
−  一方が点光源、他方がリング光源である。
2018156090.tif 000035
【０１６０】
あるいは、特定の分量に照射された２つの配光分布は、一緒に照射された面積の相当な部分で勾配が逆方向であれば、トポロジーが異なると考える。
【０１６１】
発光ナノエミッタ
発光ナノエミッタとは、物体に付着した小さな二次発光体であり、波長の一部分よりも遙かに小さく、典型的には波長の５分の１よりも小さいサイズだがこれに限定されない。発光ナノエミッタは、入射エネルギーを吸収し、入射光と同じ波長または異なる波長で再度光を放出する。ナノエミッタが放出する光は、コヒーレント、部分的にコヒーレントまたは吸収光とインコヒーレントであってよい。ナノエミッタの主な例は、蛍光色素分子およびナノ粒子だが、その他多くの素子も含まれる。
【０１６２】
本発明の内容におけるナノ発光体の定義は、以下の２つの条件によって決定される：
−  点光源の二次発光体を形成すること、および
−  人工的実体、生物学的実体または有機実体に対して発光体を所定位置に置くこと。
【０１６３】
ナノエミッタを形成できる物理的機構は多数あり、この機構には、吸収、散乱または反射、蛍光、放出抑制［８］、光活性化現象、２つ以上の光子の蛍光、もしくは非弾性散乱、ラマン散乱、または専門家に公知のその他の物理的機構が含まれるがこれに限定されない。発光ナノエミッタによる電磁波の放出を説明するのに、光の放出という用語を使用し、この光は、コヒーレント、インコヒーレントまたは部分的にコヒーレントである。
【０１６４】
生物学的実体または有機実体に付着する吸収性または反射性の散乱粒子を含めて、ナノエミッタの定義を拡張する。散乱粒子、拡散粒子、反射粒子または吸収粒子が電磁場に対して起こす行動を、バビネの原理に従って、粒子から出射する補助的な二次フィールドで、入射電磁場に重なるフィールドの逆位相を用いて形成するように、吸収粒子に対して実際に説明することができる。
【０１６５】
本特許明細書では、単一のナノエミッタの複数のディスクリプタとは、特定の瞬間の点光源としてのナノエミッタを説明する一連の情報を指す。ナノエミッタは点光源であると考えられるため、ナノエミッタを表す情報はすべて、限定数のパラメータを含み、そのパラメータとはすなわち、ナノエミッタの空間内の位置、ナノエミッタの強度、ナノエミッタの強度のスペクトル特性、コヒーレンス、入射光に応じて蛍光色素分子が放出する光の位相および偏光である。
【０１６６】
本明細書では、構造物体のディスクリプタに言及する。例えば、均一な線の場合、その線を表す情報にはすべて、限定数のパラメータ、すなわち空間内での線の向き、線の強度、入射光に応じて物体が放出する光のスペクトル、強度、コヒーレンス、位相および偏光の特徴が含まれる。
【０１６７】
連続分布の場合、物体は、通常通り強度的リスクによって画像処理の際に表される。
【０１６８】
しかしながら、ほとんどの場合、および本発明の記載では、ディスクリプタという名称を用いる場合は、ナノエミッタの複数のディスクリプタからなるサブセットを指し、このサブセットには、例えば発光スペクトルで区別される発光ナノエミッタのいくつかの個体が同じ試料内にあるときの蛍光色素分子の幾何学的位置、蛍光色素分子の強度、および蛍光色素分子の種類が含まれる。明細書内で用いるこのような簡易化によって、本発明の範囲が変化することはなく、本発明は、発光ナノエミッタのディスクリプタすべてをその範囲内に含める。
【０１６９】
本発明の内容を理解しやすくするため、以下の説明では最も簡易な事例のみに言及し、この事例でのナノエミッタは蛍光色素分子であり、物理的な相互作用は、１つの光子を有する蛍光である。しかしながら、本明細書は、根底にある物理的現象がいかなるものであっても、以前に言及したまたは専門家に公知のあらゆる発光ナノエミッタに適用できる方法および概念の一般的記載を簡易化した説明であると解釈されるべきである。
【０１７０】
注目すべきは、ナノエミッタは、入射強度の空間分布全体に影響を及ぼすことなく、正確に３次元の位置で入射光度またはフィールドをサンプリングする点である。本明細書では、この注目すべき特性を発光ナノエミッタのサンプリング能力という。
【０１７１】
しかしながら、記載した本発明の好適な実施形態では、発光ナノエミッタのサンプリング能力がない構造物体および連続分布も測定する。
【０１７２】
再度図１を参照する。この図は、所与の生体上に設置された一連のナノエミッタまたは構造物体を表し、一方が１５および１６、他方が１７および１８である。また、放出される光は、連続分布（図１に示していない）からなるものであってもよいし、ナノエミッタ、構造物体または連続分布を任意に組み合わせてなるものであってもよい。この一連のナノエミッタ、構造物体または連続分布を一連の「明るい生体」と称し、これらは、アルフレッド・コージブスキーが一般意味論で定義した意味での生物体のマップ（地図）を表す。しかしながら、説明を簡易化するために、一切の曖昧さが生じ得ない場合は、この生体を光を発する生体として呼ぶことが通例である。光を発する生体は、その生体に関する情報を含んでおり、その情報とは主に、例えば細胞を２つに分割する場合の時空間情報、時間に対するこの生体の位置および向き、ならびに形態学的情報である。
【０１７３】
本発明の少なくとも１つの実施形態による測定系は、測定した地図を計算し、ナノエミッタ、構造物体を任意に組み合わせたもののディスクリプタの評価、または連続分布の空間分布の評価を実行する。測定したこの地図は、ノイズ、測定条件、系の限界または測定の不確かさが原因で、元の地図とは異なるものである。測定した地図のこの情報地図は、後に様々なレベルの抽象化に発展させることができる。直接的な測定の結果を示すこの第１の抽象化レベルは、一見して生物情報を含んでいないように見えるが、ナノエミッタ、構造物体または連続分布によって描かれる物理的な測定の結果であり、この結果は、標識した任意の実体であってもよい。
【０１７４】
幾何学的抽象化レベルである第２のレベルでは、構造物体または連続分布のナノエミッタを幾何学的物体の形態に構築する。このレベルでは、発光物体およびその位置や向きなどの動的特性またはその形態についての描写が含まれる。このレベルでは、情報は依然として物理的なものであり、一連の物体を描写する幾何学情報である。幾何学情報は、測定した地図および潜在的にはシステムに無関係の補助的情報を、光スポットと物体との関係に対して使用する。
【０１７５】
生物的抽象化レベルによって、測定した物体とその生物学的実体との構成上の関係を通して、生物学的事実をある程度理解することが可能になる。これには、生体に関する一連の情報、主に位置およびその動作、その形状ならびに形態が含まれる。生物情報は、測定した地図および幾何学情報ならびに潜在的には光学系に無関係の補助的情報を、光スポットと生物学的実体を含む物体との関係に対して使用する。このレベルでは、試料の生物的機能性に関する数々の結論を得ることができる。
【０１７６】
機能的抽象化レベルによって、生物学的事実を理解することが可能になる。このレベルは、幾何学的情報とは相関のない機能情報からなり、「ウイルスは細胞に侵入したか」など、生物学の用語および専門用語を用いた質問に応答するものである。
【０１７７】
情報についての追加のレベルを、制御および器械使用プロセスを含めて規定してよい。実際、さらに構造化した生物情報に到達するために、データ取得プロセスを自動化することでさらに発展した制御および器械使用プロセスを規定してよい。このようなプロセスの一例が、Ｓｔｅｖｅｎ  Ｆｉｎｋｂｅｉｎｅｒにより「Ｒｏｂｏｔｉｃ  Ｍｉｃｒｏｓｃｏｐｙ  Ｓｙｓｔｅｍｓ（ロボットによる顕微鏡法システム）」［９］という名称で記載されている。
【０１７８】
本明細書に規定している抽象化レベルについてのこの記載は、簡易化のために、生物学用に修正されている。この記載は、必要な変更を加えて、あらゆる視覚分野、生物学および医学分野、人工および産業分野に適用できる。
【０１７９】
円錐回折
円錐回折または円錐屈折とは、１８３２年にハミルトンが予測し［１０］、２ヶ月後にロイドが実験で確認した［１１］光学現象である。円錐回折は、２軸結晶の光軸方向に入射した光ビームの伝搬を描くものである。
【０１８０】
実際、２軸結晶では、光軸は、結晶軸ｘおよびｚによって形成される面に位置している。軸ｚに対する角度はθ０であり、これは以下の法則に従って３つの屈折率によって異なる。
【数３】
2018156090.tif 000036
【０１８１】
ハミルトンは、光が光線からなる中空の円錐形で出射することを予測した。円錐回折は、科学の歴史において重要な段階であり、電磁波の理論を証明する役割を果たした。
【０１８２】
２０世紀末の数年に再び円錐回折への関心が高まり、ベリー（Ｂｅｒｒｙ）らが学説を完成させ［４、１２、１３］、２００９年に実験で証明された［１４］。ここで、ベリーの理論、専門用語および定義について見ていくが、これには物理的作用の名前の変更も含まれ、この点からさらに厳密な円錐回折という用語を使用する。
【０１８３】
しかしながら、「円錐回折」という用語はここに記載する技術とは関係のない他の２つの技術に対しても使用される点に注意することが重要である。
・  斜めに入射する回折は、円錐回折とも呼ばれる。
・  「円錐回折の取り付け」とは、回折ネットワークを取り付けることであり、この場合ネットワークは湾曲面に取り付けられる。
【０１８４】
円錐回折は、理論的かつ実験的に著しい関心を呼んだが、「現実的な用途は一切発見されなかった」［１５］。
【０１８５】
歴史的に、円錐回折は、２軸結晶で観察されたものである。無機質または有機質の２軸結晶を説明するために円錐形結晶に言及して、円錐回折の現象について記載する。２軸結晶の非限定的な例のなかには、アラレ石、ＫＴＰ、ＫＴＡ、ＫＢｉＷ、ＬＢＯ、ＫＮｂＯ３、ＭＤＴ、ＹＣＯＢ、ＢＩＢＯ、ＤＡＳＴ、ＰＯＭ、ＮＰＰ、ＬＡＰ、ＬｉＩｎＳ２およびＬｉＩｎＳｅ２がある。
【０１８６】
他に、本質的により弱い円錐回折効果を形成する効果または短い光路に沿って円錐回折を形成する効果が存在する。これらの効果には、ポリマー、液晶および外部から誘導された複屈折効果が含まれる。ポリマーには、延伸ポリマーシートおよびカスケード重合［１６］などが含まれるがこれに限定されず、液晶には、サーモトロピック２軸性ネマチック相［１７］などが含まれるがこれに限定されず、誘導された複屈折の外部効果には、電気光学効果を形成する電場を中心対称性ではない立方晶系結晶に印加すること［１８］、および光弾性変調器、［１９］などが含まれるがこれに限定されない。
【０１８７】
円錐回折によって形成された渦の位相は、幾何学的位相であり、したがって、本質的に色収差が除去されている。
【０１８８】
色彩による新たな効果は、光軸が分散すること、および波長に応じて円錐回折の方程式中にある様々なパラメータに依存することである。
【０１８９】
光軸の色分散は、波長に応じて系の光軸に対して結晶の光軸の角度を形成する。これは、ほとんどの場合、屈折率のばらつきによるものである。
【０１９０】
波長率は、波長によって異なり、セルマイヤー方程式に従う。したがって、光軸の角度は、波長に応じて変化し、結晶軸ｘおよびｚによって形成される面に色による光軸の傾斜角を形成する。
【０１９１】
これは、結晶の種類に大きく依存する。可視スペクトルで最も利用できる色収差が除去された結晶であるＭＤＴ結晶では、光軸の方向変化は０．１度未満で、５４０ｎｍから７００ｎｍの間である。電気通信のＩＲで最も色収差が除去された結晶であるＫＴＰ結晶では、角度変化は０．０５度で、１，３５０ｎｍから２，１００ｎｍの間であり、電気通信枠では０．０２度未満、１４５０ｎｍから１６５０ｎｍである。一方、θ０は、ＤＡＳＴなどのいくつかの有機結晶では波長に応じて大きく変化することがある。
【０１９２】
光軸の色分散の補償は、幾何学的器械を使用して実行できる。光軸方向の色分散は、ガラスまたはその他の光学材料の自然分散を利用するか、ネットワークまたはプリズムを利用して補償できる。色収差を除去する手順は、この場合、幾何学器械に対して何らかの色収差を補正する標準の手順と変わらない。この手順は、市販の光学ソフトウェアパッケージのうちの１つを使用し、標的とする適切な機能を決定して計画し、最適化できる。
【０１９３】
別の色収差を除去する概念は、色分散が強い場合と弱い場合とで逆の円錐回折の作用が起こる２つの異なる材料を使用することに基づいている。
【０１９４】
波長に応じて円錐回折の方程式中にある様々なパラメータへの依存は、円錐回折作用の効果のパラメータを変えるものである。
【０１９５】
後に定義する円錐線形結晶の場合、基本的な伝達関数は同じであり、明らかに波長とは無関係である。渦の伝達関数は、τ（λ）に等しい色効果の要因として示すことができる。
【０１９６】
後に定義する正弦曲線の円錐形結晶の場合、円錐線形結晶とは挙動が異なる。基本波は波長によって異なり、渦波は波長とはほとんど無関係である。実際、シミュレーションから、渦波の形状は、パラメータθ０が０．５から０．７５に変化した分わずかに変化しているだけであることがわかる。逆に、基本波の形状は波長によって異なり、この作用は、基本波と渦波との２つの波を利用する系を設計する際には考慮しなければならない。
【０１９７】
次に、本発明の実施形態に係る円錐回折モジュール３００の構成の簡易概略図である図３を参照する。
【０１９８】
入射光３０は、平行であると仮定するが、単純な光学手段を用いて他の状態に適応させてもよい。構成自体は、第１のレンズ３１、円錐形結晶３２および光学レンズ３３を備える。２つの第１のレンズ３１および３３は、倍率１倍のケプラー望遠鏡の形態で構成されることが好ましい。以下にＵ０で表記する像空間内の第１のレンズ３１の開口数は、以下に定義する円錐半径を介して円錐（回折）効果のパラメータを決定するものである。第１のレンズ３１の焦点面には円錐の結像面３５が配置され、前述の部分偏光子部２９も加えられてよい。焦点レンズ３６は、最終光スポットの規模を決定する。焦点レンズは、外部の顕微鏡対物レンズであってもよいし、または本発明のもう１つの実施形態で実施されるように、第２のレンズ３３と一体化したものであってもよい。試料に照射される光の分布は、ベクトル効果を無視した状態の一次近似では、像面内の配光分布が縮小した像である。ベクトル効果の影響については以下で考察する。縮尺比率は、顕微鏡対物レンズに対してその倍率によって決定される。
【０１９９】
円錐の結像面での空間変数をＲとし、波のベクトルをＵとし、これらを円筒座標ではＲ，θＲおよびＵ，θＵと表し、光の波長をλとする。
【０２００】
円錐形結晶３２から出射する電場の挙動は、単一のパラメータである円錐半径Ｒ０によって全体的に特徴付けられる。この円錐半径は、結晶の材料および厚みによって異なる。
【０２０１】
配光分布について以下で説明するために、標準のパラメータをスカラー回折理論の限界に取り入れて、顕微鏡対物レンズの円錐の結像面と焦点との両方で有効になるようにする。
【０２０２】
円筒座標でρ，θＲおよびｕ，θＵと表される、正規化した半径位置ρ０、正規化した波数ベクトルｕ、正規化した円錐半径ρ０は、次式から得られる。
【数４】
2018156090.tif 000037
（式３）
【数５】
2018156090.tif 000038
（式４）
【０２０３】
Ｕ０は、システムの開口数である。ρ０＜２の場合、ここでは薄型の円錐形結晶を指し、ρ０＜１の場合、ここでは線形で薄型の円錐形結晶の形状を指し、ρ０＜０．５の場合、薄型で正弦曲線の円錐形結晶を指す。
【０２０４】
薄型円錐の結晶から出射する波は、正規化座標ではＥ（ρ，θＲ）と表され、２つの波を積層して構成され、この２波は、本明細書では規則波である基本波ＥＦ（ρ）、および特異波である渦波ＥＶ（ρ，θＲ）を指す。この２波は、互いにコヒーレントであり、同一位置にあり、円偏光であり、キラリティが逆方向である。
【数６】
2018156090.tif 000039
（式５）
【数７】
2018156090.tif 000040
（式６）
【０２０５】
この式において、ＥＦ（ρ）は、基本的なスカラー振幅であり、ＦＶ（ρ）は、渦が縮小したスカラーの大きさであり、両者は次式から得られる。
【数８】
2018156090.tif 000041
（式７）
【０２０６】
薄型で線形の円錐形結晶の場合、基本波は、エアリーディスクによって近似されることができ、渦波は、次式で表される線形の渦に近似されることができる。
【数９】
2018156090.tif 000042
（式８）
【０２０７】
部分偏光子２９の動作が、パラメータαを用いた渦波のスケーリングであると仮定すると、ストークスパラメータを上記の式から推定することができ、βは直線偏光の角度である。
【数１０】
2018156090.tif 000043
（式９）
【０２０８】
発光体の送信の波長または反射の波長で、各々の次元でのサイズが３波長よりも小さい分量に位置する１２個未満の発光体のような一連の発光点を説明するために、「スパースオブジェクト（スパースオブジェクト）」という用語を使用する。スパースオブジェクトを含むサイズが３波長未満の分量は、サイズの小さい解析分量を指す。
【０２０９】
点状であるか連続している一連の発光体を説明するために連続物体という用語を使用し、これは、スパースオブジェクトの定義において前述した条件を満たしていないものである。
【０２１０】
次に、共焦点顕微鏡における量的閉じ込めの概念を示す簡易図である図４ａから図４ｃを参照する。
【０２１１】
量的閉じ込めの機能は、３つのいずれの空間次元においても、試料の観察領域を可能な限り小さい分量の解析分量に限定することである。量的閉じ込めの機能は、２つの効果を組み合わせることによって解析分量を限定するものである。その効果とは、小さい面積、理想的にはエアリースポット５０のサイズの面積に照射光を閉じ込めること、および図２の共焦点ピンホール２８によって焦点のずれた光を取り除くことである。この２つの効果を重ね合わせると、小さい分量の解析分量６０ができる。この分量は、システムが検出する基本細胞のサイズを決定するものである。
【０２１２】
５３から５９の複数のナノエミッタからなるスパースオブジェクトまたは連続物体５１について考える。試験的分量６０内に位置決めした５３から５５までのナノエミッタは、これらのみが光源によって励起されると同時に、このナノエミッタによって放出される光子は検出器モジュールに到達する。照明する円錐部５６および５７内にはないナノエミッタは、入射光に照明されない。図２の共焦点ピンホール２８の共役面にあるナノエミッタ５８および５９によって放出される光は、ほぼ全体的に図２の共焦点ピンホール２８によって遮断される。
【０２１３】
図４ｃのシステムに、２つの異なるデカルト座標を定義する。
符号「ｉ」：符号「ｉ」を付した軸は、解析分量６１の中心を中心とする基準デカルト座標系を表す。
【０２１４】
符号「ａ」：符号「ａ」を付した軸は、離散点６２と考えるナノエミッタ上の各々の発光ナノエミッタに対する基準デカルト座標系を表す。
【０２１５】
後述する本発明のもう１つの実施形態を用いる場合、解析している試料に渦が照射されれば、渦の中心を一般に解析分量の中心と定義する。
【０２１６】
共焦点顕微鏡は、前述の量的閉じ込めを用いて解析分量を制限する。量的閉じ込めは、２つの効果を組み合わせることによって得られる。その効果とは、小さい面積、理想的にはエアリースポット５０のサイズの面積に照射光を閉じ込めること、および共焦点ピンホール４１によって焦点のずれた光を取り除くことである。この２つの効果を重ね合わせると、小さい分量の解析分量６０ができる。この分量は、光学系が検出する基本細胞のサイズを決定するものである。
【０２１７】
本発明の少なくとも１つの実施形態では、技術の基本的光学モジュールを作製するのに円錐回折を使用する。しかしながら、円錐回折に基づくモジュールを他の光学的概念に基づくモジュールで代用する代替実施態様で、同じ機能性を提供することが可能である。これらは、本発明の範囲内である。代替の光学的概念には、単軸結晶、波長格子、構造化されたレーザーモード、ホログラフィック部品およびその他の当業者に公知の技術などがあるが、これに限定されない。
【０２１８】
これらの概念、技術ならびに光学機器および光電子機器は、例えばＤ．Ｇｏｌｄｓｔｅｉｎが執筆した書籍「Ｐｏｌａｒｉｚｅｄ  Ｌｉｇｈｔ」［２０］、「Ｈａｎｄｂｏｏｋ  ｏｆ  Ｃｏｎｆｏｃａｌ  Ｍｉｃｒｏｓｃｏｐｙ」［２１］、「Ｈａｎｄｂｏｏｋ  ｏｆ  Ｏｐｔｉｃｓ」［２２］に記載されている。
【０２１９】
光学セマフォ
本発明のこの実施形態では、光の特性に応じて入射光を様々なチャネルまたは検出器に通すことのできる光学受動素子または能動素子を説明するために、光学セマフォという用語を使用する。最も簡易な事例は、光を波長に応じて２つのチャネルに分割する二色性のブレードである。
【０２２０】
本発明のこの実施形態では、光を発光点の位置に応じて通す光学セマフォを説明するために、「位置依存光学セマフォ（Ｐｏｓｉｔｉｏｎ  Ｄｅｐｅｎｄｅｎｔ  Ｏｐｔｉｃａｌ  Ｓｅｍａｐｈｏｒｅ、ＰＤＯＳ」という用語を使用する。ＰＤＯＳは、各チャネルまたは検出器ｉに対して、基準分量の発光体の位置（ｘ，ｙ，ｚ）に依存する一連の伝達関数Ｔｉ（ｘ，ｙ，ｚ）によって決まる。ＰＤＯＳの次数は、チャネルまたは検出器の数になる。ＰＤＯＳは、伝達関数Ｔｉ（ｘ，ｙ，ｚ）の和が解析分量の単位と等しい場合、解析分量の「損失がなくなる（英語でロスレス）」。
【０２２１】
Ｍｉｎｓｋｙ［２３］が記載している共焦点ピンホールは、本発明のこの実施形態では、退化した次数１のＰＤＯＳであるとみなす。
【０２２２】
ほとんどの場合では、ＰＤＯＳの依存は、横の位置と縦の位置との複合関数である。しかしながら、本発明の実施形態では、光を発光点の縦位置に応じて通す光学セマフォを説明するために、「縦位置依存光学セマフォ（Ｌｏｎｇｉｔｕｄｉｎａｌ  Ｐｏｓｉｔｉｏｎ  ｄｅｐｅｎｄｅｎｔ  Ｏｐｔｉｃａｌ  Ｓｅｍａｐｈｏｒｅ、ＬＰＤＯＳ」という用語を使用する。ＬＰＤＯＳは、各チャネルまたは検出器ｉに対して、基準分量の発光体の縦位置（ｚ）に依存する一連の伝達関数Ｔｉ（ｚ）によって決まる。ＰＤＯＳの次数は、チャネルまたは検出器の数になる。ＬＰＤＯＳは、伝達関数Ｔｉ（ｚ）の和が解析分量の単位と等しい場合、解析分量の「損失がなくなる（英語でロスレス）」。ＬＰＤＯＳは、系の横の範囲を限定する絞りに連結されていることが多い。
【０２２３】
光ファイバによる伝送
光ファイバの主要な使用法は、ＴＥＭ００モードのみを伝送することである。しかしながら、限定的ではないが主にフォトニック結晶ファイバ（Ｐｈｏｔｏｎｉｃ  Ｃｒｙｓｔａｌ  Ｆｉｂｅｒ、ＰＣＦ）」と呼ばれるファイバに基づく光ファイバのいくつかの構成は、渦度が２以下である渦モードを含むさらに複雑なモードを、同時または異なるタイミングで伝送できる［２４］。したがって、光ファイバを用いて、円錐回折によって形成された光学分布を排除して、光学系を抜本的に簡易化することが可能になる。
【０２２４】
光ファイバを用いて、円錐屈折によって形成された光学分布を排除する可能性により、本発明の実施形態を多くの新たな用途に適用でき、例えば、限定はしないが胃や消化器の観察のほか、結腸および尿路の観察である。
【０２２５】
また、いくつかのファイバ、「ダブルコアフォトニック結晶ファイバ」［２５］によって、２つのモード間の相互作用が可能になり、そのうちの１つは渦モードであり、別の物理的機構を提供して多様な伝達関数を形成する。
【０２２６】
複数の波長の測定
本発明の実施形態では、物体を単色の光で照明でき、例えば普通のレーザまたは単色ランプを用いる。この構成は、系の主なパラメータの１つが固定されていて明確に決定されるため、単純である。しかしながら、本発明の他の実施形態では、例えば複数のレーザを用いて離散的に、あるいは例えばスペクトルがより広いランプまたはレーザを用いて連続的に、物体を複数の波長で照明することもできる。
【０２２７】
多くの既存の超解像システムでは、複数の波長で同時にまたは順に測定する。実際、同様の要素または異なる要素を、識別して分離できるようにスペクトル反応の異なる蛍光色素分子で標識することが可能である。以下の２つの異なる事例を示すことが重要である。
−  ２つの異なる波長で発光し、同じ波長で励起する蛍光マーカーを使用する。
−  ２つの異なる波長で発光し、２つの異なる波長で励起する蛍光マーカーを使用する。
【０２２８】
２つの異なる波長で発光し、同じ波長で励起する蛍光マーカーを使用する事例では、１つの波長の測定値を２つ目の波長の測定値に対して再較正する問題が本質的に存在しないことに注意されたい。なぜなら、超解像の位置情報は、全く同じ光の照射から導かれるからである。
【０２２９】
これによって、２つの異なる波長で蛍光色素分子の位置を正確に相対的に較正でき、実験的な較正システムのみによって制限され、波長の異なる２つの像間で再較正するという主な問題がなくなる。
【０２３０】
円錐回折に基づいて光学系の色収差を除去することができれば、共通光路を有する光学系を多くの用途に実装する、特に記載した本発明の実施形態に実装するための選択手段ができる。
【０２３１】
色収差の除去は、単軸結晶に基づく光学系に対しても可能であるほか、本発明のほとんどすべての代替実施形態に対しても可能であり、そのいずれにも実質的な複雑さは多少なりとも大きい。
【０２３２】
その他の既存の蛍光系では、スペクトル成分がより広い光を使用してアーチファクトを減らし、主にスペックルの作用を減らす。
【０２３３】
同じく、蛍光タンパク質のスペクトル特性により、フェルスターのエネルギー移動技術−フェルスター（蛍光）共鳴エネルギー移動（ＦＲＥＴ）を利用して、分子細胞間が相互作用するポテンシャルを測定する。
【０２３４】
非線形相互作用
材料中で起こる２つの光ビーム間の非線形相互作用が、例えばＨｅｌｌ［８］やＳｃｈｅｒｍｅｌｌｅｈら［３］が記載している超解像法である。これらの非線形相互作用には、２つの光子が相互作用する現象、ＳＴＥＤまたはＧＳＤ技術が基となる放出抑制効果、および確率的で自然な技術が基となる光活性効果、あるいは補足的な光学ビームによって起こる「確率的な点滅」、ＰＡＬＭおよびＳＴＯＲＭなどの作用があるが、これに限定されない。
【０２３５】
情報
先験的情報および補足情報
記載した本発明の実施形態により、記載した光学プラットフォームまたは文脈上のプラットフォームの外部にある追加情報を組み入れて統合し、引用した抽象化レベル（地図、幾何学的な抽象化レベル、抽象化の生物学的レベルおよび抽象化の機能レベル）のうちの１つに対して試料から得た情報の精度を向上させることができる。
【０２３６】
さらに全体的には、スペクトルの多様性、複数の波長で得られた情報、偏光の多様性、および様々な状態の偏光を照射して得られた情報で、利用可能な情報の範囲が拡大する。
【０２３７】
例えば渦がゼロの場合にエネルギーがないという事実は、適切な情報であり、光子数に関する情報を「コスト」なしに取得する新たな可能性に道を開くものである。この状況は、例えば自家蛍光のような低蛍光現象を検出するために非常に重要である。
【０２３８】
ここで、光学的な積分情報の概念を取り入れるが、この情報は、光学測定から回収するか、観察者が所与の視点からターゲット上の電磁波によって回収できるものである。この情報は、位置に関連する物体についての多くのパラメータ、物体を構成している材料、物体の温度、または物体の向きを含む。
【０２３９】
一方、光学的な積分情報には、観察射へ向かう光路がない物体、例えば不透明なケース内に設置された要素の領域に関する情報、または光学転写を含まない物理的情報は含まれない。
【０２４０】
超解像測定および回折限界
光学器械は、回折限界を通してどのような光学系の解像度も本質的に限定していると長年考えられていた。超解像技術の登場により（様々な分野で、様々な名称で）、様々な手段によってこの回折限界を超えられることがわかってきた。
【０２４１】
基本波が形成した配光分布の重心で渦を照射して、強度が同じである２点の存在を検出するような本発明に記載した実施形態は、先験的な解像に限定されず、理想としては（無限数の光子を用いて）そのような解像度も得られ、これについては後に特殊な事例で説明していく。
【０２４２】
頭字語頭字語
本明細書では、本発明の好適な実施態様に対して特異的なプラットフォーム、モジュールおよび光学系の名称として、「Ｓｕｐｅｒ  Ｒｅｓｏｌｕｔｉｏｎ  ｕｓｉｎｇ  Ｃｏｎｉｃａｌ  ｄｉｆｆｒａｃｔｉｏｎ（円錐回折を用いた超解像）」の頭字語ＳＲＣＤを使用する。
【０２４３】
本明細書では、「Ｐｒｏｊｅｃｔｅｄ  Ｓｅｑｕｅｎｃｅ  ｏｆ  Ｉｎｔｅｎｓｉｔｉｅｓ  ｗｉｔｈ  ｖａｒｉｏｕｓ  Ｔｏｐｏｌｏｇｉｅｓ（様々なトポロジーの一連の照射強度）」の頭字語ＰＳＩＴを使用する。
【０２４４】
本明細書では、「Ｐｏｓｉｔｉｏｎ  Ｄｅｐｅｎｄｅｎｔ  Ｏｐｔｉｃａｌ  Ｓｅｍａｐｈｏｒｅ（位置依存光学セマフォ）」の頭字語ＰＤＯＳを使用する。
【０２４５】
ＳＲＣＤＰプラットフォーム、つまり「円錐回折を用いた超解像プラットフォーム」は、測定方法論を実施し、円錐回折に基づく光学モジュールを使用する顕微鏡法用のプラットフォームである。ＳＲＣＤＰプラットフォームは、測定方法論の好適な実施態様である。
【０２４６】
本明細書では、本発明の好適な実施態様に対するＰＳＩＴ方法を実施する光学モジュールの名称として、頭字語ＬａｔＳＲＣＳを使用する。
【０２４７】
本明細書では、本発明のＰＤＯＳ方法の好適な実施態様を実施する光学モジュールの名称として、頭字語ＬｏｎｇＳＲＣＳを使用する。
【０２４８】
本発明のいくつかの実施形態には、新規な測定方法論、つまり本測定方法論、ならびに体系的アルゴリズム方法、ハードウェアツール、ソフトウェアツールならびにこれを実施するためのアルゴリズムからなる一連の整合性を持つものが含まれる。
【０２４９】
実施形態に係る測定方法論によって、ナノサイズの光学データおよび超解像の像を取得することができる。本測定方法論は、原則的に、ナノエミッタで標識した超解像生体試料データの測定に使用されるものだが、これに限らない。
【０２５０】
本発明のこの実施形態による測定方法論は、以下に記載する様々な測定方法およびアルゴリズム処理方法を用いて実施できる。とりわけ、本測定方法論は、ＰＳＩＴおよびＰＤＯＳと称する２つの新規な補足的測定方法を同時にまたは別々に用いて実施できる。
【０２５１】
本発明のいくつかの実施形態は、ＰＳＩＴ測定方法およびＰＤＯＳ測定方法を用いる測定方法論を実施する系（顕微鏡法に対するプラットフォーム、ＳＲＣＤＰプラットフォーム）にも関する。ＳＲＣＤＰプラットフォームは、本測定方法論の好適な実施態様である。
【０２５２】
以下に詳細に記載するＳＲＣＤＰプラットフォームは、主に、顕微鏡に搭載された２つのハードウェアモジュールである新規かつ補足的な２つの光学モジュール、つまり光学モジュールＬａｔＳＲＣＳとＬｏｎｇＳＲＣＳ、および超解像した試料の情報を再構築するアルゴリズムモジュールＳＲＣＤＡを備える。さらに、ＳＲＣＤＰプラットフォームは、改良型検出モジュール、システムの制御モジュール、およびソフトウェア基盤を有する。
【０２５３】
本測定方法論では、ＰＳＩＴ方法とＰＤＯＳ方法の両測定方法を使用する。しかしながら、用途によっては両方法を使用する必要のないものがあり、その場合は、本発明の範囲内である簡易化した本測定方法論に言及する。
【０２５４】
本発明のいくつかの実施形態は、ナノエミッタ分布およびナノエミッタを測定し、ナノエミッタを２次元または３次元でモニタリングするための本測定方法論を使用する方法にも関する。
【０２５５】
さらに、本発明の特定の実施形態は、本方法論ならびにＰＳＩＴ方法およびＰＤＯＳ方法、ＳＲＣＤプラットフォーム、光学モジュールＬａｔＳＲＣＳおよびＬｏｎｇＳＲＣＳならびにＳＲＣＤＡアルゴリズムの多数の実施変形例に関する。
【０２５６】
測定方法論の模範
Ｍｉｎｓｋｙ［１９］が記載し、上記で説明した共焦点顕微鏡の機能性は、３つの空間的次元において、試料の観察領域を可能な限り小さいサイズの解析分量となる分量に限定することである。
【０２５７】
当然その結果、共焦点蛍光顕微鏡では、読み出された情報は、単一の実体と考える解析分量全体に対する単一強度の値である。
【０２５８】
さらに明確に言うならば、解析分量内のナノエミッタの位置に関する詳細情報は、先験的に共焦点顕微鏡では入手不可能なものである。被照明分量内での一層の区別を可能にするような新たな光学情報を生み出すことはできないというのが、一般的な見解であった。
【０２５９】
次に、本発明の少なくとも１つの実施形態に係る測定方法論の模範を示す簡易な概念の図である図４ｄを参照する。本方法論の模範は、図４ａで概略的に示した蛍光共焦点顕微鏡の模範よりも遙かに目標の高いものである。
【０２６０】
図４ｄでは、顕微鏡対物レンズ２２の焦点面に試験的分量６０が設けられている。この試験的分量には、５３から５９のいくつかのナノエミッタからなるスパースオブジェクト５１が含まれる。本方法を実施するシステムの結果は、再構築されたスパースオブジェクト６３、ナノエミッタのリストおよびその特性リスト６４である。しかしながら、図４ｄでわずかな物体を使用することは例示的なものであり、必要な変更を加えてこの図で連続物体を表すことも完全に可能である。
【０２６１】
本発明の少なくとも１つの実施形態に係る方法を実施するシステムでは、共焦点顕微鏡法の寸法とほぼ同じ寸法である発光性の分量内で、いくつかのナノエミッタの特性を個別にかつ正確に回収することができる。この目的を達成するため、本発明のいくつかの実施形態に係る方法論は、時間と空間の両分野で、各々の被照明分量に対して大量の情報を光学的に形成するように設計される。
【０２６２】
本発明の一実施形態に係る本測定方法論の最新のプロセスは、５つの光学ステップ、１つの光電子検出ステップおよびアルゴリズムステップからなる７ステップに分割することができる。
【０２６３】
光学ステップ：
・  トポロジーの異なる一連の小規模な配光分布を解析分量に照射する。
・  ナノエミッタによって蛍光を放出する。
・  蛍光色素分子を焦点面上にイメージングする。
・  検出された反射光をいくつかの独立したチャネルに同時かつ／または連続的に分離する。
・  任意に、解析光の焦点面内に限定する。
【０２６４】
・  検出ステップ
点状またはマトリクス状の１つ以上の光検出器によって光度を検出する。
【０２６５】
アルゴリズムステップ：
・  検出された一連の像から、スパースオブジェクトを構成するナノエミッタのリストを再構築する。
または
・  検出された一連の像から、連続物体を構成する空間分布（または力学を考慮する場合は時空間）を再構築する。
【０２６６】
本発明のもう１つの実施形態によれば、本測定方法論は、第１の光学ステップまたは第４の光学ステップのいずれかを省略して、前述の光学ステップを実施することからなる。
【０２６７】
本方法論を実施する合成光学プロセスは、一連の照明および／またはチャネルの機能性および／または一連の照明の位置を測定データまたは外部情報に応じて変更することによって、システムの制御モジュールが制御する一連の光学測定プロセスを実行することを含む。本発明の一実施形態による方法論を実施する合成光学プロセスの一例を以下に詳述する。
【０２６８】
ＰＳＩＴ測定方法
本発明の１つの実施形態によるＰＳＩＴ測定方法では、トポロジーの異なる一連の配光分布を解析分量に照射する。
【０２６９】
ＰＳＩＴ測定方法では、以下の機能を実施する。
○  一連の放出、トポロジー群の異なる一連の小規模な配光分布を試料に照射する。
○  各々の小規模な配光分布に対して、
・  試料のナノエミッタによって発光する。
・  光学顕微鏡を用いて、光学画像を作成する。
・  光検出器で光学画像を取得し、デジタル画像を作成する。
【０２７０】
さらに詳細には、次の点に注意されたい：
一連の伝送は、トポロジー群の異なる少なくとも２つの点状配光分布からなる。
【０２７１】
一連の伝送は、ナノエミッタで標識した生体試料に照射される。各々のナノエミッタから出射する放出光は、各々のナノエミッタに対して、インコヒーレントの場合に光の強度に依存するか、コヒーレントの場合に電磁場に依存し、上記で考察したナノエミッタの前記光のサンプリング特性を有する発光ナノエミッタの３次元空間位置に入射する。
【０２７２】
試料に照射される一連の伝送の各々の配光分布パターンに対して、光学画像が形成される。一連の伝送のすべての配光分布に対応する一連の画像を、画像シーケンスと称する。
【０２７３】
この実施形態によるＰＳＩＴ方法により、主に横方向の情報、すなわち各々のナノエミッタの横方向の位置を取得することができる。
【０２７４】
好適な実施形態では、ＰＳＩＴ方法は、円錐回折によって形成され入射および出射の偏光状態が変化することによって修正される、トポロジーの異なる配光分布を照射することによって実施される。
【０２７５】
ＰＤＯＳ方法
本発明の一実施形態によるＰＤＯＳ方法には、ナノエミッタによって少なくとも２つの検出器の間に再放出された光を「光学セマフォ」で分布させることが含まれる。
【０２７６】
理想的には、光学セマフォの機能は、異なる領域にある異なる検出器に試験的分量を分離することである。実際には、光学セマフォは、発光ナノエミッタの空間位置および様々な検出器の様々な位置に応じて、各々の検出器に対して、発光ナノエミッタが放出した光の伝達関数を生み出す。
【０２７７】
好適な実施形態では、ＰＤＯＳ方法は、焦点面内または焦点面を超えて存在するナノエミッタから出射する非コリメート光から、レンズの焦点面に位置するナノエミッタから出射するコリメート光を様々な検出器に分離するために実施される。
【０２７８】
その好適な実施形態におけるＰＤＯＳ方法により、実質的に縦方向の情報、すなわち各々のナノエミッタの縦方向の位置を取得できる。
【０２７９】
数学的には、本発明のいくつかの実施形態による方法は、空間内のナノエミッタの空間分布を、一連の画像からなる未処理情報に変換する伝達関数を提供するものである。アルゴリズムは、逆変換の操作を実行する。すなわちアルゴリズムは、未処理情報内の一連の画像から空間内のナノエミッタの空間分布を再構築する。
【０２８０】
本発明の実施形態における情報
中間結果、生の情報は、検出ステップ終了時に得られる。生の情報は、一連の像Ａｏｐ（ｍ，ｎ）を含み、ｏは配光分布を表し、ｐは検出チャネルから得た像を表す。
【０２８１】
共焦点顕微鏡と同じように、測定プロセスでは、遙かに大きい物体内の小さい分量を解析する。したがって、共焦点顕微鏡のモジュールに似た追加のモジュールであって、走査プロセス、表面および／または３次元の物体の点データを統合し、解析し、可視化するソフトウェアモジュールを含むモジュールを追加する必要がある。
【０２８２】
数学的な面では、このアルゴリズムは、逆問題またはパラメータ推定を解決する。モデル式が知られており、ナノエミッタの構成には、助変数を表示したモデルまたはそうではないモデルが先験的に使用されている。最も自然なモデルは、少数のナノエミッタ（スパースオブジェクト）を仮定するものだが、１次元構造の存在（線、曲線）または特殊なパターンを仮定する連続モデルも使用してよい。よって、逆問題およびパラメータ推定を解決するための専門家に公知の数学的手法をすべて使用することができる。本発明の一実施形態による測定方法論に対して特別に適応させたアルゴリズムの一例を後述する。
【０２８３】
さらに、象徴的価値のために、互いにわずかな距離を置いて位置する２点を区別する問題に対する新たな解決法を取り上げる。Ｌｏｒｄ  Ｒａｙｌｅｉｇｈが研究したこの問題は、多くの光学分野における解決基準の基本である。
【０２８４】
そのため、本発明の実施形態の詳細な記載がよりよく理解されるように、また技術への貢献がよりよく評価されるように、発明の特徴を広範囲にわたって記載してきた。本発明のさらに他の多くの特徴を以下に説明する。
【０２８５】
本発明の一実施形態による方法の好適な実施態様は、ハードウェアのプラットフォームおよびアルゴリズムであり、これは、図５に示すＳＲＣＤＰプラットフォーム５００のことである。
【０２８６】
ＳＲＣＤＰプラットフォーム５００は、前述のＰＳＩＴ方法とＰＤＯＳ方法の２つを組み合わせることによって本発明の一実施形態による方法を実施する。
【０２８７】
１つの実施形態では、図５のプラットフォームＳＲＣＤＰは、複数のナノエミッタを含む生体試料１１を観察する。ＳＲＣＤＰプラットフォームによる生体試料の観察結果は、観察した試料を表す超解像情報を取得したものである。
【０２８８】
図５のプラットフォームＳＲＣＤＰ５００は、主に、そのハードウェア部分に、以下のものを備える：
・  前述の共焦点顕微鏡と同様の適応したまたは最適化した共焦点顕微鏡であって、前述したような適切な部品をすべて有する共焦点顕微鏡２００。
・  標準の顕微鏡に搭載した、２つの新規かつ補足的な光学モジュール。この２つの新規な光学モジュールは、光学モジュールＬａｔＳＲＣＳ７００およびＬｏｎｇＳＲＣＳ８００であり、これについては、図６および図８をそれぞれ参照してのちに詳述する。光学モジュールＬａｔＳＲＣＳ７００は、本発明の一実施形態によるＰＳＩＴ方法を実施するのに必要な照明ステップを実施する。光学モジュールＬｏｎｇＳＲＣＳ８００は、本発明の一実施形態によるＰＤＯＳ方法の複数の出射画像の状態で光度を分布するステップを実施する。
・  図８を参照して説明していくアルゴリズムモジュールＳＲＣＤＡ６００は、プラットフォームＳＲＣＤＰが作成した画像から生体試料の超解像情報を再構築することができる。
・  その他の補助的素子であって、プラットフォームの作製に必要な、コンピュータ６６およびソフトウェア６７などの素子。
【０２８９】
ＰＳＩＴ方法を実施する光学モジュールＬａｔＳＲＣＳ
図６を参照して、本発明の一実施形態による光学モジュール、光学モジュールＬａｔＳＲＣＳ７００、およびその顕微鏡法における特定の機能を説明する。
【０２９０】
この実施形態に係る光学モジュールＬａｔＳＲＣＳ７００は、試料内の複数のナノエミッタにトポロジーの異なる一連の小規模な配光分布を照射する光学モジュールである。各々のナノエミッタは、ナノエミッタへの入射強度に応じた一連の蛍光強度で蛍光を発し、ナノエミッタの横方向の位置を特徴づける。ほとんどの実施形態では、トポロジーの異なる小規模な配光分布は、定常波と特異波との間で振幅および位相が変化する干渉によって形成される。好適な実施形態では、規則波および特異波は、薄型の円錐形結晶によって形成される。
【０２９１】
光学モジュールＬａｔＳＲＣＳ７００は、共焦点顕微鏡２００の照明路に位置し、共焦点顕微鏡対物レンズ２００を用いてトポロジーの異なる一連の小規模な配光分布を試料１１に照射する。円錐回折を用いる好適な実施形態では、試料１１上の特定位置での入射強度は、各々の配光分布パターンに対して、ストークスパラメータの特定の組み合わせに比例する。
【０２９２】
光学モジュールＬａｔＳＲＣＳ７００は、蛍光色素分子に対して特有の前述した固有の特徴を使用し、ナノエミッタは、（ナノエミッタの）正確な位置に入射する光度をサンプリングし、入射光に応じて蛍光を再放出する。注目すべきは、測定した情報は、小規模な配光分布内のナノエミッタの位置に直接関係しているという点である。この情報は、蛍光色素分子の機能性、つまり光を吸収して再放出する能力によって硬直化され、光学連鎖が破壊される。この情報は、出射光分布として蛍光に保有され、検出アセンブリ６５によって回収されることができる。
【０２９３】
入射光が、トポロジーの異なる一連の小規模な配光分布に応じて時間とともに変化する場合、再放出された蛍光の強度は、同じ割合で変化する。再放出された一連の蛍光は、トポロジーの異なる一連の小規模な配光分布に比例する。この情報から、以下で説明するように、ナノエミッタの位置を読み出すことが可能になる。
【０２９４】
本発明の実施形態によるＰＳＩＴ方法は、トポロジーの異なる一連の小規模な配光分布を顕微鏡で照射し、わずかな物体および連続物体と相互作用し、顕微鏡の対物レンズ２２で反射光を集光し、改良型検出アセンブリ６５で蛍光を検出するか検出せず、適切なアルゴリズムで情報を解析するものである。いくつかの実施形態では、改良型検出アセンブリ６５は、単一の検出器を備え、時間に応じた全体的な強度のみを回収するのに対し、他の実施形態では、改良型検出アセンブリは、小さい画素エリアを含み、蛍光の空間分布も回収する。複数の画像からなる読み出された情報をすべて、横方向の超解像画像と称する。
【０２９５】
１つの実施形態では、被照明分量内に位置するナノエミッタが特定の横方向の超解像画像に及ぼす作用は、ナノエミッタの位置での入射光のストークスパラメータの特定の組み合わせに比例する。
【０２９６】
横方向の超解像画像、つまりトポロジーの異なる小規模な配光分布によって作成された情報は、新規なものでありかつ先行技術にはみられなかったものである。この新規な情報により、ナノエミッタの位置の精度を向上させ、被照明分量内にあるナノエミッタの数を定量し、同じ分量内にある複数のナノエミッタを区別しやすくなる。
【０２９７】
次に、本発明の実施形態に係る光学モジュールＬａｔＳＲＣＳ７００の簡易概略図である図６を参照する。
【０２９８】
図６は、光学モジュールＬａｔＳＲＣＳ７００を示し、この光学モジュールは、図３の円錐回折モジュールの部品をすべて有し、この部品は、円錐回折モジュール３００と同じように実装される。他の条件は補助光学器械を使用することで適応させることができるが、走査型共焦点顕微鏡の光源の光学器械は、色収差が除去され、無限の組み合わせがあると仮定される。光源から入る入射光３０は平行である。光学モジュール７００は、それ自体が、第１のレンズ３１、色消しレンズ３２、または、色収差を除去して前述した円錐形結晶の機能を実施するサブセット、および第２のレンズ３３を備え、前述の部分偏光子２９を加えてもよい。２つの第１のレンズ３１および３３は、倍率１のケプラー望遠鏡の形態で構成されることが好ましく、円錐の結像面、３５は、レンズ３１および３３の共通焦点面に置かれる。第１のレンズ３１の開口数は、以下に定義する正規化した円錐半径を介して、円錐回折効果のパラメータを決定する。第２の対物レンズ３３は、光の平行性を復元して、これを顕微鏡内に投入する。第２の対物レンズは、さらに、偏光制御サブモジュール７１を備え、例えば、回転１／４波長板、１対の液晶ライトバルブもしくはポッケルスセル７２ならびに検光子７３などを有する。ストークスパラメータの情報は、空間的に異なる一連の配光分布を介して連続情報に変換され、前述したような連続情報を保有することができる。
【０２９９】
図７ａを参照すると、この図は、正規化した円錐パラメータρ０が０．３８８である円錐形結晶を介して形成された配光分布を示し、この配光分布は、入射および出射で異なる偏光状態に対して、スカラー近似により計算されていて、入射または出射箇所に円偏光子または直線偏光子またはラジアル偏光子もしくはアジマス偏光子のいずれかを含んでいる。これらの配光分布は、ベクトル効果から円錐屈折を分離するために、対物レンズの焦点ではなくイメージングの中間面で計算されたものである。（入射および出射の）偏光状態は、直線偏光の場合の偏光角度および円偏光の場合の偏光のキラリティが特徴である。
【０３００】
図７ｂを参照すると、この図は、正規化した円錐パラメータρ０が０．８１８である円錐形結晶を介して形成された配光分布を示し、この配光分布は、入射および出射で異なる偏光状態に対して、スカラー近似により計算されていて、入射または出射箇所に円偏光子または直線偏光子またはラジアル偏光子もしくは方位偏光子のいずれかを含んでいる。これらの配光分布は、ＭＭｒｅｓｅａｒｃｈ社のソフトウェアＤｉｆｆｒａｃｔを使用して計算されたものである。これらの配光分布は、ベクトル効果から円錐屈折（回折）を分離するために、対物レンズの焦点ではなくイメージングの中間面で計算されたものである。（入射および出射の）偏光状態は、直線偏光の場合の偏光角度および円偏光の場合の偏光のキラリティが特徴である。
【０３０１】
これらの表は、多数の異なる伝達関数を示し、入射または出射箇所に含まれる円偏光子、直線偏光子、方位偏光子またはラジアル偏光子の事例を含んでいる。この説明は、図面に記載した円偏光子、直線偏光子、方位偏光子またはラジアル偏光子のほか、楕円偏光子、二色性偏光子または部分的に二色性の偏光子、および空間的に変化する偏光子の事例を含めることで完全にならなければならない。また、図７ａおよび図７ｂに示したように、これらの伝達関数は、標準の円錐パラメータρ０に応じて大きく変化する。また、２つの円錐形結晶、または１つの円錐形結晶と１つの単軸結晶もしくは２軸結晶と（この場合、光は、円錐回折の方向とは異なる１つの伝播方向へ電波する）を次々に導入することで、２つの円錐形結晶について図７ｃに示したようにさらに多くの伝達関数が可能になる。
【０３０２】
要約すると、本明細書では、円錐回折の伝達関数という用語を用いて、少数（＜６）の結晶を次々に用いて得られる一連の伝達関数、および静的または動的で、空間的に均一であるか変化する偏光要素に言及する。
【０３０３】
主に、以下の配光分布に注意する：
・  基本配光分布：平行な円偏光子同士の間で得られる図７ａ００および図７ａ１１であり、エアリー分布に近い分布。
・  渦配光分布：交差円偏光子同士の間で得られる図７ａ０１および図７ａ１０。
・  「三日月」分布と呼ぶ分布；副図７ａ０，２−５、７ａ１，２−５、７ａ２−５，０および７ａ２−５，１は、円偏光子と角度が変化する直線偏光子との間で得られる。この分布は非対称であり、軸は直線偏光子の軸に沿って回転する。
・  「半月」分布と呼ぶ分布；副図７ａ４２、７ａ３５、７ａ２４および７ａ５３は、２つの交差偏光子の間で得られ、この分布は対称である。
・  より複雑な配光分布、図７ｂであり、０．５よりも大きい正規化した円錐パラメータρ０の結晶に対する分布。
・  結晶間に静的または動的な偏光素子がある２つ（または２つ以上）の結晶が急峻な円錐形結晶（図示せず）を使用して、さらに別の配光分布を作成する。
【０３０４】
様々な配光分布の実現は、入射または出射する偏光を修正して実行される。様々な配光分布は、同じ光路に続き、これらの分布を形成している光学系は、上記に定義したような共通光路を有する光学系である。異なる波長で異なる偏光を有する多数の偏光要素がある。これらの要素のうちの１つを使用すると、２つの波長で規則波か特異波のいずれかである２つの小さい波動を形成するか、１つの波長で規則波を形成し、かつもう１つの波長で特異波を形成する。このような装置により、いくつかの事例では光学系の耐性または振動によって制限される放出抑制の概念を、遙かに簡易に実装できる。
【０３０５】
冗長性およびランダム位相の変化
図７に描いた基礎配光分布は、いくつかの方法で得られる。さらに、その方法のうちのいくつかを、他の基礎配光分布の線形的組み合わせとして得ることができ、例えば渦分布は、任意の２つの直交する「半月」配光分布を合わせたものから得ることができる。
【０３０６】
この冗長性により、生体の多くの測定プロセスに必然的に存在するランダム位相の誤りをある程度平均化することができる。これによって、本発明の実施形態の測定方法論およびその適用性の確実性が強化される。
【０３０７】
新規な配光分布は、基礎配光分布の数学的な組み合わせとして得ることもできる。４つの「三日月状の」分布を算術演算で組み合わせて計算した「偽渦」の配光分布は、原点の湾曲が激しいという特徴を有する。
【０３０８】
ＰＳＩＴ方法は、元々は横方向の超解像ができるように設計されたものであったが、ＰＳＩＴ方法は、ナノエミッタの縦方向（長手方向）の位置を得るのに使用することもできる。実際、いくつかの基礎配光分布は、ナノエミッタの縦方向の位置の変化から（合理的な限度内で）比較的影響を受けないが、他の分布はかなり影響を受けやすい。一連の小規模な配光分布は、縦方向の位置に依存しないものと依存するものがあり、ナノエミッタの縦方向の位置を明らかにする。
【０３０９】
さらに、ナノエミッタの縦方向の位置に強く依存する配光分布に対して、縦方向に互いにわずかにずれている一連の基礎配光分布を試料に照射することができ、これによって縦方向の情報を含む一連の画像ができる。
【０３１０】
さらに、いくつかのさらに複雑な基礎配光分布は、さらに複雑な波の重なりで構成され、縦方向に強く依存して存在し、例えば、Ｚｈａｎｇが記載した「３次元ダークスポット」［２６］は、光を発する球体で３次元に囲まれたブラックスポットを形成する。これらの「３次元ダークスポット」は、ラゲールガウス関数の重畳で構成され、この関数は、Ｚｈａｎｇが提案したように、ホログラムまたは位相板を使用するか、または本発明者が提案するように、１軸結晶または円錐形結晶を使用して、レーザ空洞の中で達成されることができる。
【０３１１】
本測定方法論のこれらの変形例はすべて、本発明の一部と考えられる。しかし本発明者は、好適な実施態様で、横方向の測定および縦方向の測定を、離れているが補足関係にある２つの光学モジュールに分けて、各々のモジュールの複雑性を軽減することを選択した。
【０３１２】
ベクトル効果
これまで展開した理論は、顕微鏡３５の結像面内の配光分布を説明するものである。試料に照射光の分布は、幾何学的イメージングの理論によれば、像面内の配光分布を縮小した画像である。
【０３１３】
しかしながら、文献で動的に記載されているように、開口数の高い対物レンズの場合、幾何学的イメージングの理論は適確ではなく、ベクトル効果を考慮しなければならない。これらの効果は、本質的に、縦方向に偏光成分が存在することで起こる。
【０３１４】
再度図６を参照すると、ベクトル効果を緩和するためには、不変の最終的な検光子を維持し、不変または可変の追加素子、つまり出射の偏光を適応させるサブモジュール７４を加えて出射の偏光を制御することが有利である可能性がある。円が対称である出力偏光であれば、ベクトル効果が大幅に低減されることを発見した。このような偏光は、円偏光、ラジアル偏光またはアジマス偏光とすることができる。円偏光の場合、出力偏光を適応させるサブモジュール７４は、単純に１／４波長位相差板である。この場合、縦方向の偏光素子は、渦が対称であり、ストークスパラメータの形状にわずかな変更を加えるだけで、開口数の高い顕微鏡対物レンズに対してでも、システムに問題なく組み入れられる。
【０３１５】
このようにする代わりに、出射偏光を適応させるサブモジュール７４は、可変的なものでもよく、小規模な配光分布の各々のトポロジーおよび対称性に適応させてもよい。
【０３１６】
ＰＤＯＳ方法を実施する光学モジュールＬｏｎｇＳＲＣＳ
以下に、光学モジュールＬｏｎｇＳＲＣＳについてさらに詳細に説明する。
本発明の一実施形態による縦方向の超解像系は、わずかな被照明分量内にある複数の点光源の入射光度を、各々の点光源の空間位置に応じて、別々の検出器または同じ検出器の異なる立体位置またはこの両方を合わせたものに誘導する。
【０３１７】
さらに単純な言葉で言うならば、縦方向の点Ａに位置する蛍光色素分子が放出する強度は、縦方向の点Ｂに位置するナノエミッタが放出する強度からは物理的に離れる。
【０３１８】
本発明の一実施形態による光学モジュールＬｏｎｇＳＲＣＳにより、分量をスライス状に分離することができ、被照明分量の様々なスライス片は、様々な一連の検出器上で物理的に別々に離れる。
【０３１９】
以下で説明する好適な実施形態では、光学モジュールＬｏｎｇＳＲＣＳは、被照明分量を少なくとも３つの隣接するスライス片に分離し、一連の独立した改良型検出器上で真ん中のスライス片を他の２つのスライス片から離し、同じ一連の改良型検出器上で残りの２つのスライス片の間に空間差異を形成する。
【０３２０】
次に、本発明の実施形態に係る光学モジュールＬｏｎｇＳＲＣＳ８００の簡易概略図である図８を参照する。
【０３２１】
光学モジュールＬｏｎｇＳＲＣＳは、わずかな光量にある複数の点光源の入射光度を、各々の点光源の縦方向の位置に応じて、別々の検出器または同じ検出器の異なる立体位置またはこの両方を合わせたものに誘導する。
【０３２２】
好適な実施形態では、この光学モジュールは、縦方向の位置に応じて、８０、８０’または８０”で示すナノエミッタに対して動作する。この光学モジュールは、第１のコリメーションレンズ８１を備え、このレンズは、いくつかの実施形態では、顕微鏡対物レンズ４で構成されてよい。
【０３２３】
ナノエミッタ８０は、コリメーションレンズの焦点面８２に位置し、コリメーションレンズ８１から出射するナノエミッタ８０から出る光は、コリメートされる（平行にされる）。
【０３２４】
ナノエミッタ８０’および８０”は、コリメーションレンズの焦点面８２の前と後ろに距離±Δｚを隔てて置かれ、コリメーションレンズ８１から出射するナノエミッタ８０’または８０”から出る光は、収束または発散する。
【０３２５】
光学モジュールＬｏｎｇＳＲＣＳは、横変位の偏光ビームスプリッタ８３の形態である、図８に示す偏光ビームセパレータを有する。偏光ビームスプリッタは、偏光していないと思われる入射光を、直交する直線偏光を含む２つの偏光チャネル８４および８５に分割する。このシステムは、入ってくる光がすでに偏光であるか、または偏光されていない光のために入射光度の半分を失うことを犠牲にすれば、２つではなく単一の偏光チャネルを使用することで簡易化できる。
【０３２６】
２つの１／４波長板８６および８７は、各々のチャネルに対して、直線偏光を円偏光に変換する。
【０３２７】
チャネル８８および８９のそれぞれには、色収差が除去された円錐形結晶、または、色収差を除去して、前述したような円錐形結晶の機能を実施するサブセットが置かれる。各々のチャネルでは、図３に記載したように、円錐回折の構成の主要対物レンズ３１として機能する円錐回折構成がコリメーターレンズ８１、ならびに円錐形結晶８８および８９で構成される。円錐回折パターンは、続いて第２のレンズ３３をもって完全となる。
【０３２８】
コリメーションレンズの焦点面８２に位置するナノエミッタ８０の場合、コリメーターレンズ８１から出射する光は、前述したようにコリメートされる。円錐回折の構成を参照すると、像空間におけるコリメーションレンズ８１の開口数および正規化した円錐半径はゼロであるため、ナノエミッタ８０からビームに及ぶ円錐回折の効果はゼロである。したがって、円錐形結晶は、ナノエミッタが放出した蛍光の幾何学形状もその偏光も変更することはなく、キラリティが同じ円偏光のままである。
【０３２９】
コリメーションレンズの焦点面８２に位置していないナノエミッタ８０’または８０”の場合、光は発散または収束する。再度前述の円錐回折の構成を参照すると、コリメーションレンズ８１の像面の開口数は、円錐回折の構成の第１のレンズ３１と等しく、ゼロではない。プラスまたはマイナスの所与のデフォーカス値が±Δｚの場合、円錐結晶から出射されるほとんどの光は渦波であり、この渦波の形状は渦で、キラリティが逆である。
【０３３０】
各々のチャネルに位置する円錐回折の構成の機能性は、収束光または発散光に対する光の円偏光のキラリティを逆にすることによって、収束光または発散光とコリメート光とを区別することである。
【０３３１】
他の２つの１／４波長板９０および９１は、各々のチャネルから出射する円偏光を直線偏光に変換する。各々のチャネルに対して、結晶が除去された場合に位相差板から出射されたであろう直線偏光をコリメーションの偏光と呼ぶ。
【０３３２】
光学モジュールＬｏｎｇＳＲＣＳは、横方向に分離する４口のコンバイナ／セパレータ９２として、図８に示すような４口のコンバイナ／セパレータを備える。この光学モジュールは、各々のチャネルに対して２つの偏光を分離し、２つのコリメートされた偏光を同じ光路、つまりコリメーション光路９３で融合し、コリメートされた偏光に直交する偏光を別の光路、つまり非コリメート光路９４で融合する。１／４波長板８６、８７、９０および９１の軸方向は、適正に決定しなければならない。合わさったビームは、元は偏向していないビームから来ているため、干渉しない。
【０３３３】
コリメーション光路に入る入射光は、円錐回折の構成の第２のレンズ３２として機能するコリメーション光路９５の焦点レンズを使用して、コリメーション検出器９６で集光される。
【０３３４】
非コリメーション光路では、別のレンズ９７が挿入され、この別のレンズ９７は、コリメーションレンズ８１とともに新たなレンズ系９８を作り出し、この新たなレンズの焦点面９９は、コリメーションレンズの焦点面８２とは異なる位置、つまりナノエミッタ８０’の位置に位置する。別の１／４波長板１００が、１／４波長板９０または９１が起こす作用を取り消し、各々の偏光チャネルから入ってくるビームを反射時に円偏光に変換し、この円偏光は、円錐結晶８８または８９を出た後に偏光される。
【０３３５】
コリメートされない経路には、別の円錐形結晶１０１が第３の円錐回折構成（補助的な円錐回折構成）としてレンズ光学系９８とともに追加され、円錐回折構成の第１のレンズ３１として作用する。
【０３３６】
ナノエミッタ８０’は、コリメーションレンズの焦点面８２の前に、距離Δｚを隔てて位置しているが、レンズ光学系９８に対しては焦点面９９に位置している。ナノエミッタ８０’から来る光は、光が通過した偏光チャネル応じて、コリメーションレンズ８１で構成される円錐回折構成のうちの１つ、および円錐形結晶８８または８９のうちの１つによって、すでに渦に変換されていたものである。ナノエミッタ８０’から来る光は、レンズ系、９８から出る際に、追加のレンズ９７の後ろでコリメートさる。
【０３３７】
新規な円錐回折構成を参照すると、像空間にあるレンズ系の開口数、および正規化した円錐半径は、ナノエミッタ８０’に対してゼロであり、補助的回折構成が、ナノエミッタ８０’から出射されるビームに及ぼす円錐回折効果はゼロである。したがって、円錐形結晶は、ナノエミッタが放出する蛍光の幾何学形状を変化させることはない。ナノエミッタ８０’から来る光は、円錐形結晶８９の前後で渦である。
【０３３８】
ナノエミッタ８０”は、コリメーションレンズの焦点面８２の後ろに、レンズ系９８に対して距離Δｚを隔てて置かれ、集光位置９９からは距離−２Δｚを隔てて置かれ、ナノエミッタ８０”から来る光は、レンズ系、９８から出る際にフロントレンズ、９７の後ろで合流する。ナノエミッタ８０”から来る光は、光が通過した偏光チャネル応じて、コリメーションレンズ８１で構成される円錐回折構成のうちの１つ、および円錐形結晶８８または８９のいずれか１つによって、すでに渦に変換されていたものである。円錐形結晶１０１は、ナノエミッタ８０”から来る光を変化させ、および、材料に関連するパラメータ、すなわち円錐形結晶のサイズおよび向きについて、エアリーディスクとはわずかに異なる規則波に戻す。
【０３３９】
非コリメート光路の対物レンズ１０２は、規則波１０４であってナノエミッタ８０’ではなく特異波であるナノエミッタ８０”を含む面を、画素化した検出アセンブリ１０３で焦点を合わせるように適応される。蛍光色素分子８０”のような面１０４に位置する蛍光色素分子から出射する入射光は、完全に焦点が合わされ、画素化された検出器１０３の中心に位置する。面９９に位置するナノエミッタから出射する入射光は、渦であるため、中心がゼロである外側の円に集光される。中心の強度と検出器の外部の強度とを別々に記録することによって、面１０４および９９からくる入射光をわずかに重なった状態で分離することができる。さらに、対物レンズが検出器の面１０４で焦点を合わせるように計算されているため、ナノエミッタ８０’のように面１０４に位置するナノエミッタは、わずかに位置がずれている。これによって、中心の渦の強度をさらに上げて重複を低減することで、光学モジュールＬｏｎｇＳＲＣＳの効果が改善される。
【０３４０】
光学モジュールＬｏｎｇＳＲＣＳ８００の好適な実施形態をこのように簡易に説明することで、専門家に公知の変更を通して設計を変更して、多くの変形例および適応例が可能になる。この変更には、結晶の材料および方向、偏光部品の選択、偏光軸、カスケード素子、センサ数の選択またはナノエミッタ８０’および８０”の役割の入れ替えなどがあるが、これに限定されない。さらに、モジュールは、理想的には、一連の一体化したサブセットあるいはまた単一の一体化したユニットとして構成されるように調整される。
【０３４１】
ＰＤＯＳ方法および横方向の測定
ＰＤＯＳ方法は、元は縦方向の超解像ができるように設計されたものだが、ＰＤＯＳ方法は、ナノエミッタの横方向の位置の測定にも使用できる。実際、基礎配光分布は、ナノエミッタの横方向の位置の変化にも影響を受けやすい。試料の面に対する光の照射が不可能な場合、ＰＤＯＳ方法の代わりにＰＳＩＴ方法を用いて超解像測定を実施してもよい。
【０３４２】
本測定方法論のこれらの変形例はすべて、本発明の範囲内である。しかし、本発明者は、好適な実施態様で、横方向の測定を縦方向の測定から分離して、離れて別々だが補足関係にある２つの光学モジュールに分けて、各々のアドオン（追加装置）の複雑性を軽減することを選択した。
【０３４３】
検出モジュール
本測定方法論の可能性を考えると、作成された情報を検出して復元できるさらに複雑な検出モジュールが必要であるという結論に至る。走査型共焦点顕微鏡法では、検出器は、ＰＭＴまたはＳＰＡＤとしての単一の素子で構成される検出器である。検出器の取得時間は、走査機構によって決まる。
【０３４４】
本測定方法論は、いくつかの実施形態では、１つではなく２つ（またはそれ以上）の検出モジュールを必要とし、モジュールが２つの場合は、基本検出モジュールおよび渦検出モジュールを必要とする。さらに、本測定方法論は、いくつかの実施形態では、各々の被照明分量に対して、連続信号の識別・定量に必要であるために、画素時間よりも早いレートで、典型的には１６×１６の小さい空間格子に光学情報を取得する必要がある。
【０３４５】
改良型検出モジュール６５は、少画素数の小型検出器を用いて使用できる。このようなモジュールは、適切な技術がないために１０年や２０年前には不可能であっただろう。今日、少画素数、高速、少ノイズを特徴とする小型検出器が、いくつかの技術を基盤として利用でき、３２×３２など少画素数のＳＰＡＤアレイが、近年最大１ＭＨｚの取得レートで登場している。改良型検出モジュール６５は、ＣＣＤ、ＥＭＣＣＤまたはＣＭＯＳセンサを用いても実装できる。少画素数のＣＣＤセンサ、ＣＭＯＳセンサおよびＥＭＣＣＤセンサが存在し、あるいはこれを特別に設計できる。
【０３４６】
さらに、ＣＣＤセンサ、ＣＭＯＳセンサ、ＥＭＣＣＤセンサは、関心領域の特性、いくつかの検出器で利用可能なサブウインドウまたは「ビニング」、「クロップ」もしくは「ファーストキネティックス」モードの特性を利用して使用できる。
【０３４７】
本明細書で用いる空間・時間情報は、各々の蛍光光子の位置およびこの蛍光光子が及ぼす効果の時間である。実際のシステムでは、空間・時間情報は、検出器のノイズによって損なわれ、これによって不正確な光子が形成され、不十分な検出によって、検出されていない光子が形成され、これによって性能が低下する。ＳＰＡＤアレイでは、各々の光子に対して、この光子を検出した画素および効果時間が受け取られ、すなわち完全な空間／時間情報が入手可能になる。ＣＣＤセンサ、ＣＭＯＳセンサまたはＥＭＣＣＤセンサの場合、複数のフレームを取得して、空間・時間情報を近似する必要がある。
【０３４８】
いくつかの実施態様では、別々の検出器について言及する。多くの場合、センサは、物理的に離れているか、または単一の検出器の異なるエリアで構成されるか、またはこの２つの場合を組み合わせたものといずれかとすることができる。
【０３４９】
ＳＲＣＤＡアルゴリズム
上記に詳述した再構築アルゴリズムは、ＰＳＩＴ方法およびＰＤＯＳ方法を用いて解析した所与の分野の場合だけでなく、走査によって解析したさらに大規模な分野の場合にも適用される。走査の場合、直接のモデルは、照射された信号の様々な位置どうしの間を範囲に含めて、所与の点でさらに多く測定することを考慮することで、質が向上する。ただし、ずれて照射された信号を考慮しても、解像方法の面に新たな複雑さが加わることはない。なぜなら、このようなずれた信号は、照射された信号のリストに加わるだけだからである。
【０３５０】
測定方法論を実施する合成光学プロセスのアルゴリズム
本発明の少なくとも１つの実施形態による合成光学プロセスは、ＳＲＣＤＡアルゴリズムの論理的補数である。実際に、ＳＲＣＤＡアルゴリズムで実現した再構築によって、画像の追加で測定性能が改善される結果を導くことができる。顕微鏡法プラットフォームＳＲＣＤＰにより、ＰＳＩＴ方法またはＰＤＯＳ方法の一連の配光分布から、１つ以上の追加画像を取得することができる。
【０３５１】
以下に一例を説明する。
【０３５２】
ＰＳＩＴ方法を用いた点の位置測定
ＰＳＩＴ方法は、ナノエミッタの位置を高精度で測定する技術として使用できる。
【０３５３】
デカルト座標のｘ，ｙおよび極座標のρ，θの位置にナノエミッタが位置していると考える。基本波で構成される一連の照明、および直交軸に沿って並んだ２つのいわゆる「半月」分布をナノエミッタに照射する。
【０３５４】
前処理手順で以下の２つの画像を作成する：
シーケンスの３画像の和で構成される「トップハット（ｔｏｐ  ｈａｔ）」画像、および２つの半月画像の和で構成される渦画像。
【０３５５】
第１のディスクリプタが、画像「トップハット」の重心のアルゴリズムを用いて計算されるデカルト位置である。
【０３５６】
図１０を参照すると、半径位置ρは、パラメータρａを測定することによって一義的に測定することができ、このパラメータは、渦波Ｉｖに照明されたナノエミッタが放出した正規化強度と、基本波ＩＦに照明されたナノエミッタが放出した正規化強度との間の強度比のアークタンジェントを、因子πで正規化したものに等しい。実際、
・  基本波に照明されたナノエミッタが放出した正規化強度は、基本波の中心での１からエアリー半径での０まで変化する。
・  渦波に照明されたナノエミッタが放出した正規化強度は、渦の中心での０から渦の最大の１まで変化し、エアリー半径よりもわずかに大きい値に向かう０に達する。比のアークタンジェントは、単調関数である。
【０３５７】
方位角位置は、第１の半月分布ＩＨに照射されたナノエミッタが放出する全体強度と、第２の半月分布Ｉｖｅに照射されたナノエミッタが放出する全体強度との強度比を測定することによって測定できる。この２つの強度の比は、タンジェント二乗の法則である。
【数１１】
2018156090.tif 000044
（式１０）
【０３５８】
両方とも測定するのは冗長である。この冗長性は、観察した物体を単一の点として定量し、試料内に潜在的に存在する他の物体から分離するための手段である。
【０３５９】
ナノエミッタの位置を高精度で測定するための本発明の一実施形態によるＰＳＩＴ方法を直接適用する方法が、局所で確率的に光学による再構築を行う新規な技術にこの測定技術を組み入れることである。確率的技術を適用できる可能性を制限するものの１つが、多数の画像を必要するために測定時間が長く光毒性が強い測定プロセスである。エアリーディスクよりも遙かに高い解像度で、マイクロ秒またはナノ秒の速さで発光体の位置を測定する、本発明の少なくとも１つの実施形態によるＰＳＩＴ技術を使用すると、確率的技術を多くの新規な用途に拡大できる。
【０３６０】
ＰＳＩＴ方法を用いてできた画像は、画像中の構造物体、線、円またはその他のものを認識するための一般的なハフ変換法を用いて処理してもよい。
【０３６１】
高次元空間での表現：デカルト極座標表現
この結果は一般化することができる。本明細書では、デカルト座標表現と極座標表現を合わせた新たな平面表現をすべて紹介する。この表示を、デカルト極座標表現と名付けた。平面上の１点を、ｘ、ｙ、ρ、θの４つで表現する。この表現は、非ユークリッドであり、冗長である。同様の空間表現は、必要な変更を施して定義できる。
【０３６２】
一見してこの表現は、必要ないように見える。つまり、これよりも遙かに単純な現実に対して著しく複雑である。平面上の１点の位置は、このようにする代わりに、デカルト座標のｘとｙを用いるか、または極座標のρとθを用いるかのいずれかで表現できることはよく知られている。
【０３６３】
高次元空間での表現：ピタゴラスの空間
本明細書では、デカルト極座標表現の簡易バージョンのみを詳述し、このバージョンでは、１点を座標ｘ、ｙおよびρで表現する。この空間をピタゴラスの空間と称する。
【０３６４】
立体面積を幾何学の構成方程式ρ２＝ｘ２＋ｙ２を満たす３次元空間にある２次元の面と定義し、ｘ、ｙおよびρを同時に測定する測定系を、前段落で記載したような測定系に、同じデータに対するセントロイドアルゴリズムを合わせたものとして仮定する。ピタゴラスの空間内の立体表面上に、１点を物理的に配置する。２つ以上の物理的な点の事例を考えてみる。測定する２点の重心は、全体的に立体表面の外側にあり、このエリアの外側に１点を作成する。この表現は、決定論アルゴリズムの数学的に形式化し、一般化して、隔離した点の事例を前述した点の集合の事例から分離するためのものである。
【０３６５】
２点の識別および測定：新たな解像基準
次に、極座標でρ，θおよびρ，−θの位置の中心を境に対称に位置する強度が同じ２つのナノエミッタを考える。前段落に記載したシステムを使用する。
３つのディスクリプタにより、以下の結果になる：
・  セントロイドは、配光分布のセントロイドを測定し、これが原点になる。
・  識別子ρは、２つのナノエミッタの共通の半径値を測定する。
・  半月の場合にθと−θとの間に縮退を含むディスクリプタθは、値θを測定する。
【０３６６】
前述したように、ディスクリプタρの値がゼロでなければ、検証した事例は１点ではなく２点以上であることがわかる。さらに、ディスクリプタρおよびθによって、レイリー基準で定義される分解能よりも遙かに高に分解能で２点の特徴を測定することができる。さらに、組み合わせたプロセスを用いると、この事例を３点以上の大半の事例から分離することが可能になる。さらに別の配光分布、つまりθ度傾斜した半月分布を試料に照射することができ、２点が存在するという仮定は、この画像結果に基づいて確認されるか無効にされる。実際、測定したエネルギーは、２点、１ラインまたはθ度の方向に並んだ一連の点に対してゼロになる。
【０３６７】
測定は、先験的に限定されるものではない。もちろん、何よりも実際の解像度には限界があり、これは、信号の質、様々な変動および不完全に関係している。実際の限界を無視すれば、解像度の限界は、検出された光子の数に関連している。
【０３６８】
制御モジュール
図１１および図５を参照し、本発明の１つの好適な実施形態では、プラットフォームＳＲＣＤＰ５００に組み込まれた様々な制御素子について記載する。
【０３６９】
制御モジュール１１００は、体系的な制御手順１１０１を用いて、プラットフォームＳＲＣＤＰ５００の光学パラメータ、改良型検出モジュール６５の電子パラメータ、およびアルゴリズム手順ＳＲＣＤＡ、９００の数学パラメータをモニタリングし修正して、システムまたはユーザが定義する基準に従って出射情報を最適化する。制御は、プラットフォーム、６００、８００および９００の様々な素子の制御系１１０２、１１０３および１１０４を変更することによって達成される。制御系１１００は、コンピュータ基盤によって中継される外部情報１１０５も、利用可能であれば使用する。注：１１０５は図１１にはない。
【０３７０】
本発明は、本明細書に含まれる記載または図面に示した記載に明記した詳細にその用途が限定されるものではないことは理解されることである。本発明は、他の実施形態が可能であり、様々な方法で実施でき、実行できるものである。当業者は、本発明の範囲を逸脱しないかぎり、本発明の実施形態に前述したような様々な修正および変更を加えてよいことを容易に理解するであろう。
【０３７１】
本測定方法論の代替実施態様
記載した本発明の実施形態は、蛍光共焦点顕微鏡に組み込まれることができる。本発明の実施形態による超解像系は、既存の顕微鏡法に加わる、またはこれに取って代わる新規な測定方法である。しかしながら、本発明の実施形態による超解像系は、他の顕微鏡法プラットフォームに同じように搭載されてもよい。例として記載したこれらの顕微鏡法プラットフォームには、広視野顕微鏡、暗視野顕微鏡、偏光顕微鏡、位相差顕微鏡、微分干渉顕微鏡、ステレオ顕微鏡、ラマン顕微鏡、ライブセルイメージング、細胞選別、細胞運動などの特定のタスク専用の顕微鏡、または例えば参考文献｛Ｎｉｋｏｎ．，２０１１＃１２９０｝に記載されているようなその他の任意の光学顕微鏡法用の器械などがあるが、これに限定されない。
【０３７２】
多方式モードという本発明のもう１つの実施形態では、顕微鏡プラットフォームは、以下の追加モジュールの少なくとも１つをさらに備えている。
−  顕微鏡法方式が以下のものとは異なる少なくとも１つの追加モジュール：
−  別の方式で超解像するモジュール、
−  分子方式および蛍光で標識された分子の相互作用を測定するモジュール、
−  細胞内の分子の相互作用を解析するモジュール。
【０３７３】
多方式モードから派生した本発明のもう１つの実施形態では、顕微鏡法プラットフォームは、共焦点モードおよび／または「フルフィールド」モードを組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７４】
多方式モードから派生した本発明のもう１つの実施形態では、顕微鏡法プラットフォームは、偏光の異方性か、ジョーンズパラメータまたはストークスパラメータの測定のいずれかである偏光測定を組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７５】
多方式モードから派生した本発明のもう１つの実施形態では、顕微鏡法プラットフォームは、光励起インパルス応答の外部領域で蛍光を排除するために刺激される放出を用いて、ローカライゼーション顕微鏡法システムまたは放出抑制システムのいずれかを組み入れるように構成されている。このような実施形態では、顕微鏡の共通の構成要素に加えて、いくつかの同じ光学構成要素のほか、本発明の実施形態に記載したプラットフォームで使用する検出ツールまたはアルゴリズムツールを備えることができる。
【０３７６】
本発明の少なくとも１つの実施形態による顕微鏡法プラットフォームは、例えば眼科での観察だがこれに限定されない医学用途に使用できる。このような使用法には、解像度がミクロン単位になる生体または医学的物体を測定することを含むことができ、この解像度は、例えば１から１０μｍである。
【０３７７】
本発明の少なくとも１つの実施形態による顕微鏡法プラットフォームは、例えば胃や消化器の観察のほか、結腸および尿路の観察などだがこれに限定されない医学用途に使用できる。これらの実施形態では、例えば光ファイバを介して情報を取得できる。
【０３７８】
本発明のもう１つの実施形態では、プラットフォームは、自家蛍光などだがこれに限定されない低蛍光現象を測定することに特化している。
【０３７９】
本発明の少なくとも１つの実施形態によるＰＳＩＴ方法の特定の実施形態では、規則波および特異波は、光軸３２の方向に並んだ２軸結晶を通って入射する規則波の円錐回折と伝播によって形成される。
【０３８０】
本発明の少なくとも１つの実施形態によるＰＳＩＴ方法のもう１つの実施形態では、規則波および特異波は、２軸結晶の代わりに、好適な実施形態の光軸３２の方向に並んだ単軸結晶を通って入射する規則波の伝播によって形成される。
【０３８１】
本発明の少なくとも１つの実施形態によるＰＳＩＴ方法のもう１つの実施形態では、規則波および特異波は、位相板（スパイラル位相板など）またはサブ波長格子を光学系のフーリエ面に設置するか、適切なホログラフィー光学要素を設置することによって形成される。
【０３８２】
上記から派生したＰＳＩＴ方法の一実施形態では、位相要素または偏光要素は、例えば液晶要素のマトリクス、またはポッケルス効果、ファラデー効果もしくはケル効果のある母材など、動的で制御可能なものである。マトリクスは、別々の領域またはモノリシックの区画の形態のいずれかでピクセル化されてよい。
【０３８３】
本発明の少なくとも１つの実施形態によるＰＳＩＴ方法の一実施形態では、モード間の相互作用は、静的または動的に形成され、フォトニックファイバ内で相互作用する。
【０３８４】
本発明の少なくとも１つの実施形態によるＰＳＩＴ方法の一実施形態では、「トポロジー群の異なる少なくとも２つの小規模な配光分布」の伝送は、非限定だがフォトニックファイバなどの光ファイバによって達成される。
【０３８５】
本発明の少なくとも１つの実施形態によるＰＳＩＴ方法のもう１つの実施形態では、（図示せず）厚い点に、試料の照明は、少なくとも２つの合成した一連の小規模な配光分布を含み、合成した小規模な配光分布はそれぞれ、それ自体が同時に照射される少なくとも２つの単純で小規模な配光分布で構成される。前記少なくとも２つの単純で小規模な配光分布は、互いに光学的にコヒーレント、部分的にコヒーレントまたはインコヒーレントであり、前記少なくとも２つの単純で小規模な配光分布は、異なる空間位置に位置し、前記少なくとも２つの単純で小規模な配光分布は、その配光分布の横方向の中心の位置、縦方向の中心の位置、偏光、振幅または位相などの特徴のうちの少なくとも１つが異なる。単純で小規模な一連の配光分布は、トポロジー群の異なる小規模な配光分布を含む。
【０３８６】
（図示せず）ＰＳＩＴ方法のもう１つの実施形態では、小規模な配光分布は、マルチモードレーザーの異なるモードで形成され、一連の小規模な配光分布は、モードを連続的に作成するか、またはその代わりに、モード間のエネルギーのバランスを制御することによって形成される。
【０３８７】
（図示せず）ＰＳＩＴ方法のもう１つの実施形態では、規則波と特異波との関係は、動的に変化する。
【０３８８】
（図示せず）ＰＳＩＴ方法のもう１つの実施形態では、規則波および特異波は、入射ビームを（少なくとも）２つの光路に物理的に分離することによって形成され、１つの光路での規則ビームから特異ビームへの変換は、位相板もしくは螺旋位相板、ホログラフィック光学素子、サブ波長格子、１軸結晶もしくは２軸結晶などの公知の手段またはこれらを組み合わせたものによって実現され、２つのビームはビームコンバイナを用いて再び合成され、単一のビームになる。この実施形態では、小規模な配光分布の区別は、合成したビームまたは各々のビームのいずれかに対して、分離後および再合成前に別々に行うことができる。
【０３８９】
ＰＳＩＴ方法のもう１つの実施形態では、（図示せず）動的モニタリング系は、小規模な配光分布もしくは小規模な配光分布のシーケンスを高精度で空間に移動させることができる制御可能なミラー、電気光学装置もしくは音響光学装置または圧電アクチュエーターなどの手段を備えるが、これに限定されない。動的モニタリング系では、小規模な配光分布の位置および順序は、少なくとも１つの特定のターゲットを追跡するように動的に制御される。
【０３９０】
ＰＳＩＴ方法のもう１つの実施形態では、（図示せず）黒の蛍光色素分子、小規模な配光分布または小規模な配光分布を数学的に組み合わせたものは、小規模な配光分布の中心で強度がゼロになるように構成される。
【０３９１】
このシステムは、小規模な配光分布を空間内に移動させるように適応した手段を備え、これらの手段は、時間に応じて蛍光色素分子を追跡し、蛍光色素分子をその配光分布の中心に配置するために使用される。蛍光色素分子が動くことなく小規模な配光分布の中心に配置されると、その位置は、蛍光色素分子から出射する蛍光がなくとも高精度で測定され、これによって退色作用が実質的に低減される。蛍光色素分子の動きは、小規模な配光分布の位置が適切に動くことによって補償され、放出される少量の蛍光を用いて蛍光色素分子が追跡される。
【０３９２】
ＰＳＩＴ方法のもう１つの実施形態では、ナノエミッタの位置は、発光体の位置での光度は小さいものの重要な情報が生じるように選択された配光分布を用いることで、良好な精度で得られる。この別の実施形態は、自家蛍光効果などだがこれに限定されない全体的に少ない光子のみを届けられる低発光の発光体に特に適応している。
【０３９３】
ＰＳＩＴ方法のもう１つの実施形態では、（図示せず）動的シーケンスの選択に関して、システムは、配置の仮説または第１の一連の測定値に基づいて、小規模な配光分布の最適なシーケンスを決定する。
【０３９４】
ＰＳＩＴ方法のもう１つの実施形態では、（図示せず）シーケンスの選択および小規模な配光分布の動的配置に関して、システムは、小規模な配光分布もしくは小規模な配光分布を組み合わせたものを高精度で空間に移動させることができる制御可能なミラー、電気光学装置もしくは音響光学装置または圧電アクチュエーターなどの手段を備えるが、これに限定されない。システムは、配置の仮説または第１の一連の測定値に基づいて、小規模な配光分布の最適なシーケンスおよび位置を決定する。
【０３９５】
ＰＳＩＴ方法のもう１つの実施形態では、三角形分割のＰＳＩＴ方法、前述したＰＳＩＴ方法の２つ以上の測定プロセスは、照射軸の異なる同じ試料で実行される。２つの測定間で横方向の位置が変化することにより、発光ナノエミッタの縦方向の位置を測定することができる。
【０３９６】
ＰＳＩＴ方法のもう１つの実施形態では、平行にするＰＳＩＴ方法で、光は、マイクロレンズアレイ、またはその他の専門家に公知の光学手段に入射し、これによって一連の配光分布を平行にすることができ、これらの配光分布は、光学モジュールによって修正されて、多数の離散点に対してＰＳＩＴ方法が同時に実行される。
【０３９７】
ＰＳＩＴ方法のもう１つの実施形態では、マルチスペクトルのＰＳＩＴ方法（図示せず）で、試料は、連続的または同時に、少なくとも２つの一連の照明によって照明され、各々のシーケンスが異なる波長で光を試料に照射する。
【０３９８】
ＰＳＩＴ方法のもう１つの実施形態では、不変または可変の追加の偏光要素を検光子の後ろに設置して、試料に照射光の分布の偏光を制御し、ベクトル効果を制限するか、偏光の多様性を形成するか、試料成分の偏光パラメータを測定する。
【０３９９】
ＰＳＩＴ方法のもう１つの実施形態では、出来上がった画像は、画像内の特徴を認識するために、一般的なハフ変換法を用いて処理される。
【０４００】
ＰＳＩＴ方法のもう１つの実施形態では、点滅効果を利用して、互いに短い距離を置いて位置している光源を一時的に分離する。この点滅効果は、自然なものであってもよいし、例えば追加の波、規則波または特異波が光活性効果または光抑制効果によって起こすものであってもよい。極めて高速で情報を取得するこの実施形態では、順に発光する点の位置特定プロセスで、前述した照射分布に応じて再発光された強度に対して点を位置特定するプロセスを使用する。
【０４０１】
ＰＳＩＴ方法のもう１つの実施形態では、波は同時に照射され、多光子蛍光効果（二光子蛍光を含む）またはラマン効果によって、非線形的に相互作用する。
【０４０２】
ＰＳＩＴ方法のもう１つの実施形態では、配光分布は、共通光路を有する光学系によって形成され、ファイバの中に導入されて、前述したトポロジー群の異なる小規模な配光分布がファイバの出口で生じるようにし、この構成により、光学系で顕微鏡の配光分布を形成でき、顕微鏡の設計および使用が簡易になる。ＰＳＩＴ方法のこの実施形態では、ファイバを伝送に使用して、以前に形成された様々な光学モードを、モードに応じて変化できる緩和を潜在的に伴って伝送できる。ＰＳＩＴ方法のこの実施形態では、ファイバは、モード間に相互作用を起こすこともでき、ファイバから現れるモードは、システムがファイバの静的または動的な結合を考慮して使用するように設計されていれば、ファイバに入射するモードとは異なっていてよい。
【０４０３】
ＰＳＩＴ方法のもう１つの実施形態では、蛍光色素分子の放出のスペクトル依存も、フェルスターのエネルギー移動効果または同等の効果によって変化する。
【０４０４】
ＰＳＩＴ方法のもう１つの実施形態では、トポロジーの異なる配光分布の照射は、円錐回折によって実行され、系は、当業者に公知の分散要素などであって、プリズムおよびネットワークなどの別の要素を追加することで、あるいはレンズなどの内部要素を修正するか、逆の分散を有する２つ以上の結晶を使用して、色収差をなくすために修正されている。
【０４０５】
ＰＳＩＴ方法のもう１つの実施形態では、トポロジーの異なる配光分布の照射は、円錐回折によって実行され、系は、当業者に公知の分散要素などであって、プリズムおよびネットワークなどの別の要素を追加することで、あるいはレンズなどの内部要素を修正するか、逆の分散を有する２つ以上の結晶を使用して、色収差をなくすために修正されている。
【０４０６】
ＰＳＩＴ方法のもう１つの実施形態では、トポロジーの異なる配光分布の照射は円錐回折によって実行され、系は、当業者に公知の温度に依存する光学要素などの別の要素を追加することで、あるいはレンズなどの内部要素を修正するか、温度依存が逆の２つ以上の結晶を使用して、アサーマルにするために修正されている。
【０４０７】
本発明のもう１つの実施形態では、共通光路を有する光学系から出ていて、規則波とは波長が異なる可能性がある特異波は、蛍光色素分子を排除するか、蛍光色素分子とは異なる励起状態の間を移行することで、規則波の作用を抑制する効果を生む。この実施形態は、ＨｅｌｌおよびＷｉｃｈｍａｎｎによる元の記載｛Ｈｅｌｌ，１９９４＃１２８８｝とは異なり、共通光路を有する光学系を使用して、系の複雑さおよび配列を大幅に簡易化し、系の堅剛性を改善してコストを下げている。
【０４０８】
前回の実施形態から派生した本発明の実施形態では、円錐回折または単軸結晶を用いる共通光路を有する光学系から出ていて、規則波とは波長が異なる可能性がある特異波は、蛍光色素分子を排除するか、蛍光色素分子とは異なる励起状態の間を移行することで、規則波の作用を低減する効果を生む。
【０４０９】
前回の実施形態から派生した本発明の実施形態では、共通光路を有する光学系では、円錐回折または単軸結晶を使用し、規則波および特異波は、動的な偏光要素の作用または追加の分散偏光要素のいずれかによって得られる。この実施形態は、ＨｅｌｌおよびＷｉｃｈｍａｎｎによる元の記載｛Ｈｅｌｌ，１９９４＃１２８８｝とは異なり、共通光路を有する光学系を使用して、系の複雑さおよび配列を大幅に簡易化し、系の堅剛性を改善してコストを下げている。
【０４１０】
（図示せず）ＰＤＯＳ方法のもう１つの実施形態では、縦方向の位置に応じて異なる点光源から来る光の誘導は、焦点面で行われる。これは、横方向の位置によって異なる偏光特性を有する素子を用いて実行される。設定面に対して縦方向に配置された点から入ってくる光は、所定位置に入射し、特別な偏光特性を持ち、縦方向の（および横方向の）異なる位置にある点からの入射光は、異なる偏光特徴を有する焦点面上の他の位置に入射する。
【０４１１】
本発明の使用方法および利用方法についてのさらに踏み込んだ考察に関しては、上記の説明文から明らかでなるはずである。したがって、使用形態および動作形態に関する考察は一切記載しない。
【０４１２】
この点に関して、本発明の少なくとも１つの実施形態を詳細に説明する前提として、本発明は、以下の説明文に記載の要素または図面に示した要素の詳細な構成および編成に対する適用例に限定されるものではないことは自明である。本発明は、他の実施形態も可能であり、様々な方法で実施し、実行することができる。さらに、本明細書で使用した用語および専門用語は、説明を目的とするものであって、限定するものではないことは自明である。
【０４１３】
本明細書に引用した参照文献は、本発明に適用できる多くの原理を教示するものである。したがって、これらの出版物の全内容を参照によって本明細書に組み入れ、必要に応じて追加または代替の特徴および／または技術情報を教示するものとして組み入れる。
【０４１４】
ファイバ：伝送
光ファイバを使用する利点は、基本モードであるＴＥＭ００モードで伝送し、それのみで伝送する点である。しかしながら、光ファイバのいくつかの構成は、主に、だが排他的ではなく、「フォトニック結晶ファイバ」と呼ばれるファイバに基づいていて、渦モードを含むさらに複雑なモードで、同時であっても同時でなくても伝送できる。したがって、円錐屈折によって形成された光学分布を光ファイバを用いて排除して、光学系を動的に簡易化することが可能になる。
【０４１５】
また、いくつかのファイバ、「ダブルコアフォトニック結晶ファイバ」、｛Ｌｉ，２０１２＃１２８６｝によって、２つのモード間の相互作用が可能になり、そのうちの１つは渦モードであり、別の物理的機構を提供して多様な伝達関数を形成する。
【０４１６】
本発明は、本発明の適用が、本明細書に記載した説明文または図面に示した内容に記載の詳細に限定されるものではないと理解されるべきである。本発明は、他の実施形態も可能であり、様々な方法で実施し、実行することができる。当業者は、添付の特許請求の範囲に定義した本発明の範囲を逸脱しないかぎり、上記に記載したような本発明の実施形態に様々な修正および変更を適用してよいことを容易に理解するであろう。
【０４１７】
ＳＲＣＤＡアルゴリズムのもう１つの実施形態である組み合わせＳＲＣＤＡアルゴリズムでは、蛍光色素分子の位置は、（特定の解像ピッチで）格子上に離散していて、最大でｋ個の蛍光色素分子の可能な位置すべてを格子上で体系的に走査して、再構築が行われる（ｋは、本方法のパラメータとみなすか、あるいは測定した強度を用いて推定するか、あるいは異なる測定値を用いて推定する）。ｋ組の各位置に対して、逆問題の解決は、極めて簡易になる（例えば強度の推定は、ニュートン法を数回反復して行える）。
【０４１８】
ＳＲＣＤＡアルゴリズムのもう１つの実施形態であるエントロピーＳＲＣＤＡアルゴリズムでは、照射された信号を選択して、再構築エントロピーを最大にする点に順に位置決めして追加の測定を行う。したがって、この動的なモードは、系の精度を測定数に対して最適にする。
【０４１９】
ＳＲＣＤＡアルゴリズムのもう１つの実施形態である曖昧なＳＲＣＤＡアルゴリズムでは、蛍光色素分子が吸収した光子量を最小にするように照射された信号を選択して順に位置決めして、追加の測定を行う。この実施形態は、収集した情報と吸収された光子量との間で最適な妥協点を見い出して、エントロピーモードと組み合わせることができる。
【０４２０】
多くの超解像技術は、波長の一区分よりも小さいサイズの点光源を測定することに基づいている。記載した実施形態による超解像技術により、点光源を測定できるだけでなく、例えば、主に線、円さらには連続物体のセグメントなどの構造物体も測定できる。生物学では、この拡大解釈により、フィラメント、ニューロンおよびいくつかの微小管などの主要な生物学的実体の測定が可能になる。
【０４２１】
本発明を理解しやすくするための実施形態の説明では、顕微鏡法、さらに詳細には生物学、またさらに詳細には蛍光生物学における用途を紹介しているが、用途は、顕微鏡法の一般的な用途、および人工視覚を含む視覚分野全体に拡大できる。
【０４２２】
本発明の実施形態は、例えば眼科観察などがだこれに限定されない多くの医学用途に対して異なる光学系を選択することで適用できる。この適用分野は、解像度がミクロン単位になる生体または医学的物体を測定することに相当し、この解像度は、１から１０μｍである。
【０４２３】
また、本発明の実施形態は、後に説明するように、光ファイバを介して適用されてもよい。これによって、例えば、限定はしないが胃や消化器の観察のほか、結腸および尿路の観察など、さらに多くの用途が可能になる。
【０４２４】
本発明は、本発明の適用が、本明細書に述べた説明文または図面に示した内容に記載の詳細に限定されるものではないと理解されるべきである。本発明は、他の実施形態も可能であり、様々な方法で実施し、実行することができる。当業者は、添付の特許請求に定義した本発明の用途の分野を逸脱しないかぎり、上記に記載したような本発明の実施形態に様々な修正および変更を適用してよいことを容易に理解するであろう。
【０４２５】
参照文献
付加的な参照文献
1.      Zeiss,"ZeissMicroscopyandimageanalysis,
http://www.zeiss.com/4125681C00466C26/?Open"(2012).
2.      Nikon,"MicroscopyUThesourceforMicroscopyeducation"(2012),retrieved6March2012.
3.      L.Schermelleh,R.Heintzmann,andH.Leonhardt,"Aguidetosuper-resolutionfluorescencemicroscopy"TheJournalofcellbiology190,165-175(2010).
4        M.V.Berry,"Conicaldiffractionasymptotics:finestructureofPoggendorffringsandaxialspike"JournalOfOpticsA-PureAndAppliedOptics6,289-300(2004).
5.      W.contributors,(\iWikipedia,ThefreeEncyclopedia\i0\par,2February201219:47\par),retrieved{\field{\*\fldinst{HYPERLYNK
"http://en.wikipedia.org/w/index.php?title=Super_resolutionmicroscopy&oldid=474630789"}}{\fldrslt{\ul\cf1
http://en.wikipedia.org/w/index.php?title=Superresolutionmicroscopy&oldid=474630789}}}\f0\fs24\par.
6.      Lindegren,"Photoelectricastrometry-Acomparisonofmethodsforpreciseimagelocation,"inModemastrometry;ProceedingsoftheColloquium,Vienna,Austria,September11-14,1978.,1978),197-217.
7.      J.F.NyeandM.V.Berry,"DislocationsinWaveTrains,"ProceedingsoftheRoyalSocietyofLondon.SeriesA,MathematicalandPhysicalSciences(1934-1990)336,165-190(1974).
8.      S.W.HellandJ.Wichmann,"Breakingthediffractionresolutionlimitbystimulatedemission:stimulated-emission-depletionfluorescencemicroscopy"
Opticsletters19,780-782(1994).
9.      S.M.Finkbeiner,"RoboticmicroscopySystems"(2006).
10.    W.R.Hamilton,"ThirdSupplementtoanEssayontheTheoryofSystemsof
Rays"Trans.RoyalIrish.Acad.,pp1-144(1833).
11.    H.Llyold,"OnthePhenomenapresentedbyLightinitsPassagealongtheAxesofBiaxialCrystals,"TheLondonandEdinburghPhilosophicalMagazineandJournalofScienceii,112-120(1833).
12.    M.V.BerryandM.R.Jeffrey,"Conicaldiffraction:Hamilton'sdiabolicalpointattheheartofcrystaloptics,"inProgressinOptics(2007-InPress).
13.    M.V.Berry,M.R.Jeffrey,andJ.G.Lunney,"Conicaldiffraction:observationsandtheory.,"Proc.R.Soc.A.4621629-1642(2006).
14.    C.Phelan,D.O'Dwyer,Y.Rakovich,J.Donegan,andJ.Lunney,"ConicaldiffractionandBesselbeamformationwithahighopticalqualitybiaxialcrystal",J.Opt.A,PureAppl.Opt7,685-690(2009).
15.    M.BerryandM.Jeffrey,"Conicaldiffraction:Hamilton'sdiabolicalpointattheheartofcrystaloptics,"ProgressinOptics50,13(2007).
16.    A.Geivandov,I.Kasianova,E.Kharatiyan,A.Lazarev,P.Lazarev,andS.Palto,"PrintableThinBirefringentFilmRetardersforLCD."
17.    B.Acharya,A.Primak,T.Dingemans,E.Samulski,andS.Kumar,"Theelusivethermotropicbiaxialnematicphaseinrigidbent-coremolecules,"Pramana61,231-237(2003).
18.    T.Maldonado,"Electro-opticmodulators,"inHandbookofOptics,M.Bass,ed.(McGrawHill,Orlando,1995).
19.    J.Kemp,"Piezo-opticalbirefringencemodulators:newuseforalong-knowneffect,"JournaloftheOpticalSocietyofAmerica59,950-953(1969).
20.    D.H.GoldsteinandE.Collett,Polarizedlight(CRC,2003),Vol.83.
21.    J.B.Pawley,Handbookofbiologicalconfocalmicroscopy(SpringerVerlag,2006).
22.    M.Bass,Handbookofoptics(McGraw-Hill,2001).
23.    M.Minsky,"MicroscopyApparatus",3,013,467(1961).
24.    A.Ferrando,M.Zacares,andM.-A.Garcia-March,"VorticityCutoffinNonlinearPhotonicCrystals,"PhysicalReviewLetters95,043901(2005).
25.    P.Li,J.Zhao,S.Liu,X.Gan,T.Peng,andX.Jiao,"Dynamicbehaviorsofopticalvorticesindual-corephotoniccrystalfibers,"OpticsCommunications(2012).
26.    Y.Zhang,"Generationofthree-dimensionaldarkspotswithaperfectlightshellwitharadiallypolarizedLaguerre-Galsoanbeam",Appliedoptics49,6217-6223(2010).